(57)【要約】      （修正有）【課題】通信システムにおけるデータ送信の方法とシステムであって、逆方向リンク上で増加したデータスループットを可能にする装置及び方法を提供する。【解決手段】ＴＤＭＡ時間間隔でデータを送信することを希望しているアクセス端末は、アクセス端末の逆方向リンク品質測定基準とＴＤＭＡ時間間隔の焦燥関数とを評価して好機レベル（ＯＬ１）を決定する。アクセス端末は自身が送信可能なデータレートを推定し、それに応じてデータタイプを生成する。アクセス端末は次に、パケット準備完了チャネル上で次の値を送信するためのルールが満足されているかどうかを判定する。ルールが満足されると、アクセス端末は要求されたデータレートと好機レベルをパケット要求（ＰＲ）チャネル上でタイムスロットｎとｎ＋１とで通信する。【選択図】図７
2010213295.tif 000002
【特許請求の範囲】
【請求項１】
同じ周波数で逆方向リンクを送信するアクセス端末の集合からユーザデータを送信する装置であって、前記装置は、
第１の集合を成すアクセス端末であり、前記第１の集合を成すアクセス端末の各々が、
受信機と、
命令を記憶するように構成された記憶媒体と、
前記受信機と前記記憶媒体とに通信可能に結合され、前記命令から成る集合を処理することが可能な少なくとも１つのプロセッサとを具備し、
前記プロセッサは、
前記受信機によって提供された信号を処理して、各々が多重アクセスモードを関連している時間間隔のシーケンスの割り当てを得り、
前記受信機によって提供された信号を処理して、第１の多重アクセスモードと関連する時間間隔でのスケジューリング決定を得るが、前記時間間隔が第１の部分と第２の部分に分割され、前記第１の部分がオーバーヘッドチャネルからなり、
データ多重化モードを選択するが、ここで、
第１のモードでは、ユーザデータを、多重化形式を用いて第１の多重アクセスモードと関連する前記時間間隔の第１の部分中だけに構築することからなり、
第２のモードでは、ユーザデータを、第１の多重アクセスモードと関連する前記時間間隔の第２の部分の少なくとも１つの再分割部分中だけに構築するが、前記少なくとも１つの再分割部分の各々が多重化形式と関連しており、
第３のモードでは、ユーザデータを、前記第１のモードと前記第２のモードを組み合わせることによって第１の多重アクセスモードと関連する前記時間間隔中に構築することからなり、
前記送信機に、前記スケジューリング決定に従って前記選択されたデータ多重化モードを用いて前記第１の多重アクセスモードと関連する前記時間間隔でユーザデータを送信させる、
前記装置。
【請求項２】
各々の時間間隔が符号分割多重アクセス（ＴＤＭＡ）又は時分割多重アクセス（ＴＤＭＡ）と関連している請求項１記載の装置。
【請求項３】
前記第１の多重アクセスモードはＴＤＭＡを具備する請求項１記載の装置。
【請求項４】
前記受信機は、
少なくとも第１の一次チャネルを受信し、
前記受信された第１の一次チャネルから情報を抽出し、
オプションとして、前記受信された少なくとも１つの補足の第１のチャネルから情報を抽出し、
前記抽出された情報を前記少なくとも１つのプロセッサに提供する、
ように構成されている請求項１記載の装置。
【請求項５】
前記少なくとも１つのプロセッサは、命令の集合を処理することによって、多重化形式を用いて第１の多重アクセスモードと関連する前記時間間隔の前記第１の部分中だけにユーザデータを構築させ、これで、ユーザデータを、符号分割多重方式（ＣＤＭ）を用いて、前記時間間隔の前記第１の部分中だけに構築させる請求項１記載の装置。
【請求項６】
前記少なくとも１つのプロセッサは、第１の多重アクセスモードと関連する前記時間間隔の前記第２の部分の少なくとも１つの再分割部分中だけにユーザデータを構築させ、前記少なくとも１つの再分割部分の各々が命令の集合を処理することによって多重化形式と関連しており、これで、
前記スケジューリング決定にしたがって前記少なくとも１つの再分割部分を決定し、
ユーザデータを前記決定された少なくとも１つの再分割部分中に構築させる、
請求項１記載の装置。
【請求項７】
前記少なくとも１つのプロセッサは、命令の集合を処理することによって、前記決定された少なくとも１つの再分割部分中にユーザデータを構築させ、これで、ユーザデータを前記時間間隔の前記第２の部分全体中に構築させる請求項６記載の装置。
【請求項８】
前記少なくとも１つのプロセッサが命令の集合を処理することによって前記スケジューリング決定に従って前記少なくとも１つの再分割部分を決定し、これで、
前記少なくとも１つの第１の補足チャネルからの前記抽出された情報を処理し、
前記少なくとも１つの再分割部分を前記抽出された情報に基づいて決定する、
請求項６記載の装置。
【請求項９】
前記少なくとも１つのプロセッサは、命令の集合を処理することによって第１の多重アクセスモードと関連する前記時間間隔の前記第２の部分の少なくとも１つの再分割部分中だけにユーザデータを構築させ、これで、
第１の多重アクセスモードと関連している前記時間間隔の第２の部分の前記少なくとも１つの再分割部分を、符号分割多重方式（ＣＤＭ）、時分割多重方式（ＴＤＭ）及び直交周波数分割多重（ＯＦＤＭ）の内の１つを関連させ、
前記関連する多重形式を用いて前記少なくとも１つの再分割部分の各々の中にデータを構築させる、
請求項１記載の装置。
【請求項１０】
前記少なくとも１つのプロセッサは、命令の集合を処理することによって、ＴＤＭ方式と関連する前記少なくとも１つの再分割部分中にユーザデータを構築させ、これで、ユーザデータのレートが閾値未満であれば、ＴＤＭ方式を用いて前記少なくとも１つの再分割部分中にユーザデータを構築させる請求項９記載の装置。
【請求項１１】
前記少なくとも１つのプロセッサがさらに、命令の集合を処理し、これで、ＯＦＤＭ方式を別様に用いて前記少なくとも１つの再分割部分中にユーザデータを構築させる請求項９記載の装置。
【請求項１２】
前記少なくとも１つのプロセッサは、命令の集合を処理することによって、前記第１のモードと前記第２のモードを組み合わせることによって第１の多重アクセスモードと関連する前記時間間隔中にユーザデータを構築させ、これで、データソースから発信されたユーザデータを、第１の多重アクセスモードと関連する前記時間間隔の前記第１の部分中と、第１の多重アクセスモードと関連する前記時間間隔の前記第２の部分の前記少なくとも１つの再分割部分中に構築させる請求項１記載の装置。
【請求項１３】
前記少なくとも１つのプロセッサは、命令の集合を処理することによって、前記第１のモードと前記第２のモードを組み合わせて第１の多重アクセスモードと関連する時間間隔中にユーザデータを構築させ、これで、
第１のデータソースから発信されたユーザデータを、第１の多重アクセスモードと関連する前記時間間隔の前記第１の部分中に構築させ、
第２のデータソースから発信されたユーザデータを、第１の多重アクセスモードと関連する前記時間間隔の前記第２の部分の前記少なくとも１つの再分割部分の内の少なくとも１つの中に構築させる、
請求項１記載の装置。
【請求項１４】
前記少なくとも１つのプロセッサは、命令の集合を処理することによって、前記スケジューリング決定に従って前記選択されたデータ多重化モードを用いて第１の多重アクセスモードと関連する前記時間間隔中でユーザデータを前記送信機に送信させ、これで、
前記受信された第１の一次チャネルからの前記抽出された情報を処理し、
前記抽出された情報に従って前記ユーザデータを前記送信機に送信させる、
請求項１記載の装置。
【請求項１５】
前記少なくとも１つのプロセッサは、命令の集合を処理することによって、前記スケジューリング決定に従って前記選択されたデータ多重化モードを用いて第１の多重アクセスモードと関連する前記時間間隔中で前記送信機にユーザデータを送信させ、これで、前記スケジューリング決定が送信許可であれば、前記ユーザデータを前記送信機に送信させる請求項１記載の装置。
【請求項１６】
前記少なくとも１つのプロセッサは、命令の集合を処理することによって、前記スケジューリング決定に従って前記選択されたデータ多重化モードを用いて第１の多重アクセスモードと関連する前記時間間隔中でユーザデータを前記送信機に送信させ、これで、前記第１のデータ多重化モードが選択されて、そして、前記スケジューリング決定が送信否認であれば、前記ユーザデータを前記送信機に送信させる請求項１記載の装置。
【請求項１７】
前記プロセッサはさらに、命令の集合を処理し、これで、前記第２のサブ集合のアクセス端末の内の少なくとも１つからユーザデータを、第１の多重アクセスモードと関連する前記時間間隔で、前記第１のデータ多重化モードを用いて送信するように構成されている、請求項１記載の装置。
【請求項１８】
前記プロセッサはさらに、命令の集合を処理し、これで、
前記受信機から提供された信号の処理を無視して、第２の多重アクセスモードと関連する時間間隔にわたるスケジューリング決定を得るが、前記時間間隔は第１の部分と第２の部分に分割され、前記第１の部分はオーバーヘッドチャネルを具備しており、
前記第２のサブ集合のアクセス端末の各々のところで、データ多重化モードを選択し、ここで、
第３のモードは、ユーザデータを、多重化形式を用いて第２の多重アクセスモードと関連する前記時間間隔の第１の部分中だけに構築することからなり、
第４のモードは、前記多重化形式を用いて前記時間間隔の前記第２の部分中だけにユーザデータを構築することからなり、
第３のモードは、ユーザデータを、前記第１のモードと前記第２のモードを組み合わせることによって前記時間間隔中に構築することからなり、
前記送信機に、前記選択されたデータ多重化モードを用いて前記第２の多重アクセスモードと関連する前記時間間隔でユーザデータを送信させる、
ように構成されている請求項１記載の装置。
【請求項１９】
前記少なくとも１つのプロセッサは、命令の集合を処理することによって、多重化形式を用いて第２の多重アクセスモードと関連する前記時間間隔の前記第１の部分中だけにユーザデータを構築させ、これで、ユーザデータを、符号分割多重方式（ＣＤＭ）を用いて、前記時間間隔の前記第１の部分中だけに構築させる請求項１８記載の装置。
【請求項２０】
前記少なくとも１つのプロセッサは、命令の集合を処理することによって、前記第１のモードと前記第２のモードを組み合わせて前記時間間隔中にユーザデータを構築させ、これで、
第１のデータソースから発信されたユーザデータを前記時間間隔の前記第１の部分中に構築させ、
第２のデータソースから発信されたユーザデータを前記時間間隔の前記第２の部分中に構築させる、
請求項１８記載の装置。
【請求項２１】
前記少なくとも１つのプロセッサは、命令の集合を処理することによって、前記第１のモードと前記第２のモードを組み合わせることによって前記時間間隔中にユーザデータを構築させ、これで、第１のデータソースから発信されたユーザデータを、前記時間間隔の前記第２の部分中の前記第１の部分中に構築させる請求項１８記載の装置。
【請求項２２】
第２の集合のアクセス端末をさらに具備し、前記第２の集合のアクセス端末の各々が、
受信機と、
送信機と、
命令を記憶するように構成された記憶媒体と、
前記受信機と前記記憶媒体とに通信可能に結合され、前記命令から成る集合を処理して前記ユーザデータを送信することが可能な少なくとも１つのプロセッサと、
を具備する請求項１記載の装置。
【請求項２３】
前記ユーザデータは符号分割多重アクセス方式を用いて送信される請求項２２記載の装置。
【請求項２４】
前記ユーザデータは、ＩＳ−８５６規格に準拠した符号分割多重アクセス方式を用いて送信される請求項２３記載の装置。
【請求項２５】
ある周波数で逆方向リンクを送信するアクセス端末の集合からユーザデータを送信する装置であって、前記装置は、
第１の集合を成すアクセス端末であり、前記第１の集合を成すアクセス端末の各々が、
受信機と、
送信機と、
命令を記憶するように構成された記憶媒体と、
前記受信機と前記記憶媒体とに通信可能に結合され、前記命令から成る集合を処理することが可能な少なくとも１つのプロセッサとを具備し、
前記プロセッサは、
前記受信機によって提供された信号を処理して、時間間隔のスケジューリング決定を得るが、前記時間間隔が第１の部分と第２の部分に分割され、前記第１の部分がオーバーヘッドチャネルを具備し、
データ多重化モードを選択するが、ここで、
第１のモードでは、ユーザデータを、多重化形式を用いて前記時間間隔の前記第１の部分中だけに構築することからなり、
第２のモードでは、ユーザデータを前記時間間隔の前記第２部分の少なくとも１つの再分割部分中だけに構築し、前記少なくとも１つの再分割部分の各々は多重化形式と関連しており、
第３のモードでは、ユーザデータを、前記第１のモードと前記第２のモードを組み合わせることによって前記時間間隔中に構築することからなり、
前記送信機に、前記スケジューリング決定に従って前記選択されたデータ多重化モードを用いて前記時間間隔でユーザデータを送信させる、
前記装置。
【請求項２６】
前記受信機は、
少なくとも第１の一次チャネルを受信し、
前記受信された第１の一次チャネルから情報を抽出し、
オプションとして、前記受信された少なくとも１つの補足の第１のチャネルから情報を抽出し、
前記抽出された情報を前記少なくとも１つのプロセッサに提供する、
ように構成されている請求項２５記載の装置。
【請求項２７】
前記少なくとも１つのプロセッサは、命令の集合を処理することによって、多重化形式を用いて前記時間間隔の前記第１の部分中だけにユーザデータを構築させ、これで、ユーザデータを、符号分割多重方式（ＣＤＭ）を用いて、前記時間間隔の前記第１の部分中だけに構築させる請求項２５記載の装置。
【請求項２８】
前記少なくとも１つのプロセッサは、前記時間間隔の前記第２の部分の少なくとも１つの再分割部分中だけにユーザデータを構築させ、前記少なくとも１つの再分割部分の各々が命令の集合を処理することによって多重化形式と関連しており、これで、
前記スケジューリング決定にしたがって前記少なくとも１つの再分割部分を決定し、
ユーザデータを前記決定された少なくとも１つの再分割部分中に構築させる、
請求項２５記載の装置。
【請求項２９】
前記少なくとも１つのプロセッサは、命令の集合を処理することによって、前記決定された少なくとも１つの再分割部分中にユーザデータを構築させ、これで、ユーザデータを前記時間間隔の前記第２の部分全体中に構築させる請求項２５記載の装置。
【請求項３０】
前記少なくとも１つのプロセッサは、命令の集合を処理することによって前記スケジューリング決定に従って前記少なくとも１つの再分割部分を決定し、これで、
前記少なくとも１つの第１の補足チャネルからの前記抽出された情報を処理し、
前記少なくとも１つの再分割部分を前記抽出された情報に基づいて決定する、
請求項２８記載の装置。
【請求項３１】
前記少なくとも１つのプロセッサは、命令の集合を処理することによって前記時間間隔の前記第２の部分の少なくとも１つの再分割部分中だけにユーザデータを構築させ、これで、
時間間隔の第２の部分の前記少なくとも１つの再分割部分を、符号分割多重方式（ＣＤＭ）、時分割多重方式（ＴＤＭ）及び直交周波数分割多重（ＯＦＤＭ）の内の１つを関連させ、
前記関連する多重形式を用いて前記少なくとも１つの再分割部分の各々の中にデータを構築させる、
請求項２５記載の装置。
【請求項３２】
前記少なくとも１つのプロセッサは、命令の集合を処理することによって、ＴＤＭ方式と関連する前記少なくとも１つの再分割部分中にユーザデータを構築させ、これで、ユーザデータのレートが閾値未満であれば、ＴＤＭ方式を用いて前記少なくとも１つの再分割部分中にユーザデータを構築させる、
請求項３１記載の装置。
【請求項３３】
前記少なくとも１つのプロセッサはさらに、命令の集合を処理し、これで、ＯＦＤＭ方式を別様に用いて前記少なくとも１つの再分割部分中にユーザデータを構築させる、
請求項３２記載の装置。
【請求項３４】
前記少なくとも１つのプロセッサは、命令の集合を処理することによって、前記第１のモードと前記第２のモードを組み合わせる前記時間間隔中にユーザデータを構築させ、これで、データソースから発信されたユーザデータを、前記時間間隔の前記第１の部分中と、前記時間間隔の前記第２の部分の前記少なくとも１つの再分割部分中に構築させる、
請求項２５記載の装置。
【請求項３５】
前記少なくとも１つのプロセッサは、命令の集合を処理することによって、前記第１のモードと前記第２のモードを組み合わせてある時間間隔中にユーザデータを構築させ、これで、
第１のデータソースから発信されたユーザデータを、前記時間間隔の前記第１の部分中に構築させ、
第２のデータソースから発信されたユーザデータを、前記時間間隔の前記第２の部分の前記少なくとも１つの再分割部分の内の少なくとも１つの中に構築させる、
請求項２５記載の装置。
【請求項３６】
前記少なくとも１つのプロセッサは、命令の集合を処理することによって、前記スケジューリング決定に従って前記選択されたデータ多重化モードを用いて前記時間間隔中でユーザデータを前記送信機に送信させ、これで、
前記受信された第１の一次チャネルからの前記抽出された情報を処理し、
前記抽出された情報に従って前記ユーザデータを前記送信機に送信させる、
請求項２５記載の装置。
【請求項３７】
前記少なくとも１つのプロセッサは、命令の集合を処理することによって、前記スケジューリング決定に従って前記選択されたデータ多重化モードを用いて前記時間間隔中でユーザデータを前記送信機に送信させ、これで、前記スケジューリング決定が送信許可であれば、前記ユーザデータを前記送信機に送信させる、
請求項３５記載の装置。
【請求項３８】
前記少なくとも１つのプロセッサは、命令の集合を処理することによって、前記スケジューリング決定に従って前記選択されたデータ多重化モードを用いて前記時間間隔中でユーザデータを前記送信機に送信させ、これで、前記第１のデータ多重化モードが選択されており、前記スケジューリング決定が送信否認であれば、前記ユーザデータを前記送信機に送信させる、
請求項３１記載の装置。
【請求項３９】
前記少なくとも１つのプロセッサはさらに、命令の集合を処理し、これで、
前記受信機によって提供された信号の処理を無視して、ある時間間隔にわたるスケジューリング決定を得て、
前記第１のデータ多重化モードを用いて前記時間間隔中で前記送信機にユーザデータを送信させる、
ように構成されている、請求項２５記載の装置。
【請求項４０】
第２の集合を成すアクセス端末をさらに具備し、前記第２の集合を成すアクセス端末の各々が、
受信機と、
送信機と、
命令を記憶するように構成された記憶媒体と、
前記受信機と前記記憶媒体とに通信可能に結合され、前記命令から成る集合を処理して、前記ユーザデータを送信することが可能な少なくとも１つのプロセッサと、
を具備する請求項２５記載の装置。
【請求項４１】
前記ユーザデータは符号分割多重アクセス方式を用いて送信される請求項４０記載の装置。
【請求項４２】
前記ユーザデータはＩＳ−８５６規格に準拠した符号分割多重アクセス方式を用いて送信される請求項４１記載の装置。
【請求項４３】
リンクのパラメータを推定する装置であって、前記装置は、
命令を記憶するように構成された記憶媒体と、
前記受信機と前記記憶媒体とに通信可能に結合され、前記命令から成る集合を処理することが可能な少なくとも１つのプロセッサとを具備し、前記プロセッサは、
第１のチャネルのパラメータを測定し、
前記第１のチャネルの前記測定パラメータにしたがって第２のチャネルのパラメータを決定し、
前記第１のチャネルの前記パラメータと前記第２のチャネルの前記パラメータとに従って前記リンクのパラメータを推定する、
前記装置。
【請求項４４】
前記少なくとも１つのプロセッサが前記命令の集合を処理することによって、第１のチャネルのパラメータを測定し、これで、第１のチャネルの振幅と位相を測定する請求項４３記載の装置。
【請求項４５】
前記少なくとも１つのプロセッサが前記命令の集合を処理することによって第２のチャネルのパラメータを決定し、これで、
前記第２のチャネルをデコーディングして、前記第２のチャネルのデータレートと位相とを得て、
前記データレートに従って、前記第１のチャネルに対する前記第２のチャネルの送信出力比を決定し、
第３のチャネルの品質測定基準にしたがって前記送信出力比を調整し、
前記調整された送信出力比にしたがって前記第２のチャネルの振幅を決定する、
請求項４３記載の装置。
【請求項４６】
前記少なくとも１つのプロセッサは前記第２のチャネルをデコーディングして、前記命令から成る集合を処理することによって前記第２のチャネルのデータレートと位相とを得て、これで、
前記データのデータレートと内容とに従って仮説の集合を構成し、
前記仮説の集合の各々の集合に従って前記第２のチャネルをデコーディングし、
前記仮説を試験するために用いられる前記測定基準にしがたって蓋然性の最も高い仮説を選択する、
請求項４５記載の装置。
【請求項４７】
前記少なくとも１つのプロセッサは、前記命令の集合を処理することによって、前記第１のチャネルの前記パラメータと前記第２のチャネルの前記パラメータとにしたがって前記リンクのパラメータを推定し、これで、
前記第１のチャネルの前記パラメータを前記第２のチャネルの前記パラメータと合成し、
前記合成されたパラメータにしたがって前記リンクの複合チャネル利得を推定する、
請求項４３記載の装置。
【請求項４８】
前記少なくとも１つのプロセッサは、前記命令の集合を処理することによって、前記第１のチャネルの前記パラメータを前記第２のチャネルの前記パラメータと合成し、これで、最大の比の合成を利用する請求項４７記載の装置。
【請求項４９】
前記少なくとも１つのプロセッサは、前記命令の集合を処理することによって、前記第１のチャネルの前記パラメータを前記第２のチャネルの前記パラメータと合成し、これで、前記第１のチャネルの前記パラメータをゼロ値に設定する請求項４７記載の装置。
【請求項５０】
前記リンクは逆方向リンクからなり、
前記第１のチャネルが逆方向リンクパイロットチャネルからなり、
前記第２のチャネルが逆方向レートインジケータチャネルからなる、
請求項４３記載の装置。
【請求項５１】
前記第３のチャネルはデータ要求チャネルからなる請求項４５記載の装置。
【請求項５２】
チャネルの出力制御のための装置であって、前記装置は、
プロセッサと、
前記プロセッサに結合され、前記プロセッサで実行可能な命令の集合を含む記憶媒体とを具備し、前記プロセッサは、
第１のチャネルの送信出力を決定し、
前記チャネル上で送信されるサービスの品質（ＱｏＳ）を決定し、
前記ＱｏＳにしたがって前記チャネル上で送信されるデータのレートの場合の記第１のチャネルに対する前記チャネルの送信出力の比を決定し、
前記チャネルの品質測定基準にしたがって前記送信出力比を調整し、
前記調整された送信出力比にしたがって前記チャネル送信出力を計算する、
前記装置。
【請求項５３】
前記プロセッサは、命令の集合を実行することによって第１のチャネルの送信出力を決定し、これで、
第２のチャネルの品質測定基準と第３のチャネル中にユーザデータが存在するかどうかの検出とに基づいてセットポイントを決定し、
前記送信出力の現在の値が前記決定されたセットポイント未満であれば前記送信出力の値を増加させる、
請求項５２記載の装置。
【請求項５４】
前記プロセッサは命令の集合を実行し、これで、前記送信出力の前記現在の値が前記セットポイント未満であれば、前記送信出力の値を増加させる請求項５３記載の装置。
【請求項５５】
前記プロセッサは、命令の集合を実行することによって、第２のチャネルの品質測定基準と第３のチャネル中にユーザデータが存在するかどうかの検出とに基づいてセットポイントを決定し、これで、
前記第２のチャネルの前記品質測定基準を決定し、
前記第３のチャネル中のユーザデータが存在するがどうかを検出し、
前記第３のチャネル中にユーザデータが存在することが検出されたら、ユーザデータをデコーディングし、
前記品質測定基準と前記検出の結果とにしたがって前記セットポイントを決定する、
請求項５３記載の装置。
【請求項５６】
前記プロセッサが命令の集合を実行することによって、第１のチャネルの品質測定基準を決定し、これで、前記第２のチャネルの消去レートを決定する請求項５５記載の装置。
【請求項５７】
前記プロセッサは、命令の集合を実行することによって、前記第３のチャネル中にユーザデータが存在することを検出し、これで、
信号報知データのレートと前記信号報知データの内容とに基づいて仮説の集合を構成し、
前記仮説の集合の各々の集合に従って前記信号報知データをデコーディングし、
前記仮説を試験するために用いられる前記測定基準にしがたって蓋然性の最も高い仮説を選択し、
前記選択された仮説が第１の閾値より大きい場合にはユーザデータが存在することを宣言する、
請求項５５記載の装置。
【請求項５８】
命令の集合を実行することによって、前記第３のチャネル中にユーザデータが存在することが検出されたら、前記プロセッサは前記ユーザデータをデコーディングし、これで、前記第３のチャネルからの符号分割多重化（ＣＤＭ）されたユーザデータをデコーディングする請求項５５記載の装置。
【請求項５９】
前記プロセッサは、命令の集合を実行することによって、前記品質測定基準と前記検出の結果とに基づいて前記セットポイントを決定し、ユーザデータが存在することが検出された場合に、
前記品質測定基準が第２の閾値未満であり、また、前記コーディングが成功であれば、前記セットポイントを減少させ、
前記品質測定基準が前記第２の閾値より大きく、また、前記コーディングが不成功であれば、前記セットポイントを増加させる、
請求項５５記載の装置。
【請求項６０】
前記プロセッサは、命令の集合を実行することによって、前記品質測定基準と前記検出の結果とに基づいて前記セットポイントを決定し、ユーザデータが存在することが検出されなかった場合に、
前記品質測定基準が第２の閾値未満であれば、前記セットポイントを減少させ、
前記品質測定基準が前記第２の閾値より大きければ、前記セットポイントを増加させる、
請求項５５記載の装置。
【請求項６１】
前記プロセッサは、命令の集合を実行することによって、前記チャネルの品質測定基準に基づいて前記送信出力比を調整し、これで、前記チャネル上でユーザデータを決定された第１の回数だけ再送信することに失敗した場合に、前記送信出力比を第１の決定された量だけ増加させる、
請求項５３記載の装置。
【請求項６２】
前記プロセッサは、命令の集合を実行することによって、前記チャネルの品質測定基準に基づいて前記送信出力比を調整し、これで、前記チャネル上でユーザデータが、決定された第２の送信回数以内で成功裏に送信された場合に、前記送信出力比を第２の決定された量だけ減少させる、
請求項５３記載の装置。
【請求項６３】
前記プロセッサは、命令の集合を実行することによって、前記チャネルの品質測定基準に基づいて前記送信出力比を調整し、これで、
前記第１のチャネルの送信時間期間と前記チャネルの送信時間期間との間のライズオーバーサーマル差を決定し、
前記ライズオーバーサーマル差を調整し、
前記調整されたライズオーバーサーマル差にしたがって前記送信出力比を調整する、
請求項５３記載の装置。
【請求項６４】
前記プロセッサは、命令の集合を実行することによって、前記第１のチャネルの送信時間期間と前記チャネルの送信時間期間との間のライズオーバーサーマル差を決定し、これで、
前記第１のチャネルの送信時間間隔におけるライズオーバーサーマルを測定し、
前記チャネルの前記送信時間間隔におけるライズオーバーサーマルを測定し、
前記第１のチャネルの前記送信時間間隔における前記ライズオーバーサーマルと前記チャネルの前記送信時間間隔における前記ライズオーバーサーマル間の差を計算する、
請求項６３記載の装置。
【請求項６５】
前記プロセッサは、命令の集合を実行することによって、前記第１のチャネルの送信時間期間と前記チャネルの前記送信時間期間との間のライズオーバーサーマル差を決定し、これで、前記ライズオーバーサーマル差を推定する、
請求項６３記載の装置。
【請求項６６】
前記プロセッサは、命令の集合を実行することによって、前記ライズオーバーサーマル差を推定し、これで、前記チャネルの前記品質測定基準に基づいて前記ライズオーバーサーマル差を推定する、
請求項６５記載の装置。
【請求項６７】
前記チャネルは第１のトラフィックチャネルを具備し、
前記第１のチャネルはパイロットチャネルを具備する、
請求項５３記載の装置。
【請求項６８】
前記第２のチャネルはデータ要求チャネルを具備し、
前記第３のチャネルは第２のトラフィックチャネルを具備する、
請求項５４記載の装置。
【発明の詳細な説明】
【技術分野】
【０００１】
本発明は、有線通信システム又は無線通信システムにおける通信に関する。詳しくは、本発明は、このような通信システムにおけるデータ送信の方法とシステムに関する。
【背景技術】
【０００２】
通信システムは、情報信号を発信局から物理的に判明な宛先局に情報信号を送信することを可能とするために開発されてきた。発信局から情報信号を通信チャネルを介して送信する際に、この情報信号は最初にこの通信チャネルを介しての効率的な送信に適すような形態に変換される。情報信号を変換、すなわち、変調する場合、搬送波のパラメータを情報信号に従って変更し、これで、結果として得られる変調搬送波のスペクトルが通信チャネルの帯域幅に収まるようにする。宛先局では、オリジナルの情報信号は、通信チャネル
から受信された変調搬送波から再構成される。一般に、このような再構成は、発信局によって用いられる変調プロセスの逆を用いることによって達成される。
【０００３】
変調によってまた、多重アクセス、すなわち、共通の通信チャネルを介しての複数の信号を同時に送信及び／又は受信する動作がしやすくなる。いくつかの多重アクセス技法が技術上周知であるが、その中には、時分割多重アクセス方式（ＴＤＭＡ）と周波数分割多重アクセス方式（ＦＤＭＡ）がある。別のタイプの多重アクセス技法としては、ここではＩＳ−９５規格と呼ばれる「デュアルモード広帯域スペクトル拡散セルラーシステムのＴＩＡ／ＥＩＡ／ＩＳ−９５モバイル局／基地局コンパティビリティ規格」に適合する符号分割多重アクセス（ＣＤＭＡ）スペクトル拡散システムがある。多重アクセス通信システムでＣＤＭＡ技法を用いることは、双方共本譲受人に譲渡されている、「人工衛星又は地上中継器を用いるスペクトル拡散多重アクセス通信システム（SPREAD SPECTRUM MULTIPLE-ACCESS COMMUNICATION SYSTEM USING SATELLITE OR TERRESTRIAL REPEATERS）」という題名の米国特許第４，９０１，３０７号と「ＣＤＭＡセルラー電話システムにおいて波形を生成するシステムと方法（SYSTEM AND METHOD FOR GENERATING WAVEFORMS IN A CDMA CELLULAR TELEPHONE SYSTEM）」という題名の米国特許第５，１０３，４５９号に開示されている。
【０００４】
多重アクセス通信システムは、無線式であったり有線式であったりするが、音声トラフィック及び／又はデータトラフィックを搬送する。音声トラフィックとデータトラフィックの双方を搬送する通信システムの例としてＩＳ−９５規格に準拠したシステムがあるが、これは、通信チャネル上で音声トラフィックとデータトラフィックを送信することを指定するものである。データを固定サイズを持つコードチャネルフレーム中で送信する方法が、本譲受人に譲渡されている「送信用データのフォーマッティングの方法と装置（METHOD AND APPARATUS FOR THE FORMATTING OF DATA FOR TRANSMISSION）」という題名の米国特許第５，５０４，７７３号に詳細に記載されている。ＩＳ−９５規格によれば、データトラフィックや音声トラフィックは、幅２０ミリ秒でデータレートが１４．４Ｋｂｐｓのコードチャネルフレームに区切られる。音声トラフィックとデータトラフィックの双方を搬送する通信システムの別の例には、文書番号３Ｇ ＴＳ ２５．２１１、３Ｇ ＴＳ ２５．２１２、３Ｇ ＴＳ ２５．２１３及び３Ｇ ＴＳ ２５．２１４（Ｗ−ＣＤＭＡ規格）を含む文書の集合に具体化されている「第３世代パートナーシッププロジェクト」（３ＧＰＰ）又は「ｃｄｍａ２０００スペクトル拡散システムのＴＲ−４５．５物理層規格」（ＩＳ−２０００規格）に準拠する通信システムがある。
【０００５】
基地局という用語はアクセスネットワークのエンティティであり、これと加入者局が通信する。ＩＳ−８５６規格を参照すると、基地局はアクセスポイントとも呼ばれる。セルとは、この用語が用いられる文脈次第で、基地局又は基地局からサービスを受ける地理的な包括領域のことである。セクタとは基地局の区分であり、基地局からサービスを受ける地理的領域の区分にサービスを提供する。
【０００６】
「加入者局」という用語は、ここでは、アクセスネットワークの通信相手のエンティティを意味するために用いられる。ＩＳ−８５６規格を参照すると、基地局は、アクセス端末とも呼ばれる。加入者局は移動式であったり静止していたりする。加入者局は、無線チャネル又は有線チャネル、例えば、光ファイバや同軸ケーブルを通じて通信するなんらかのデータデバイスである。加入者局はさらに、これに限られないが、ＰＣカード、コンパクトフラッシュ（登録商標）、外部モデムもしくは内部モデム又は無線電話もしくは有線電話を含む多くのタイプのデバイスの内のいずれかである。基地局とのアクティブトラフィックチャネル接続を確立している最中の加入者局は、接続セットアップ状態にあるといわれる。基地局とのアクティブトラフィックチャネル接続を確立した加入者局はアクティブ加入者局と呼ばれ、また、トラフィック状態にあるといわれる。
【０００７】
アクセスネットワークという用語は、少なくとも１つの基地局（ＢＳ）と１つ以上の基地局のコントローラの収集物である。アクセスネットワークは、情報信号を複数の加入者局同士間で輸送する。アクセスネットワークは、企業のイントラネットやインターネットなどの、アクセスネットワーク外にあるさらなるネットワークにさらに接続されており、また、情報信号を各々の基地局とこのような外部ネットワーク間で輸送する。
【０００８】
上記の多重アクセス無線通信システムでは、ユーザ同士間の通信は１つ以上の基地局を通じて実行される。ユーザという用語は、姓名のあるエンティティと姓名のないエンティティの双方のことである。１つの無線加入者局上の第１のユーザは、情報信号を逆方向リンク上で基地局に伝達することによって第２の無線加入者局上の第２のユーザに対して通信する。この基地局はこの情報信号を受信して、この情報信号を順方向リンク上で第２の加入者局に伝達する。第２の加入者局が、基地局がサービスを提供する領域中にいない場合、この基地局はデータを、第２の加入者局が位置しているサービス領域を持つ別の基地局にルーティングする。次に、第２の基地局は情報信号を順方向リンク上で第２の基地局に伝達する。この順方向リンクは、基地局から無線加入者局に至る送信のことであり、逆方向リンクとは無線加入者局から基地局に至る送信のことである。同様に、この通信は無線加入者局上にある第１のユーザと陸線局上の第２のユーザとの間で実行される。基地局はデータを無線加入者局上の第１のユーザから逆方向リンク上で受信し、そのデータを公衆交換電話網（ＰＳＴＮ）を介して陸線局上の第２のユーザに対してルーティングする。多くの通信システム、例えば、ＩＳ−９５や、Ｗ−ＣＤＭＡや、ＩＳ−２０００では、順方向リンクと逆方向リンクは互いに別個の周波数を割り当てられている。
【０００９】
音声トラフィックのみのサービスとデータトラフィックのみのサービスに関する研究の結果、これら２つのタイプのサービスの間にはある重要な相違が存在することが分かった。１つの違いは、情報コンテンツの伝達の遅延時間に関するものである。音声トラフィックサービスでは、厳しくそして固定した遅延要件が課せられる。一般には、スピーチフレームと呼ばれる所定量の音声トラフィック情報の全体的な一方向遅延時間は１００ｍｓ未満でなければならない。それとは対照的に、全体的な一方向データトラフィック遅延時間は可変のパラメータであり、これを用いて、通信システムが提供するデータトラフィックサービスの効率を最適化する。例えば、音声トラフィックサービスで許容され得る遅延時間よりかなり大きい遅延時間を必要とするマルチユーザダイバーシティ技法や、より好ましい状況が到来するまでのデータ送信遅延技法や、より効率的な誤り訂正コーディング技法や、さらに他の技法が利用可能である。データをコーディングする例示の効率的なスキームが、本譲受人に譲渡されている１９９９年８月３日にＳｉｎｄｈｕｓｈａｙａｎａらに対して発行された現在では米国特許第５，９３３，４６２号で、１９９６年１１月６日に提出された「重畳エンコーディングされた暗示語句をデコーディングする軟判定出力デコーダ（SOFT DECISION OUTPUT DECODER FOR DECODING CONVOLUTIONALLY ENCODED CODEWARDS）」という題名の米国特許出願第０８／７４３，６８８号に開示されている。
【００１０】
音声トラフィックサービスとデータトラフィクサービスの間の別の重要な相違は、前者が、全てのユーザに対して固定した共通したサービスのグレード（ＧＯＳ）を必要とすることである。一般的には、音声トラフィックサービスを提供するディジタル通信システムの場合、この要件は、全てのユーザに対して送信レートが固定していて等しいことと、スピーチフレームのエラーレートが最大許容値であることに形を変える。それとは対照的に、データサービスのＧＯＳは、ユーザによって異なって、可変のパラメータであり、これを最適化すると、データトラフィックサービスを提供する通信システムの全体的な効率が増加する。データトラフィックサービス提供通信システムのＧＯＳは、一般的には、例えば、データパケットを含む所定量のデータトラフィック情報の転送で発生する総遅延時間であると定義される。パケットという用語は、特定のフォーマット中に配置されたデータ（ペイロード）と制御エレメントを含むビットのグループである。制御エレメントは、例えば、プリアンブル、品質測定基準（quality metric）及び当業者には周知のその他から成る。品質測定基準は、例えば、巡回冗長検査（ＣＲＣ）、パリティビット及び当業者には周知のその他から成る。
【００１１】
音声トラフィックサービスとデータトラフィクサービスの間のさらに別の重要な相違は、前者が、信頼性のある通信リンクを必要とすることである。第１の基地局と音声トラフィックを通信している加入者局が、この第１の基地局によってサービス提供されるセルのエッジに移動すると、この加入者局は第２の基地局によってサービス提供される別のセルとの重なり領域に入る。このような領域に入ると、加入者局は、第１の基地局との音声トラフィック通信を維持しながらも、第２の基地局との音声トラフィック通信を確立する。このような同時通信においては、加入者局は、２つの基地局から同じ情報を搬送する信号を受信する。同様に、双方の基地局もまた、加入者局から情報を搬送する信号を受信する。
【００１２】
このような同時通信はソフトハンドオフと呼ばれる。加入者局が第１の基地局のサービス提供セルからついに離れて、第１の基地局との音声トラフィック通信を切っても、加入者局は第２の基地局との音声トラフィック通信を継続する。ソフトハンドオフは「切る前に接続する」メカニズムであるため、ソフトハンドオフによって、コールが中断される確率が最小化される。ソフトハンドオフプロセス中に２つ以上の基地局を介して加入者局と通信する方法とシステムが、本譲受人に譲渡された「ＣＤＭＡセルラー電話システムにおけるモバイル支援式ソフトハンドオフ（MOBILE ASSISTED SOFT HAND-OFF IN A CDMA CELLULAR TELEPHONE SYSTEM）」という題名の米国特許第５，２６７，２６１号に開示されている。
【００１３】
よりソフトなハンドオフも類似のプロセスであり、これによって、マルチセクタ基地局の少なくとも２つのセクタ上で通信が発生する。よりソフトなハンドオフのプロセスは、本譲受人に譲渡されており、１９９９年８月３日にＧｉｌｈｏｕｓｅｎらに対して発行され、現在では米国特許第５，９３３，７８７号であり、１９９６年１２月１１日に提出された「共通の基地局のセクタ同士間でハンドオフを実行する方法と装置（METHOD AND APPARATUS FOR PERFORMING HAND-OFF BETWEEN SECTORS OF A COMMON BASE STATION）」という題名の同時係属米国特許出願第０８／７６３，４９８号に詳細に記載されている。したがって、音声サービスに対してソフトなハンドオフとよりソフトなハンドオフを実行すると、その結果、２つ以上の基地局から冗長な送信が実施されて信頼性が向上する。
【００１４】
この追加の信頼性はデータトラフィック送信にはあまり重要ではないが、それは、誤って受信されたデータパケットは再送信することが可能であるからである。データサービスにとって重要なパラメータは、データパケットの転送に必要とされる送信遅延とデータトラフィック送信システムの平均のスループットである。送信遅延は、音声通信におけるインパクトと同じインパクトをデータ送信では及ぼさないが、送信遅延はデータ通信システムの品質を測定するためには重要な測定基準である。平均のスループットレートは、通信システムの送信能力の効率の尺度である。送信遅延要件が緩和されているため、順方向リンク上でのソフトハンドオフをサポートするために用いられる送信出力と送信リソースとを用いてさらなるデータを送信し、これで、効率を増加させて平均スループットレートを増大させることが可能である。
【００１５】
逆方向リンク上では状況が異なる。加入者局が送信した信号を複数の基地局で受信することが可能である。加入者局からパケットを再送信するには、電力の限られた電源（バッテリ）からさらに電力を必要とするため、リソースを複数の基地局に割り当てて、加入者局から送信されたデータパケットを受信して処理することによって逆方向リンク上でソフトハンドオフをサポートすると効率的である。このようにソフトハンドオフを利用すると、包括範囲と逆方向リンク容量の双方が増加するが、これについては、１９９４年１０月に発行された通信における選ばれた領域に関するＩＥＥＥジャーナルの１２号と８号中のＡｎｄｒｅｗ Ｊ． ＶｉｔｅｒｂｉとＫｌｅｉｎ Ｓ． Ｇｉｌｈｏｕｓｅｎによる論文「ソフトハンドオフはＣＤＭＡ包括範囲を拡大し、リンク容量を増大させる」に検討されている。ソフトハンドオフという用語は、加入者局と２つ以上のセクタ間の通信であり、各々のセクタは互いに別のセルに属している。ＩＳ−９５規格の文脈では、逆方向リンク通信は双方のセクタによって受信され、順方向リンク通信は２つ以上のセクタの順方向リンク上で同時に搬送される。ＩＳ−８５６規格の文脈では、順方向リンク上のデータ送信は２つ以上のセクタの内の１つのセクタと端末間で非同時に搬送される。加えて、よりソフトなハンドオフがこの目的のために用いられる。よりソフトなハンドオフという用語は、加入者局と２つ以上のセクタ間での送信であり、各々のセクタは同じセルに属している。ＩＳ−９５規格の文脈では、逆方向リンク通信は双方のセクタによって受信され、順方向リンク送信は２つ以上のセクタの順方向リンクの内の１つのリンク上で同時に搬送される。ＩＳ−８５６規格の文脈では、順方向リンク上のデータ送信は、２つ以上のセクタの内の１つのセクタと端末間で非同時に搬送される。
【００１６】
無線送信システムにおけるデータ転送の品質と有効性はソース端末と宛先端末間の通信チャネルの状態によって異なることが公知である。このような条件は、例えば、信号対干渉波・雑音比（ＳＩＮＲ）と表されるが、いくつかの要因によって影響され、その中には、例えば、基地局の包括範囲内における加入局の経路損失及び経路損失の変動、同じセル及び他のセルからの他の加入者局からの干渉、他の基地局からの干渉並びに当業者には周知の他の要因がある。通信チャネルの状態が変動する下であるレベルのサービスを維持するために、ＴＤＭＡシステムやＦＤＭＡシステムは、互いに異なった周波数及び／又はタイムスロットでユーザを分離するという手段をとっているおり、また、干渉を軽減するために周波数を再使用することをサポートしている。周波数の再使用によって、利用可能なスペクトルが多くの周波数集合に分割される。所与のセルが、たった１つの集合からの周波数しか使用しないが、このセルのすぐ隣のセルは同じ集合からの周波数は用いない。ＣＤＭＡシステムでは、同一の周波数を通信システムの全てのセルで再使用し、これで、全体的な効率を向上させている。干渉は他の技法、例えば、直交コーディング法、送信出力制御法、可変レートデータ法及び通常の当業者には周知の他の技法によっても軽減される。
【００１７】
上記の方式は、高データレート（ＨＤＲ）通信システムとして知られるデータトラフィックオンリー通信システムの開発に利用されたものである。このような通信システムは、本譲受人に対して譲渡され、２００３年６月３日にＰａｄｏｖａｎｉらに対して発行され、現在では米国特許第６，５７４，２１１号であり、１９９７年１１月３日に提出された「高レートパケットデータ送信の方法と装置（METHOD AND APPARATUS FOR HIGH RATE PACKET DATA TRANSMISSION）」という題名の同時係属出願第０８／９６３，３８６号に詳細に開示されている。ＨＤＲ通信システムは、以後ＩＳ−８５６規格と呼ばれるＴＩＡ／ＥＩＡ／ＩＳ−８５６工業規格として標準化された。
【００１８】
ＩＳ−８５６規格は、アクセスポイント（ＡＰ）がデータを加入者局（アクセス端末）に送出する３８．４ｋｂｐｓから２．４Ｍｂｐｓまでのデータレートの集合であると定義される。アクセスポイントは基地局と類似のものであるため、セルとセクタに関する用語は音声システムに関しては同じである。ＩＳ−８５６規格にしたがって、順方向リンク上で送信されるデータはデータパケットに区分される、各々のデータパケットは、順方向リンクが分割されている１つ以上の時間間隔（タイムスロット）にわたって送信される。タイムスロット毎に、データはアクセスポイントから、このアクセスポイントの包括範囲領域内にあるたった１つのアクセス端末に対して、順方向リンクと通信システムによってサポート可能な最大データレートで送信される。アクセス端末は、アクセスポイントとアクセス端末間での順方向リンクの状況に従って選択される。この順方向リンクの状況は、双方共時間に依存するアクセスポイントとアクセス端末との間の干渉と経路損失によって異なる。経路損失と経路損失の変動とは、特定のアクセスポイントに至るアクセス端末の順方向リンクの状況が、残余のアクセス端末に対する送信より低出力又は高データレートでの送信を可能とする決定済みの判断基準を満足する時間間隔でアクセスポイントでの送信をスケジューリングすることによって利用され、これによって、順方向リンク送信のスペクトル効率を向上させる。
【００１９】
それとは対照的に、ＩＳ−８５６規格によれば、アクセスポイントの包括範囲領域内に存在する複数のアクセス端末から逆方向リンク上でデータが送信される。さらに、アクセス端末のアンテナパターンは全方向性であるため、アクセスポイントの包括範囲領域内のいかなるアクセス端末でもこれらのデータ送信を受信する。その結果、逆方向リンク送信は、いくつかの干渉ソース、すなわち、他のアクセス端末の符号分割多重オーバヘッドチャネルや、アクセスポイントの包括範囲領域中に存在するアクセス端末（セルが同じであるアクセス端末）からのデータ送信や、他のアクセスポイントの包括範囲領域中に存在するアクセス端末（他のセルのアクセス端末）からのデータ送信など、にさらされる。一般に多重や多重化は、１つの通信チャネル上で複数のデータストリームを通信することを意味する。
【００２０】
無線データサービスの開発に伴って、ホストからの要求に応答してサーバが高レートのデータを提供するインターネットサービスというモデルにならって、順方向リンク上でのデータのスループットの増大に努力が払われてきた。サーバからホストという方向は高スループットを必要とする順方向リンクに類似しており、一方、ホストからサーバへの要求及び／又はデータの転送でのスループットは低い。しかしながら、現在の開発状況は、逆方向リンクでのデータ集約的な応用分野、例えば、ファイル転送プロトコル（ＦＴＰ）、ビデオ会議、ゲーム及び他の一定レートでのデータサービスが成長していることを示している。このような応用分野では、より高いデータレートを達成するために逆方向リンクの効率を向上することを必要としており、そのため、逆方向リンク上での高スループットが必要とされる。したがって、逆方向リンク上でのデータスループットを増大させる、理想的には、順方向リンクと逆方向リンクのスループットを対称的なものとする技術上の必要性がある。
【００２１】
創意ある逆方向リンク送信の方法と装置の実施形態が、本発明の譲受人に譲渡され、２００２年１２月６日に提出された「通信システムにおける逆方向リンクでのデータ送信の方法と装置（METHOD AND APPARATUS FOR A DATA TRANSMISSION OVER A REVERSE LINK IN A COMMUNICATION SYSTEM）」という題名の同時係属出願第１０／３１３，５５３号と第１０／３１３，５９４号に開示されている。この創意ある逆方向リンク送信の方法と装置は、以下に詳述するように、リンクに掛かる予算を考慮すると、すでに構築されている（従来式の）通信システムには完全に適用することは不可能である。その結果、この出願第１０／３１３，５５３号と第１０／３１３，５９４号による創意ある逆方向リンク送信方法と装置とを従来式の通信システムに導入すると、上記のリンクに掛かる予算事項と、創意ある逆方向リンクを受信可能な加入者局（新式加入者局）とＩＳ−８５６の逆方向リンクだけしか受信できない加入者局（従来式の加入者局）との共存とに関連する問題が発生する。加えて、創意ある逆方向リンク送信方法と装置とはさらに、出力制御とデータレートの決定のための方法と装置に対する技術上の必要性を生じさせる。
【００２２】
したがって、上記の問題を考慮して、逆方向リンク上でのデータスループットの増加を可能とする装置と方法に対する技術上の必要性が存在する。
【００２３】
本出願は、すべてが本発明の譲受人に譲渡される、２００３年３月１３日に提出された「通信システムにおけるデータ送信の方法とシステム（Method and System for a Data Transmission in a Communication System）」という題名の米国出願第１０／３８９，１７６号（代理人事件整理番号第０３０２１５Ｕ２号）と、２００３年３月１３日に提出された「通信システムにおけるデータ送信のためのリンクのパラメータを推測する方法とシステム（Method and System For Estimating Parameters of a Link For Data Transmission in a Communication System）」という題名の米国出願第１０／３８９，７１６号（代理人事件整理番号第０３０２１５Ｕ３号）と、２００３年３月１３日に提出された「通信システムにおける出力制御の方法とシステム（Method and System for a Power Control in a Communication System）」という題名の米国出願第１０／３８９，６５６号（弁理士事件整理番号第０３０２１５Ｕ４号）とに関する。
【発明の開示】
【００２４】
［発明の概要］
本発明の一態様では、上記の必要性は、アクセス端末の集合の第１のサブ集合と第２のサブ集合の各々のところで、各々が多重アクセスのモードを関連する時間間隔のシーケンスの割り当てを受信するステップであり、前記第２のサブ集合は第１のサブ集合と互いに排他的である、前記ステップと、前記第１のサブ集合のアクセス端末の各々のところで第１の多重アクセスモードと関連する時間間隔のスケジューリング判定を受信するステップであり、前記時間間隔は第１の部分と第２の部分に分割される、前記ステップと、第１のサブ集合のアクセス端末の各々のところで、データを多重化するモードを選択するステップであり、第１のモードが多重化フォーマットを用いてユーザデータを前記第１の時間間隔部分にだけ構築する動作を含み、第２のモードが前記第２の時間間隔部分の少なくとも１つの再分割部分にだけユーザデータを構築する動作を含み、前記少なくとも１つの再分割部分の各々が多重化フォーマットと関連しており、第３のモードが前記第１のモードと前記第２のモードを合成して前記時間間隔にユーザデータを構築する、前記ステップと、前記第１のサブ集合のアクセス端末の少なくとも１つから前記第１の多重アクセスモードと関連する前記時間間隔中のユーザデータを選択されたデータ多重化モードを用いて前記スケジューリング判定に従って送信するステップと、によって処理される。
【００２５】
本発明の別の態様では、上記の必要性は、前記第２のサブ集合のアクセス端末の各々のところでデータ多重化モードを選択するステップであり、第３のモードが前記第１の時間間隔部分中だけにユーザデータを多重化フォーマットを用いて構築する動作を含み第４のモードが前記第２の時間間隔部分中にだけユーザデータを前記多重化フォーマットを用いて構築する動作を含み、第３のモードが前記時間間隔中にユーザデータを前記第１のモードと前記第２のモードを組み合わせて構築する動作を含む、前記ステップと、前記第２のサブ集合のアクセス端末の少なくとも１つのところからユーザデータを前記第２の多重アクセスモードと関連する前記時間間隔で前記選択されたデータ多重化モードを用いて送信するステップと、によって処理される。
【００２６】
本発明のさらに別の態様では、上記の必要性は、前記第２のサブ集合のアクセス端末の内の少なくとも１つのところでユーザデータを第１の多重アクセスモードと関連する前記時間間隔中のユーザデータを前記第１のデータ多重化モードを用いて送信するステップによって処理される。
【００２７】
本発明のさらに別の態様では、上記の必要性は、前記ユーザデータを第３のサブ集合のアクセス端末から送信するステップであり、前記第３のサブ集合が前記第１のサブ集合と前記第２のサブ集合と互いに排他的である、前記ステップによって処理される。
【発明を実施するための最良の形態】
【００２８】
図１に、通信システムの概念図を示す。このような通信システムはＩＳ−８５６規格に従って構築することが可能である。アクセスポイント１００はデータをアクセス端末１０４に対して順方向リンク１０６（１）上で送信し、アクセス端末１０４からのデータを逆方向リンク１０８（１）上で受信する。同様に、アクセスポイント１０２はデータをアクセス端末１０４に対して順方向リンク１０６（２）上で送信し、アクセス端末１０４からのデータを逆方向リンク１０８（２）上で受信する。順方向リンク上でのデータ送信は、１つのアクセスポイントから１つのアクセス端末に対して、順方向リンクと通信システムによってサポート可能な最大のデータレート又はこれに近いレートで発生する。順方向リンクの追加のチャネル、例えば、制御チャネルは複数のアクセスポイントから１つのアクセス端末に送信される。逆方向リンクデータ送信は、１つのアクセス端末から１つ以上のアクセスポイントに対して発生する。アクセスポイント１００とアクセスポイント１０２はアクセスネットワークコントローラ１１０に対してバックホール１１２（１）と１１２（２）を介して接続されている。「バックホール」とは、コントローラとアクセスポイント間の通信リンクのことである。図１ではたった２つのアクセス端末と１つのアクセスポイントしか示していないが、これは説明目的に過ぎず、通信システムは複数のアクセス端末とアクセスポイントを含むことが可能である。
【００２９】
アクセス端末がアクセスネットワークにアクセスすることが許容される登録が実施された後では、アクセス端末１０４とアクセスポイントの内の１つ、例えば、アクセスポイント１００とは、所定のアクセス手順を用いて通信リンクを確立する。接続された状態では、前記所定のアクセス手順によって、アクセス端末１０４はアクセスポイント１００からデータと制御メッセージを受信することが可能であり、また、データと制御メッセージとをアクセスポイント１００に送信することが可能である。アクセス端末１０４は、アクセス端末１０４のアクティブ集合に追加することが可能な他のアクセスポイントを継続的に探索する。アクティブ集合は、アクセス端末１０４との通信が可能なアクセスポイントのリストを含んでいる。このようなアクセスポイントが発見されたら、アクセス端末１０４は、信号対干渉波・雑音比（ＳＩＮＲ）を含む、アクセスポイントの順方向リンクの品質測定基準（quality metric）を計算する。ＳＩＮＲはパイロット信号に基づいて測定される。アクセス端末１０４は、他のアクセスポイントと探索してアクセスポイントのＳＩＮＲを測定する。同時に、アクセス端末１０４は、アクセス端末１０４のアクティブ集合中の各々のアクセスポイントの順方向リンクの品質測定基準を計算する。特定のアクセスポイントのこの順方向リンク品質測定基準が、所定の時間期間にわたって所定の追加閾値より大きい又は所定の降下閾値未満であれば、アクセス端末１０４はこの情報をアクセスポイント１００に報告する。アクセスポイント１００からのその後のメッセージに指令されて、アクセス端末１０４は、この特定のアクセスポイントをアクセス端末１０４のアクティブ集合に対して追加したりこれから削除したりする。
【００３０】
アクセス端末１０４は、サービス提供するアクセスポイントをアクセス端末１０４のアクティブ集合からパラメータの集合に基づいて選択する。サービス提供アクセスポイントとは、特定のアクセス端末にデータを通信するように選択されたアクセスポイント又は特定のアクセス端末にデータを通信しているアクセスポイントのことである。パラメータの集合は、現在のＳＩＮＲ及び以前のＳＩＮＲの測定値、例えばビットエラーレートやパケットエラーレートの内のどれか１つ及び他のいずれかの周知のパラメータを含む。したがって、例えば、サービス提供アクセスポイントは、最大のＳＩＮＲ測定値に基づいて選択される。次に、アクセス端末１０４は、データ要求メッセージ（ＤＲＣメッセージ）をデータ要求チャネル（ＤＲＣチャネル）上で放送する。ＤＲＣメッセージは、要求されたデータレート又は、代替例では、順方向リンクの品質の表示、例えばＳＩＮＲ測定値、ビットエラーレート、パケットエラーレート及び築地物を含むことが可能である。アクセス端末１０４は、ＤＲＣメッセージを特定のアクセスポイントに対して放送するようにコードを用いて方向付けするが、このコードは特定のアクセスポイントを一意に識別するものである。一般的に、このコードはウオルシュコードを含んでいる。ＤＲＣメッセージの記号は、固有のコードを排他的論理和結合（ＸＯＲ）されている。このＸＯＲ演算は、信号のコードカバリングと呼ばれる。アクセス端末１０４のアクティブ集合中の各々のアクセスポイントは固有のウオルシュコードで識別されるため、アクセス端末１０４が正しいウオルシュコードを用いて実行したのと同じＸＯＲ演算を実行する選択されたアクセスポイントだけがＤＲＣメッセージを正しくデコーディングすることが可能である。
【００３１】
アクセス端末１０４に送信されたデータはアクセスネットワークコントローラ１１０に到達する。その後、アクセスネットワークコントローラ１１０は、そのデータをアクセス端末１０４のアクティブ集合中の全てのアクセスポイントに対してバックホール１１２上で送出する。代替例では、アクセスネットワークコントローラ１１０は、最初に、どのアクセスポイントがアクセス端末１０４によってサービス提供アクセスポイントとして選択されるかを判定し、次に、データをサービス提供アクセスポイントに送出する。データはアクセスポイントのところに列を成して記憶される。呼び出しメッセージが次に１つ以上のアクセスポイントからアクセス端末１０４に対してそれぞれの制御チャネル上で送出される。アクセス端末１０４は、１つ以上の制御チャネル上の信号を復調してデコーディングして、呼び出しメッセージを得る。
【００３２】
順方向リンクの時間間隔毎に、アクセスポイントは、呼び出しメッセージを受信したアクセス端末の内のどれに対するデータ送信をもスケジューリングする。送信をスケジューリングする例示の方法が、本譲受人に譲渡されている「通信システムでリソースを割り当てるシステム」という題名の米国特許第６，２２９，７９５号に記載されている。アクセスポイントは、各々のアクセス端末からのＤＲＣメッセージ中で受信されたレート制御情報を用いて、可能な最高のレートで順方向リンクデータを効率的に送信する。データのレートは変動するため、通信システムは可変レートモードで動作する。アクセスポイントは、データをアクセス端末１０４に送信するデータレートを、アクセス端末１０４から受信したＤＲＣメッセージの最新の値に基づいて決定する。加えて、アクセスポイントは、アクセス端末１０４に対する送信を、そのモバイル局に固有の拡散コードを用いることによって一意に識別する。この拡散コードは長い擬似雑音（ＰＮ）コード、例えば、ＩＳ−８５６規格で定義される拡散コードである。
【００３３】
データパケットの宛先であるアクセス端末１０４は、データパケットを受信してデコーディングする。データパケットはその各々が識別子、例えば、行方不明の又は二重の送信を検出するためにアクセス端末１０４が用いる連続番号と関連している。このような事象では、アクセス端末１０４は、行方不明のデータパケットの連続番号を逆方向リンクデータチャネルを介して通信する。アクセス端末１０４と通信しているアクセスポイントを介してアクセス端末１０４からデータメッセージを受信するアクセスネットワークコントローラ１１０は次に、アクセスポイントに対して、どのデータユニットがアクセス端末１０４によって受信されたかを示す。すると、アクセスポイントはこのようなデータパケットの再送信をスケジューリングする。
【００３４】
可変レートモードで動作しているアクセス端末１０４とアクセスポイント１００間の通信リンクが所定の信頼性レベル未満に劣化すると、アクセス端末１０４は最初に、可変レートモードにある別のアクセスポイントが受け入れ可能なデータレートをサポートすることが可能であるかどうか判定しようとする。アクセス端末１０４がこのようなアクセスポイント（例えば、アクセスポイント１０２）を確認すると、別の通信リンクに至るアクセスポイント１０２が再ポインティグされる。再ポインティングという用語は、アクセス端末のアクティブリストのメンバーであるセクタを選択することであり、ここで、このセクタは現時点で選択されているセクタとは別のセクタである。データの送信は、可変レートモードにあるアクセスポイント１０２から継続される。
【００３５】
通信リンクの上記の劣化は、例えば、アクセス端末１０４がアクセスポイント１００の包括範囲領域からアクセスポイント１０２の包括範囲領域に移動することや、シャドーイングや、フェージングや他の公知の理由によって引き起こされ得る。代替例では、現在用いられている通信リンクより高いスループットレートを達成するアクセス端末１０４と別のアクセスポイント（例えば、アクセスポイント１０２）間の通信リンクが利用可能になると、別の通信リンクに至るアクセスポイント１０２が再ポインティングされ、可変レートモードにあるアクセスポイント１０２からデータが継続して送信される。アクセス端末１０４が可変レートモードで動作して受け入れ可能なデータレートをサポートすることが可能なアクセスポイントの検出に失敗すると、アクセス端末１０４は固定レートモードに遷移する。このようなモードでは、アクセス端末は１つのレートで送信する。
【００３６】
アクセス端末１０４は全てのアクセスポイント候補との通信リンクを可変レートデータモードと固定レートデータモードの双方の場合に対して評価して、最高のスループットを生じるアクセスポイントを選択する。
【００３７】
上記のセクタがもはやアクセス端末１０４のアクティブ集合のメンバーではなければ、アクセスポイント１０４は固定レートモードから可変レートモードに切り替わって戻る。
【００３８】
上記の固定レートモードと固定レートモードに遷移したりこれから遷移したりする関連の方法とは、本譲受人に譲渡された「モバイル無線通信システムにおける可変及び固定の順方向リンクレートの制御の方法と装置（METHOD AND APPARATUS FOR VARIABLE AND FIXED FORWARD LINK RATE CONTROL IN A MOBILE RADIO COMMUNICATION SYSTEM）」という題名の米国出願第６，２０５，１２９号に詳細に開示されているものと類似している。他の固定レートモードと固定レートモードに遷移したりこれから遷移したりする関連の方法とも、本発明の範囲内にあると考察することが可能である。
【００３９】
順方向リンク構造
図２に、順方向リンクの構造２００を示す。以下に説明する持続時間、チップ長及び値範囲は例として与えらただけであり、他の持続時間、チップ長及び値範囲も通信システムの基礎的原理から逸脱することなく用いられることが理解されるであろう。「チップ」という用語は、可能な２つの値を有するコード拡散信号の単位である。
【００４０】
順方向リンク２００はフレームに置き換えて定義される。フレームは１６個のタイムスロット２０２から成る構造体であり、各々のタイムスロット２０２は２０４８チップ長であり、１．６６ｍｓのタイムスロット持続時間に対応しており、その結果、２６．６６ｍｓというフレーム持続時間となる。各々のタイムスロット２０２は２つのハーフタイムスロット２０２ａと２０２ｂに分割され、パイロットバースト２０４ａと２０４ｂは各々のハーフタイムスロット２０２ａと２０２ｂ内で送信される。各々のパイロットバースト２０４ａと２０４ｂは９６チップ長であり、その関連するハーフタイムスロット２０２ａと２０２ｂの中間点のあたりに置かれている。パイロットバースト２０４ａと２０４ｂは、コード、例えば、インデックス０を持つウオルシュコードによってカバーされるパイロットチャネル信号を含んでいる。順方向媒体アクセス制御チャネル（ＭＡＣ）２０６は２つのバーストを形成しており、これは各々のハーフタイムスロット２０２のパイロットバースト２０４の直前と直後に送信される。ＭＡＣは最大で６４個のコードチャネルから成っており、これらのチャネルは６４−アリー(ary)コード、例えば、ウオルシュコードによって直交的にカバーされている。各々のコードチャネルは、１から６４の値を取るＭＡＣインデックスで識別されて、固有の６４−アリーのカバーリングウオルシュコードを識別する。逆方向出力制御チャネル（ＲＰＣ）を用いて、各々の加入者局の逆方向リンク信号の出力を調整する。ＲＰＣは利用可能なＭＡＣの内の１つ、例えば、５から６３までのＭＡＣインデックスを持つＭＡＣに割り当てられる。逆方向アクティビティ（ＲＡ）チャネルを用いて、各々の加入者局のデータの逆方向リンクレートを、逆方向リンクアクティビティ（ＲＡＢ）ストリームを送信することによって調整する。ＲＡチャネルは、利用可能なＭＡＣの内の１つ、例えば、インデックする４のＭＡＣに割り当てられる。順方向リンクトラフィックチャネル又は制御チャネルペイロードは、第１のハーフタイムスロット２０２ａの残余の部分２０８ａと第２のハーフタイムスロット２０２ｂの残余の部分２０８ｂｃで送出される。トラフィックチャネルはユーザデータを搬送し、一方、制御チャネルは制御メッセージを搬送し、さらに、ユーザデータを搬送することもある。制御チャネルは、７６．８ｋｂｐｓ又は３８．４ｋｂｐｓというデータレートで２５６スロット分の期間と定められたサイクルで送信される。トラフィックとも呼ばれるユーザデータという用語は、オーバヘッドデータ以外の情報のことである。オーバヘッドデータという用語は、通信システムにおいてエンティティの動作を可能とする情報、例えば、コール維持用信号、診断・報告情報及び類似物のことである。
【００４１】
パックド承諾チャネルと自動再送信要求
既述したように、通信システムは、ＩＳ−８５６規格に準拠した逆方向リンクを操作しているアクセス端末、すなわち従来式のアクセス端末と、記述の方式に準拠して逆方向リンクを操作しているアクセス端末、すなわち新式アクセス端末との双方をサポートする必要がある。このような操作をサポートするためには、追加のチャネル、すなわち、パケット承諾（ＰＧ）チャネルが順方向リンク上で必要とされる。ＰＧチャネルは、上記のＭＡＣチャネルの内の１つ、例えば、ＲＰＣチャネルの変調方式を二相位相シフトキーイング（ＢＰＳＫ）から直交位相シフトキーイング（ＱＰＳＫ）に変更することによって提供される。逆方向リンクの時間間隔の第２の部分はたった１つのアクセス端末の専用である（以下を参照）場合、たった１つのＰＧチャネル、すなわち一次ＰＧチャネルしか、必要としない。
【００４２】
出力制御コマンドは、あるアクセス端末に割り当てられたＲＰＣチャネルの同相ブランチ上で変調される。出力制御コマンド情報は二進法であり、ここで、出力制御ビットが第１の値（「ｕｐ」）であれば、アクセス端末は自身の送信出力を、第１の所定の分量だけ増加させるように指令され、出力制御ビットが第２の値（「ｄｏｗｎ」）であれば、アクセス端末は自身の送信出力を、第２の所定の分量だけ減少させるように指令される。図３に示すように、「ｕｐ」コマンドは＋１として表され、「ｄｏｗｎ」コマンドは−１として表される。しかしながら、他の値を用いてもよい。
【００４３】
一次ＰＧチャネルはアクセス端末に割り当てられたＲＰＣチャネルの直行ブランチ上で送信される。一次ＰＧチャネル上で送信される情報は三進法の情報である。図３に示すように、第１の値は＋１として表され、第２の値は０として表され、第３の値は−１として表される。この情報はアクセスポイントとアクセス端末の双方に対して次の意味を有する。
【００４４】
＋１は、新しいパケットを送信する許可が承諾されたことを意味し、
０は、パケットを送信する許可が承諾されなかったことを意味し、
−１は、以前に送信されたパケットを送信する（再送信）許可が承諾されたことを意味する。
【００４５】
それによって情報値０を送信するには信号エネルギをまったく必要としない上記の信号報知によって、アクセスポイントは、パケットを送信する指示を送信する場合にだけ、一次ＰＧチャネルにエネルギを割り当てることが許容される。たった１つ又は少数のアクセス端末しかある時間間隔で逆方向リンク上で送信する許可を承諾されないため、一次ＰＧチャネルは、逆方向リンク送信情報を提供するためにはほとんど出力を必要としない。その結果、出力の割り当てが不当に混乱することなく、全てのアクセス端末のところで一次ＰＧチャネルを信頼性高く受信することを保証するに十分な出力を、一次ＰＧチャネルに割り当てることが可能である。その結果、ＲＰＣ出力割り当て方法に対する影響が最小化される。ＲＰＣ出力割り当て方法が、例えば、双方共本譲受人に譲渡されている２０００年９月２５日に提出された「基地局チャネルに出力を割り当てる方法と装置（Methods and apparatus for allocation of power to base station channels）」という題名の同時係属米国特許出願第０９／６６９，９５０号と２００２年１０月０２日に提出された「セルラーネットワーク上での出力制御ビットに対する出力割り当て（Power Allocation for Power Control Bits in a Cellular Network）」という題名の同時係属米国特許出願第１０／２６３，９７６号に開示されている。さらに、アクセス端末は、アクセス端末がデータ送信要求に続いて応答を期待しているばあいにだけ、又は、アクセス端末がペンディングのデータ送信を有している場合にだけ、直角ストリームに対する三進法の判定を実行する必要がある。しかしながら、この三進法の値の選択は設計上の選択であり、上記の値以外の値を代わりに用いてもよいことが理解されるであろう。
【００４６】
アクセス端末は、アクセス端末のアクティブ集合中の全てのアクセスポイントからＲＰＣ／一次ＰＧチャネルを受信して変調する。その結果、アクセス端末は、アクセス端末のアクティブ集合中の全てのアクセスポイント向けのＲＰＣ／一次ＰＧチャネルの直角ブランチ上で伝達された一次ＰＧチャネル情報を受信する。アクセス端末は、受信した一次ＰＧチャネル情報のエネルギを１つの更新時間間隔でフィルタリングして、このフィルタリングされたエネルギを閾値の集合と比較する。この閾値を適切に選択することによって、送信許可が承諾されなかったアクセス端末は一次ＰＧチャネル値を０であると高い確率でもってデコーディングする。
【００４７】
一次ＰＧチャネル上で伝達された情報はさらに、自動再送信要求のための手段として用いられる。
【００４８】
アクセス端末からのパケットの逆方向リンク送信がサービス提供アクセスポイントによって受信中である場合、このサービス提供アクセスポイントは、アクセス端末から以前のパケットが正しく受信された場合にはパケットを送信するようにとのアクセス端末の要求に対する応答として新しいパケットを送信する許可を生成して送信する。この場合、一次ＰＧチャネル上のこのような情報は肯定応答（ＡＣＫ）として働く。サービス提供アクセスポイントは、アクセス端末からの以前のパケットが間違って受信されている場合には、アクセス端末のパケット送信要求に対する応答としてこの以前のパケットを再送信する許可を生成して送信する。一次ＰＧチャネル上のこのような情報は否定応答（ＮＡＣＫ）として働く。したがって、ＡＣＫ／ＮＡＣＫチャネルを別個に備える必要はない。
【００４９】
代替例では、アクセス端末からのパケットの逆方向リンク送信は、複数のアクセスポイントで受信される。
【００５０】
サービスを提供していないアクセスポイントが送信しているアクセス端末から逆方向リンクを受信してデコーディングすると、このサービスを提供していないアクセスポイントは、ユーザデータが成功裏にデコーディングされたかどうかを示す情報をサービス提供側アクセスポイントに提供する。すると、サービス提供側アクセスポイントは、一次ＰＧチャネル上でＡＣＫ／ＮＡＣＫをアクセス端末に送出する。
【００５１】
代替例では、ペイロード情報を受信したアクセスポイントはペイロード情報を集中したエンティティに送出して、ソフト判定デコーディングを実行するようにさせる。すると、この集中エンティティはペイロードデコーディングが成功したかどうかをサービス提供側アクセスポイントに通知する。すると、サービス提供側アクセスポイントは、ＡＣＫ／ＮＡＣＫを一次ＰＧチャネル上でアクセス端末に送出する。
【００５２】
代替例では、逆方向リンクをデコーディングすると、サービスを提供していないアクセスポイントは同時にＡＣＫ／ＮＡＣＫをアクセス端末に対して一次ＰＧチャネル上で送出する。したがって、アクセス端末が矛盾する情報を一次ＰＧチャネルを介して受信することがありえるが、それは、一部のアクセスポイントがアクセス端末の送信を正しく受信することに失敗したためや、一次ＰＧチャネル上の情報が消去されたもしくは間違って受信されたためや、又はその他の理由のためである。その結果、一次ＰＧチャネル上での逆方向リンク送信に対する応答として送信された情報は、サービス提供している又はしていないアクセスポイントによって送信されると異なって解釈される。どのアクセスポイントがアクセス端末の送信を受信したかは、アクセスネットワークから見ればどうでもよいことであるため、アクセス端末は、一次ＰＧチャネル上で情報をいずれかのアクセスポイントからのＡＣＫであると解釈して受信すると、サービス提供側アクセス端末が以前に送信されたパケットを再送信する許可を送出しているとはいえ、新たなパケットを次に送信が承諾された際に送信する。
【００５３】
アクセス端末は、一次ＰＧチャネル上でサービス提供側アクセスポイントから受信した三進法判定と一次ＰＧチャネル上であるアクセスポイントから受信した二進法判定を実施するため、アクセス端末は、三進法判定と二進法判定とでは異なった閾値を用いる。
【００５４】
逆方向リンク時間間隔の第２の部分は１つのアクセス端末だけの専用である場合（以下を参照）、上記のＰＧチャネルは満足する情報を提供する。しかしながら、逆方向リンク時間間隔の第２の部分が複数のアクセス端末の専用である場合、追加の情報、すなわち、複数のアクセス端末の内でどのアクセス端末が送信許可を得、逆方向リンク時間間隔の第２の部分のどの再分割部分で送信することになっているかということ。このような情報は補足のＰＧチャネル上で提供される。
【００５５】
補足ＰＧチャネルの構造は上記のＰＧチャネルと正確に同じであるが、例外は、補足ＰＧチャネルのＭＡＣインデックスが異なっていることである。図３を再度参照すると、補足ＰＧチャネル情報は、同相ブランチと直角ブランチの双方で通信される。この情報はＰＧチャネルから獲得された情報を一緒に次のように解釈される。
【００５６】
・ＰＧチャネルからアクセス端末に対して、パケットを送信する許可が承諾されなかったことが知らされると、補足ＰＧチャネル情報は無視される。
【００５７】
・ＰＧチャネルからアクセス端末に対して、新たなパケットを送信する許可又は以前に送信されたパケットを送信する（再送信）許可が承諾されたことが知らされると、
０であれば、アクセス端末が逆方向リンク時間間隔の第２の部分を全て用いることになっており、
それ以外の４つの値の内のいずれかであれば、逆方向リンク時間間隔の第２の部分の４つの再分割部分の内のいずれかを示す。
【００５８】
したがって、上記の信号報知では、逆方向リンク時間間隔の第２の部分の４つの再分割部分をサポートすることが可能である。それ以上の再分割部分が必要とされる場合、さらなる補足ＰＧチャネルが追加される。
【００５９】
ＰＧチャネル、すなわち、ＭＡＣインデックスは、アクセス端末が通信システムにアクセスすると、そのアクセス端末に割り当てられる。代替例では、ＰＧチャネルはアクセス端末に割り当てられ、また、補足ＰＧチャネルはアクセス端末によって、そのＰＧチャネルのＭＡＣインデックスに基づいて、すなわち、所定のオフセットをそのＰＧチャネルに付加することによって判定される。
【００６０】
逆方向アクティビティチャネル
上述したように、ＩＳ−８５６規格に準拠した通信システムは逆方向アクティビティチャネルを用いて、逆方向リンクアクティビティビット（ＲＡＢ）ストリームを送信することによって各々の加入者局に対するデータの逆方向リンクレートを調整する。ＴＤＭＡ目的で指定された時間間隔で送信している新式端末だけが通信システム中で動作している限りはこの逆方向アクティビティチャネルで十分である。しかしながら、従来式アクセス端末とＴＤＭＡ目的で指定された時間間隔で送信している新式端末との双方をサポートするには、順方向リンク上での追加のチャネルが必要とされる。
【００６１】
ＴＤＭＡ目的で指定された時間間隔で送信している新式アクセス端末用の逆方向リンクデータレートをサポートするには、逆方向リンクアクティビティチャネルが、データレートを調整し、２ビット以上を必要とする値の送信をサポートする必要がある。順方向リンクの設計を不当に変更することは好ましくないため、追加の逆方向アクティビティチャネルは従来式逆方向アクティビティチャネルと同じ構造を有しているが、異なったＭＡＣインデックスを割り当てられる。このような逆方向アクティビティチャネルは１ビットの送信しかサポートしていないため、マルチビットの値は逆方向アクティビティチャネルの複数の送信インスタンス上で送信される。
【００６２】
上記の順方向リンク２００は、ＩＳ−８５６規格に準拠した通信システムの順方向リンクの修正物である。この修正物は順方向リンク構造に対して及ぼす影響は最小であると信じられており、その結果、ＩＳ−８５６規格に対する変更も最小である。しかしながら、この教示は別の順方向リンク構造に対しても適用可能であることが理解されるであろう。したがって、例えば、上記の順方向リンクチャネルは、逐次にではなく同時に送信される。加えて、このようなリンクの代わりに、ＰＧチャネル、補足ＰＧチャネル及びＲＡチャネル、例えば、別個のＰＧチャネルやＡＣＫ／ＮＡＣＫコードチャネル、従来式のＲＡチャネルとは異なった新しいＲＡチャネル上で提供される情報の通信を可能とする限りどの順方向リンク構造を用いてもよい。
【００６３】
逆方向リンク
上述したように、データ転送の品質と有効性は、ソース端末と宛先端末間のチャネルの状態によって異なる。チャネルの状態は、干渉と経路損失とに依存するが、その双方が時間変動する。したがって、逆方向リンクの性能は干渉を軽減する方法によって向上する。逆方向リンク上では、アクセスネットワーク上の全てのアクセス端末が、同じ周波数（１つの周波数再使用集合）で同時に送信するか又は、アクセスネットワーク上の複数のアクセス端末が同じ周波数（２つ以上の周波数再使用集合）上で同時に送信する。ここに記載する逆方向リンクはどの周波数再使用でも利用しえることに注意すべきである。したがって、どのアクセス端末の逆方向リンク送信も、複数の干渉源に晒される。最も強力な干渉源は以下のとおりである。
【００６４】
・同じセルと他のセルの双方中の他のアクセス端末からの符号分割多重オーバヘッドチャネルの送信と、
・同じセル中のアクセス端末による符号分割多重ユーザデータの送信と、
・他のセルからのアクセス端末による符号分割多重ユーザデータの送信。
【００６５】
符号分割多重アクセス（ＣＤＭＡ）通信システムにおける逆方向リンクの性能の研究によれば、同じセルの干渉を解消すると、データ転送の品質と有効性がかなり向上することが示されている。ＣＤＭＡを用いている通信システム、すなわち、ＩＳ−８５６規格による通信システムにおける同じセルからの干渉は、逆方向リンク上同時に送信するアクセス端末の数を制限することによって軽減される。
【００６６】
２つの動作モード、すなわち、同時に送信するアクセス端末の数を制限するモードと同時に送信することを全てのアクセス端末に対して許容するモードとが存在するため、アクセスネットワークは、アクセス端末に対してどのモードが用いられるかを示す必要がある。この指示はアクセス端末に対して、周期的な時間間隔で、すなわち、順方向リンクチャネルの所定の部分で、例えば、全ての制御チャネルサイクルで通信される。代替例では、この指示は、順方向リンクチャネル、例えば、逆方向出力制御チャネルにおいて放送メッセージが変更されたときにだけ、アクセス端末に対して通信される。
【００６７】
上記のパックド承諾順方向リンクチャネルは、制限モードで操作しているときには、送信許可を要求しているアクセス端末に対する送信に対して許可又は拒否を与えるために利用される。
【００６８】
同じセルによる干渉もまた、逆方向リンクの時間分割多重トラフィックチャネルとオーバヘッドチャネルとによって、また、送信を要求しているアクセス端末の内のどれが、ユーザデータ又はトラフィックを逆方向リンク時間間隔で、例えば、フレームや、タイムスロットや、通信システムでサポートされている他のいずれかの時間間隔で送信することを許可されているかをスケジューリングすることによって軽減される。このスケジューリングでは、アクセスネットワーク全体が考慮され、また、集中エンティティ、例えば、アクセスネットワークコントローラ１１０によって実行される。このようなスケジューリング方法によって、セルの隣り合ったセクタで送信している端末による干渉を最小化される。代替例では、このスケジューリングでは、たった１つのアクセスポイントから成るアクセスネットワークの一部が考慮され、集中エンティティと分散エンティティ、例えば、アクセスポイントコントローラのどちらでも実行可能である。このようなスケジューリング方法では、同じセルからの干渉しか軽減されない。さらに、上記２つの方法を組み合わせて用いられることもあるが、この場合、ネットワーク全体ではないがいくつかのアクセスポイントは１つのエンティティによってスケジューリングされる。
【００６９】
ある時間間隔で送信することを許容されるアクセス端末の数は逆方向リンク上での干渉に、したがって、逆方向リンク上でのサービス品質（ＱｏＳ）に影響を及ぼすことが理解されるであろう。したがって、送信許可を与えられているアクセス端末の数は設計上の判断基準となる。その結果、このような数は、変化する状況及び／又はＱｏＳに対する要件に準拠したスケジューリング方法によって調整することが可能である。
【００７０】
他のセルからの干渉を軽減することによってさらなる向上が達成される。ユーザデータ送信中の他のセルからの干渉は、好機に送信することや、マルチセクタセル内での各々のアクセス端末の最大送信出力とユーザデータレートを制御することによって軽減される。「適宜送信」（及びマルチユーザダイバーシティ）とは、所定の好機閾値を超えている時間間隔でアクセス端末の送信をスケジューリングすることを暗に意味する。ある時間間隔は、その時間間隔における逆方向リンクチャネルの瞬時的品質測定基準や、その逆方向リンクチャネルの平均品質測定基準や、ユーザ同士の区別化を可能とする機能（以下に説明するような焦燥関数など）にしたがって決定された測定基準が好機閾値を越えると好機であると見なされる。この方法によって、アクセス端末は、ユーザデータをより低い送信出力で送信したり及び／又はより少ない時間間隔でパケット送信を完了したりすることが可能となる。低い送信出力及び／又は少ない時間間隔でのパケット送信の完了の結果、マルチセクタセルのセクタ中の送信中のアクセス端末からの干渉が軽減され、したがって、全体的な他のセルからの隣接するセルのアクセス端末に対する干渉が軽減される。代替例では、平均的なチャネル状況より状況が良好であると、端末は、利用可能な出力を利用して、より高いデータレートで送信し、それで、非好機な送信時間間隔中で同じ利用可能な出力を利用してより低いデータレートで送信することによってアクセス端末がもたらすのと同じ干渉を他のセルに対して及ぼすことが可能である。
【００７１】
逆方向リンクチャネル上での干渉の軽減に加えて、経路損失と経路損失の変動とをマルチユーザダイバーシティで利用すると、スループットが向上する。「マルチユーザダイバーシティ」とは、例えば、ロケーションが異なればシャドーイングとフェージングも時間の関数として異なることによってアクセス端末同士間でチャネルの状況が多様化するために発生するものである。ユーザ端末同士間でのこのチャネル状況の多様性によって、あるアクセス端末のチャネル状況がより低い又は高いデータレートでの送信を許容するための所定の判断基準を満足する時間間隔におけるこのアクセス端末の送信をスケジューリングし、これで、逆方向リンク送信のスペクトル効率を改善することが可能となる。このような判断基準には、あるアクセス端末の逆方向リンクチャネルの平均品質測定基準に関してより良好であるこのアクセス端末の逆方向リンクチャネルの品質測定基準を含む。
【００７２】
スケジューラの設計を用いて、アクセス端末のＱｏＳを制御する。したがって、例えば、スケジューラをアクセス端末のサブ集合に向けてバイアスさせることによって、このサブ集合に送信の優先度が与えられるが、しかし、これらの端末のよって報告される好機はこのサブ集合には属さない端末によって報告される好機より低い。以下に説明する焦燥関数を用いることによって同様の効果が達成されることが理解されるであろう。サブ集合という用語は、そのメンバーが別の集合のメンバーの内の少なくとも１つから全部に至るまでを含む集合である。
【００７３】
好機的送信方法を用いることによっても、送信されたパケットはアクセスポイントで誤って受信されたり及び／又は消去されたりする。消去という用語は、必要とされる信頼性を備えたメッセージの内容の判定に失敗することである。この間違って受信するという現象は、他のセルによる干渉のため、アクセス端末の逆方向リンクチャネルの品質測定基準を正確に予測することをこのアクセス端末ができないことから発生する。他のセルからの干渉は、別のマルチセクタセルに属すセクタからのアクセス端末の送信が非同期で、短くそして無相関である通信システム中で定量化することが難しい。
【００７４】
不正確な推定を減少させて、干渉を平均化するため、自動再送信要求（ＡＲＱ）方法がしばしば用いられる。ＡＲＱ方法は、物理層又はリンクで行方不明の又は間違って受信されたパケットを検出して、これらのパケットを送信端末から再送信することを要求するものである。
【００７５】
層化とは、別様にデカップリングされた処理エンティティ、すなわち、層同士間の良好に定められた封入データ単位に通信プロトコルを組織化する方法である。プロトコル層は、アクセス端末とアクセスポイントの双方で実現される。開放型システム相互接続（ＯＳＩ）モデルによれば、プロトコル層Ｌ１は基地局と遠隔局間での無線信号の送信と受信とのためのものであり、層Ｌ２は信号報知メッセージの正確な送信と受信とのためのものであり、層Ｌ３は通信システムのための制御メッセージ通知のためのものである。層Ｌ３は、アクセス端末とアクセスポイント間での通信プロトコルの意味論とタイミングにしたがって信号報知メッセージを発信させたり終了させたりする。
【００７６】
ＩＳ−８５６通信システムでは、エアーインタフェース信号報知層Ｌ１は物理層と呼ばれ、Ｌ２はリンクアクセス制御（ＬＡＣ）層又は媒体アクセス制御（ＭＡＣ）層と呼ばれ、Ｌ３は信号報知層と呼ばれる。信号報知層より上にはさらに層があり、これはＯＳＩモデルによればＬ４からＬ７まで番号を付けられ、輸送層、セッション層、提示層及びアプリケーション層と呼ばれる。物理層ＡＲＱは、本譲受人に譲渡され、２０００年４月１４日に提出された「通信システムにおける迅速な信号の再送信の方法と装置」という題名の米国特許出願第０９／５４９，０１７号に開示されている。リンク層ＡＲＱ方法の例として、無線リンクプロトコル（ＲＬＰ）がある。ＲＬＰは否定応答（ＮＡＫ）ベースのＡＲＱプロトコルとして知られる誤り制御プロトコルのクラスである。このようなＲＬＰの１つが、以降ＲＬＰ２と呼ばれる、「スペクトル拡散システムのためのデータサービスオプション：無線リンクプロトコルタイプ２」という題名のＴＩＡ／ＥＩＡ／ＩＳ−７０７−Ａ．８に記載されている。オリジナルのパケットと再送信されたパケット双方の送信が好機の送信である。
【００７７】
逆方向リンク送信
従来式アクセス端末からの逆方向リンク送信では、符号分割多重アクセス方式（ＣＤＭＡ）、例えば、ＩＳ−８５６規格に準拠したＣＤＭＡ方式が利用される。
【００７８】
新式のアクセス端末では、通信システムによって可能とされるオプションに準拠した逆方向リンクチャネルの多重アクセス方法がいくつか利用される。第１に、新式のアクセス端末は、従来式端末によって用いられるＣＤＭＡ、例えば、ＩＳ−８５６規格に準拠したＣＤＭＡを利用する。
【００７９】
加えて、通信システムは、主として時分割多重アクセス方式（ＴＤＭＡ）のための逆方向リンク動作を可能とする。このような動作は、逆方向リンクを複数の時間間隔に分割し、これら時間間隔の各々をＣＤＭＡ又はＴＤＭＡと関連付けることによって可能とされる。アクセスネットワーク上の制御エンティティ、例えば、アクセスネットワークコントローラ１１０は、ＣＤＭＡやＴＤＭＡの時間間隔のシーケンスの割り当てを判定して指定する。この判定は、特定のアクセス端末の逆方向リンク状態と、従来式端末の数及びアクティビティと、通信システムの他の設計上の判断基準とにしたがってなされる。逆方向リンクの状態は、ＤＲＣチャネルの消去レートに基づいて確認される。設計上の判断基準には、例えば、特定のアクセス端末のハンドオフ状態、逆方向リンクのローディング及び当業者には周知の他の判断基準が含まれる。その配布物には、多重アクセス方法の内の１つに関連した時間間隔だけしか含まれないことが明らかである。
【００８０】
次に、アクセスネットワーク上の制御エンティティが、配布物をアクセスネットワークの全てのアクセス端末に通信することによって、割り当てについてアクセス端末に通知する。代替例では、この割り当ては、新式アクセス端末に対してだけ通信される。この割り当ては、周期的な時間期間、すなわち、順方向リンクチャネルの所定の部分で、例えば、制御チャネル毎に通信される。代替例では、この割り当ては、順方向リンクチャネル、例えば、制御チャネルの中で放送メッセージによる変更があった場合にだけアクセス端末に通信される。このメッセージ中のビット（インジケータのビット）の数は、互いに異なったシーケンスの数によって異なる。
【００８１】
この新式アクセス端末は割り当て情報を受信して、ＣＤＭＡ動作とＴＤＭＡ動作のどちらを自発的に選ぶかの選択権を与えられていない場合、この割り当て情報に指定されている多重アクセスを入力する。アクセス端末がＣＤＭＡ動作とＴＤＭＡ動作のどちらを選ぶかの選択権を与えられている場合、前記の新式アクセス端末は自発的に通信システムの設計判断基準にしたがって判定する。このような判断基準には、例えば、パワーアンプヘッドルーム、順方向リンク品質測定基準、新式アクセス端末のハンドオフ状態、逆方向リンク品質測定基準、送信されるデータ量、焦燥関数値、ＱｏＳ要件及び他の周知の設計判断基準がある。したがって、例えば、閾値を超えるデータレートでの逆方向リンク送信を可能とするリンク予算を持つ新式アクセス端末はＴＤＭＡを利用するか、そうでなければ、この新式アクセス端末はＣＤＭＡを利用する。さらに、ＴＤＭＡを利用することが可能であるがデータパケットサイズが小さすぎて高データレートが不可能な新式アクセス端末は、ＣＤＭＡを選択する。加えて、ＡＴは低レーテンシ応用分野用にＣＤＭＡを選択する。
【００８２】
逆方向リンクチャネル
上記したように、従来式アクセス端末はＩＳ−８５６規格にしたがって動作し、その結果、従来式端末用の逆方向リンク波形はＩＳ−８５６規格の逆方向リンクと同一であり、ここでは詳述しない。
【００８３】
加えて、符号分割アクセス、例えば、ＩＳ−８５６規格に準拠したＣＤＭＡを利用する新式アクセス端末のそれは、ＩＳ−８５６の逆方向リンク波形と同じ逆方向リンク波形を利用する。
【００８４】
ＴＤＭＡ時間間隔で動作する新式アクセス端末の例示の逆方向リンク波形を図４Ａから４Ｃに示す。以下に記載する持続時間、チップ長、値範囲は例示目的のみであり、他の持続時間、チップ長、値範囲も、通信システムの基礎的原理から逸脱することなく用いられることが理解されるであろう。
【００８５】
逆方向リンク４００は、時間間隔４０２に置き換えて定義される。時間間隔とは、所定の数のタイムスロット４０４から成る構造である。図４Ａに示すように、時間間隔はｍ個のタイムスロットから成っているが、タイムスロットの数は設計上の判定事項であり、その結果、どの数のスロットでも時間間隔を構成しえる。各々のタイムスロット４０４（１）、．．．，４０４（ｍ）は２つの部分４０６と４０８に分割される。第１の部分４０６はオーバヘッドチャネル４１２−４１８と追加のオーバヘッドチャネル４２０が付随するオプションとしてのトラフィックチャネルとから成っている。
【００８６】
逆方向リンクオーバヘッドチャネルは、パイロットチャネル（ＰＣ）４１２と、データ要求チャネル（ＤＲＣ）４１４と、肯定応答チャネル（ＡＣＫ）４１６と、パケット要求チャネル（ＰＲ）４１８とから成っている。オプションとして、まとめて参照番号４２０で示す逆方向レート表示チャネル（ＲＲＩ）が付随したトラフィックチャネルもまた、第１の部分４０６に含まれる。
【００８７】
第２の部分４０８はさらに再分割部分４１０に分割され、その各々４０６がトラフィックチャネルを搬送し、アクセス端末の逆方向レート表示チャネル（ＲＩＩ）４０２に付随している。図４Ａに示すように、第１のタイムスロット４０４（１）の第２の部分４０８（１）中にはｎ個の再分割部分４１０があり、その結果、互いに異なったｎ個のアクセス端末が時間間隔４０４（１）の第２の部分４０８（１）で送信するが、ｍ番目のタイムスロット４０４（ｍ）の第２の部分４０８（ｍ）中にはｌ個の再分割分４１０があり、その結果、互いに異なったｎ個のアクセス端末が時間間隔４０４（ｍ）の第２の部分４０８（ｍ）で送信する。スケジューラの設計に準拠したアクセスネットワークでは、再分割部分４１０の数が変化する。１つの再分割部分とは、時間間隔の第２の部分全体が１つのアクセス端末によって使用されることを意味する。再分割部分４１０で提供される追加のトラフィックチャネルと付随するＲＲＩチャネルでは、ＴＤＭ、ＯＦＤＭ、ＣＤＭ又は他のいずれかの多重方式が利用される。
【００８８】
図４Ｂに具体的なＴＤＭＡの時間間隔４０２を示す。ＴＤＭＡ時間間隔は１つのタイムスロット４０４から成る。タイムスロット４０４は２０４８チップ長であり、これは、１．６６ｍｓのタイムスロットの持続時間に対応している。タイムスロット４０４は各々が２つの部分４０６と４０８に分割されており、その各々の部分がハーフタイムスロットに等しい。第２の部分４０８はさらに再分割されることはなく、第２の部分４０８は１番目の再分割部分４１０に対応している。
【００８９】
上述したオーバヘッドチャネルは、さまざまなコードによって、例えば、さまざまなウオルシュコードによってカバーされて第１の部分４０６中に組織化されることによって区別される。逆方向レート表示チャネル（ＲＲＩ）が付随していて、参照番号４２０でまとめて示されるオプションとしてのトラフィックチャネルもまた、第１の部分４０６に含まれる。ＲＲＩはトラフィックチャネル中にパンクチャ（ｐｕｎｃｔｕｒｅ）され、その結果得られる構造４２０はオーバヘッドチャネルと、さまざまなコードによって、例えば、さまざまなウオルシュコードによってカバーされることによって区別される。その結果、トラフィックチャネルとＲＲＩチャネル４２０はＣＤＭトラフィックチャネルと呼ばれ、それぞれはＣＤＭ／ＲＲＩチャネルと呼ばれる。代替例では、（図示しない）ＲＲＩチャネルはＣＤＭトラフィック中にパンクチャされることはない。その結果、ＣＤＭトラフィックチャネルとＲＲＩチャネルは、各々が固有のコードによってカバーされることによって区別される。
【００９０】
追加のトラフィックチャネル４２２（Ｔ）と付随する逆方向レート表示チャネル（ＲＲＩ）４２２（ＲＲＩ）とは、第２のハーフタイムスロット４０８中に提供される。図４Ｂに示すように、トラフィックチャネル４２２（Ｔ）と付随するＲＲＩチャネル（ＲＲＩ）４２２（ＲＲＩ）とは、時分割多重化され、ＴＤＭトラフィックチャネルと呼ばれ、それぞれはＴＤＭ／ＲＲＩチャネルと呼ばれる。
【００９１】
図示しないが、第２のハーフタイムスロット４０８中に提供される追加のトラフィックチャネルと付随するＲＲＩチャネルとは、ＯＦＤＭ、ＣＤＭ又は他のいずれかの変調方式（図示せず）を利用する。加えて、以下に説明するように、第２のハーフタイムスロット４０８中に提供される追加のトラフィックチャネルと付随するＲＲＩチャネルとは、データレートしだいでさまざまな多重化方式、例えば、ＴＤＭやＯＦＤＭなどを利用する。
【００９２】
図４ＣにＴＤＭＡ時間間隔で動作するが、第２のハーフタイムスロット４０８中ではデータを何も搬送しないアクセス端末の逆方向リンク波形を示す。図示するように、オーバヘッドチャネル４０６−４１８とオプションのＣＤＭトラフィックチャネル／ＣＤＭ ＲＲＩチャネル４２０とは、それでも第１のハーフタイムスロット４０６中で送信され、第２のハーフタイムスロット４０８ではエネルギは伝達されない。
【００９３】
その結果、ユーザデータをＴＤＭＡ用の時間間隔中に構築するため、新式アクセス端末は、ユーザデータをこのような時間間隔で多重化する互いに異なった次の３つのプロトコル（モード）を利用する。
【００９４】
・ユーザデータを時間間隔の第１の部分中に符号分割多重化方式（ＣＤＭ）を用いて構築する、
・ユーザデータを時間間隔の第２の部分中に時分割多重化方式（ＴＤＭ）又は直交周波数分割多重化方式（ＯＦＤＭ）を用いて構築する、
・ユーザデータをＣＤＭを用いて時間間隔の第１のデータ部分とこの時間間隔の第２の部分の中にＴＤＭ／ＯＦＤＭを用いて構築する。
【００９５】
図４Ｄに、ＣＤＭＡ時間間隔中で動作し、ハーフタイムスロット４０６と４０８の双方中でＣＤＭユーザデータを搬送する新式アクセス端末の場合の逆方向リンク波形を示す。図示するように、オーバヘッドチャネル４１２−４１８とオプションのＣＤＭトラフィックチャネル／ＣＤＭ ＲＲＩチャネル４２０とは、第１のハーフタイムスロット４０６間に送信される。追加のＣＤＭチャネル４２２は第２のハーフタイムスロット４０８中で送信される。
【００９６】
図４Ｄには図示しないが、新式アクセス端末はＣＤＭトラフィックチャネルを利用する、すなわち、ユーザデータをＣＤＭＡ用の時間間隔中にＣＤＭを用いて、
・ユーザデータを時間間隔の第１の部分４０６中に構築し、
・ユーザデータを時間間隔の第２の部分４０８中に構築し、
・ユーザデータを第１の部分４０６と第２の部分４０８の双方中に構築する、
ことによって構築する。
【００９７】
タイムスロットのＣＤＭ部分とＴＤＭ／ＯＦＤＭ部分中で送信されるデータは、同じ情報コンテンツに関するデータ、例えば、ビデオを含んでいる。加えて、ベースビデオがタイムスロットのＣＤＭ部分中で送信され、エンハンストビデオがタイムスロットのＴＤＭ／ＯＦＤＭ部分中で送信され、その結果、端末がタイムスロットの第２の部分間に送信不可能な場合でさえも容認可能なビデオが受信される。代替例では、各々の半分が互いに異なった情報コンテンツに関するデータを含んでいる。したがって、例えば、音声データはタイムスロットのＣＤＭ部分で送信され、ビデオはタイムスロットのＴＤＭ／ＯＦＤＭ部分中で送信される。
【００９８】
パイロットチャネル
一実施形態では、パイロットチャネル４１２を用いて逆方向リンクチャネルの品質を推定する。加えて、パイロットチャネル４１２を用いて、第１のハーフタイムスロット４０６で送信されたチャネルのコヒーレント復調を実施する。パイロットチャネル４１２は、二進法値「０」を持つ未変調記号を含む。図５を参照すると、未変調記号がブロック５１０（１）に提供され、このブロックがこの二進法記号を、選択された変調タイプに従って変調記号上にマッピングする。例えば、この選択された変調タイプが二相位相シフトキーイング（ＢＰＳＫ）であれば、二進法記号値「０」は変調記号値＋１にマッピングされ、二進法記号値「１」は変調記号値−１にマッピングされる。マッピング記号はブロック５１０（４）で、ブロック５１０（２）によって生成されたウオルシュ関数でカバーされる。次にウオルシュカバード記号が提供されてさらに処理される。
【００９９】
データ要求チャネル
データ要求チャネル４１４をアクセス端末が用いて、アクセスネットワークに対して、選択されたサービス提供セクタと要求されたデータレートを順方向トラフィックチャネル上で示す。この要求された順方向トラフィックチャネルデータレートは、例えば、４ビットのＤＲＣ値を含む。図５を参照すると、ＤＲＣ値がブロック５０６（２）に提供され、このブロックはこの４ビットのＤＲＣ値をエンコーディングして、双直交性コードワードを発生する。このＤＲＣコードワードはブロック５０６（４）に提供され、このブロックはこのコードワードの各々を２回繰り返す。繰り返されたコードワードはブロック５０６（６）に提供され、このブロックはこの二進法記号を、選択された変調タイプにしたがって変調記号上にマッピングする。マッピングされたこの記号はブロック５０６（８）に提供され、このブロックは各々の記号をコード、例えば、ブロック５０６（１０）によって生成されたウオルシュコードで、インデックスｉで識別されるＤＲＣカバーにしたがってカバーする。次に、結果として得られる各々のウオルシュチップがブロック５０６（１２）に提供され、ここで、このウオルシュチップは別のコード、例えば、ブロック５０４（１４）によって生成された別のウオルシュコードでカバーされる。このウオルシュカバード記号は次にさらに処理されるように出力される。
【０１００】
ＡＣＫチャネル
ＡＣＫチャネル４１６をアクセス端末が用いて、順方向トラフィックチャネル上送信されたユーザデータが成功裏に受信されたかどうかアクセスネットワークに報知する。このアクセス端末は、このアクセス端末宛の検出されたプリアンブルと関連する全ての順方向トラフィックチャネル時間間隔に応答してＡＣＫチャネルビットを送信する。このＡＣＫチャネルビットは、順方向トラフィックチャネルパケットが成功裏に受信された場合には＋１（ＡＣＫ）に設定され、そうでなければ、ＡＣＫチャネルビットは−１（ＮＡＫ）に設定される。送信されたユーザデータを保護しているＣＲＣがデコーディングされたユーザデータに基づいて計算されたＣＲＣと同じであれば、順方向トラフィックチャネルのユーザデータは成功裏に受信されたものと見なされる。図５を参照すると、ＡＣＫチャネルビットはブロック５０８（２）で繰り返されて、ブロック５０８（４）に提供される。ブロック５０８（４）はこの二進法記号を、選択された変調タイプに従って変調記号上にマッピングする。このマッピングされた記号は次にブロック５０８（６）に提供され、このブロックは、ブロック５０８（８）によって生成されたウオルシュコードで各々の記号をカバーする。このウオルシュカバード記号は次にさらに処理されるように出力される。
【０１０１】
パケット準備完了チャネル
送信を希望するアクセス端末はその各々が、送信されるユーザデータが将来の時間間隔において入手可能である及び／又は将来の時間間隔での送信が好機であることをサービスを提供するセクタに対して示す。時間間隔は、逆方向リンクチャネルの瞬時的な品質測定基準が、通信システムの設計しだいでさらなる要因にしたがって決定された好機レベルで修正されたその逆方向リンクチャネルの平均品質測定基準を上回れば好機であると見なされる。
【０１０２】
逆方向リンクの品質測定基準（quality metric）は、逆方向パイロットチャネル、例えば、次の式（１）にしたがって決定される。
【数１】
2010213295.tif 000003
【０１０３】
ここで、Ｔｘ Ｐｉｌｏｔ（ｎ）は、パイロットチャネルがｎ番目の時間間隔で送信される際の出力であり、
Ｆｉｌｔ Ｔｘ Ｐｉｌｏｔ（ｎ）は、ｎ番目の時間間隔で評価された過去ｋ個の時間間隔にわたってフィルタリングされたフィルタリング済みパイロット信号の出力である。スロットの数で表されるフィルタ時定数は、逆方向リンクチャネルの適切な平均値となるように決定される。
【０１０４】
その結果、式（１）は、平均の逆方向リンクに対して瞬時的逆方向リンクがどの程度良いか悪いかを示す。アクセス端末はＴｘ Ｐｉｌｏｔ（ｎ）とＦｉｌｔ Ｔｘ Ｐｉｌｏｔ（ｎ）の測定と、さらに、全ての時間間隔で式（１）による品質測定個準の計算を実行する。次に、計算されたこの品質測定基準を用いて、将来における所定の数の時間間隔にわたる品質測定基準を推定する。時間間隔のこの所定の数は２である。このような品質推定方法が、本譲受人譲渡されている、２００１年１０月１０日に提出された「通信システムにおける送信制御をスケジューリングする方法と装置（Method and Apparatus for Scheduling Transmissions Control in a Communication System）」という題名の米国特許出願第０９／９７４，９３３号に詳細に記載されている。
【０１０５】
逆方向リンク品質測定基準の上記の推定方法は、例示目的で与えられただけである。したがって、他の方法も使用されえる。例えば、アクセス端末はパイロットチャネルとトラフィックチャネルの送信出力レベルに関する情報をアクセスポイントに提供し、次に、このアクセスポイントはこの情報を用いて、好機の送信時間間隔を決定する。
【０１０６】
好機レベルを判定する要因には、例えば、最大受け入れ可能送信遅延時間ｔ（パケットがアクセス端末に到着してからパケットが送信されるまでの遅延時間）、アクセス端末での待ち行列中のパケットの数（送信待ち行列長）及び逆方向リンクｔｈ上での平均スループットがある。上記の要因は「焦燥（impatience）」関数Ｉ（ｔ，ｌ，ｔｈ）を定義するものである。この焦燥関数Ｉ（ｔ，ｌ，ｔｈ）は、入力されたパラメータの所望の影響力に基づいて決定される。例えば、アクセス端末での待ち行列に送信用の第１のパケットが到達した直後においては、焦燥関数は低い値を有しているが、アクセス端末での待ち行列中のパケットの数が閾値を越えるとその値は増大する。最大受け入れ可能送信遅延時間に達すると、焦燥関数は最大値に達する。待ち行列長パラメータと送信スループットパラメータは同様に、焦燥関数に影響する。
【０１０７】
焦燥関数（impatience function）に対する入力としての上記の３つのパラメータの用法は説明目的で記載しただけであり、通信システムの設計上の考慮に従って、パラメータはいくつ用いても、また、別のパラメータさえ用いてもよい。加えて、ユーザが異なれば焦燥関数も異なり、これでユーザが区別される。さらに、焦燥関数以外の関数を用いてユーザ同士を区別してもよい。したがって、各々のユーザに、ユーザのＱｏＳにしたがって属性が割り当てられる。この属性自体は、焦燥関数の代わりとして働く。代替例では、属性を用いて、焦燥関数の入力パラメータを修正する。
【０１０８】
焦燥関数Ｉ（ｔ，ｌ，ｔｈ）を用いて、次式（２）にしたがって品質測定基準を修正する。
【数２】
2010213295.tif 000004
【０１０９】
式（２）に基づいて計算された値と閾値Ｔｊとを用いて、好機レベルを定義することが可能である。適切な好機レベルの集合を表１に例示する。上記のものの代わりに好機レベルに対してさまざまな数値とさまざまな定義を用いられることが理解されるであろう。
【表１】
2010213295.tif 000005
【０１１０】
適切な好機レベルがエンコーディングされてＰＲチャネル上で送信される。ＰＲチャネルは、好機レベルが０以外、すなわち、「送信データなし」が示されていなければ送信される。上記の４つの好機レベルは２つの情報ビットとして表される。ＰＲチャネルは高い信頼性でもって受信する必要があるが、それはＰＲチャネル受信中のなんらかのエラーがあると、その結果、ユーザデータの送信を要求していない又は低い好機レベルを報告したアクセス端末をスケジューリングしてしまう可能性があるからである。代替例では、このようなエラーの結果、高い好機レベルを報告したアクセス端末をスケジューリングしそこなうことになりかねない。その結果、この２つの情報ビットは十分な信頼性でもって伝達する必要がある。
【０１１１】
上述したように、好機送信時間期間が暗示されているが、それは、アクセスポイントとアクセス端末の双方が好機レベルを持つと推定される将来における所定の数の時間間隔に関する知識を有するからである。アクセスポイントとアクセス端末のタイミングは同期を取っているため、アクセスポイントは、どの時間間隔が送信端末が好機レベルであると報告した好機の送信時間間隔であるかを判定することが可能である。しかしながら、好機送信レベルが変動し、また、アクセスポイントに対して明示的に通信されるよな他の装置を用いてもよいことが理解されるであろう。
【０１１２】
上記の方式によるＰＲチャネル４１８の値は２ビット値として表される。図５を参照すると、ＰＲ値はブロック５１２（２）に提供され、このブロックはこの２ビットをエンコーディングしてコードワードとする。このコードワードはブロック５１２（４）に提供され、このブロックはこのコードワードの各々を繰り返す。繰り返されたこのコードワードはブロック５１２（６）に提供され、このブロックはこの二進法記号を選択された変調タイプに従って変調記号上にマッピングする。マッピングされた記号は次にブロック５１２（８）に提供され、このブロックは各々の記号を、ブロック５１２（１０）で生成されたウオルシュコードでカバーする。
【０１１３】
ＣＤＭトラフィックチャネル
ＣＤＭトラフィックチャネル４２０は、パケットベースのレート変動型チャネルである。アクセスポイント向けのユーザデータパケットは、例えば、データレート９．６、１９．２、３８．４、７６．８及び１５３．６（キロビット／秒：ｋｂｐｓ）から成るデータレートの集合から選択されたデータレートで送信される。
【０１１４】
図５を参照すると、送信されるデータ（データビット）は所定サイズのブロックに分割されてブロック５０４（２）に提供される。ブロック５０４（２）はターボエンコーダを備えている。ブロック５０４（２）の出力は、コード記号を含んでいる。このコード記号はブロック５０４（４）によってインタリーブされる。一実施形態では、ブロック５０４（４）はビット反転チャネルインタリーバを備えている。データレートとエンコーダコードレートによっては、インタリーブされたコード記号のシーケンスが、固定した変調記号レートを達成するために必要とされる回数だけブロック５０４（６）中で繰り返されて、ブロック５０４（８）に提供される。ブロック５０４（８）はＣＤＭ ＲＲＩチャネル記号を提供されて、ＣＤＭ ＲＲＩチャネル記号をＣＤＭトラフィックチャネル記号にパンクチャする。このパンクチャされた記号はブロック５０４（１０）に提供され、このブロックはこの二進法記号を、選択された変調タイプに従って変調記号上にマッピングする。このマッピングされた記号は次にブロック５０４（１２）に提供され、このブロックは各々の記号をブロック５０４（１４）が生成したウオルシュコードでカバーする。結果として得られるチップは出力されて、以下に詳しく説明するようにさらに処理される。ＣＤＭトラフィックチャネル／ＲＲＩチャネルパケットは、ユーザデータ対パイロットの比率、パケットサイズ及び所与の決定済みデータレートしだいで１つから複数のハーフタイムスロットで送信される。
【０１１５】
ＣＤＭ逆方向レート表示チャネル
ＣＤＭ ＲＲＩチャネル４２０は逆方向リンクパケットタイプの表示を提供する。このパケットタイプ表示によって、アクセスポイントは、自身が、現在受信されたパケットに基づいた軟判定が以前に受信されたパケットに基づいた軟判定とソフト合成することが可能であるかどうかを判定するにあたって支援と成る情報を提供される。ソフト合成は、以前に受信されてデコーディングされたパケットから得られたビット位置におけるエネルギの値（軟判定値）を利用するものである。アクセスポイントは、パケットのビット値を、軟判定値と閾値と比較することによって判定する（硬判定）。あるビットに対応するエネルギがこの閾値より大きい場合、そのビットには第１の値、例えば「１」を割り当てられ、そうでなければ、このビットには第２の値、例えば、「０」が割り当てられる。次に、アクセスポイントは、パケットが正しくデコーディングされたかどうかを、例えば、パケットがデコーディングされた後でＣＲＣチェック又は他のいずれかの等価なもしくは適切な方法を実施することによって確認する。このテストの結果が不可であれば、そのパケットは消去されたものと見なされる。しかしながら、アクセスポイントは軟判定値を（そのパケットの再送信試行回数が最大許容試行数未満であれば）保存し、自身が現在のパケットの軟判定値を獲得したら、この保存された軟判定値を現在のパケットの軟判定値と合成して、この合成された軟判定値を閾値と比較することが可能となる。
【０１１６】
合成の方法は公知であり、したがって、ここで詳細に説明する必要はない。１つの適切な方法が、本譲受人に譲渡されている「記号を累積することによる時間効率的な再送信の方法と装置（Method and Apparatus for Time Efficient Re-transmission Using Symbol Accumulation）」という題名の米国特許第０６，１０１，１６８号に詳述されている。
【０１１７】
しかしながら、パケットを意味があるようにソフト合成するためには、アクセス端末は、パケットが、合成の方法と合成される情報とを含んでいることを知っている必要がある。ＲＲＩ値の集合はこの合成方法に従って決定される。ＲＲＩチャネルはＩＳ−８５６規格に準拠したＲＲＩチャネルに類似している。図５を参照すると、例えば３ビットで表されているＲＲＩ値はブロック５０２（２）に提供され、このブロックはこの３ビットをエンコーディングして、７ビットのコードワードとする。エンコーディングする例を表２に示す。
【表２】
2010213295.tif 000006
【０１１８】
コードワードはブロック５０２（４）に提供され、このブロックはコードワードの各々を繰り返す。この繰り返されたコードワードはブロック５０２（６）に提供され、このブロックはブロック５０４（８）に提供して、ＣＤＭトラフィックチャネルに対してパンクチャするようにする。ブロック５０２（８）、５０２（１０）及び５０２（１２）は利用されない。
【０１１９】
代替例では、コードワードはブロック５０２（４）に提供され、このブロックはコードワードの各々を繰り返す。この繰り返されたコードワードはブロック５０２（６）に提供され、このブロックはブロック５０２（８）に提供し、このブロックはこの二進法記号を、選択された変調タイプに従って変調記号上にマッピングする。このマッピングされた記号は次に、ブロック５０４（１０）に提供され、このブロックは各々の記号を、ブロック５０４（１２）が生成したウオルシュコードでカバーする。結果として得られるチップは出力されて、以下に詳述するようにさらに処理される。
【０１２０】
ＴＤＭトラフィックチャネル
ＴＤＭトラフィックチャネル４２２（ＲＲＩ）はパケットベースのレート変動型チャネルである。アクセスポイント向けのユーザデータパケットは、例えば、データレート７６．８、１５３．６、２３０．４、３０７．２、４６０．８、６１４．４、９２１．６、１２２８．８及び１８４３．２ｋｂｐｓから成るデータレートの集合から選択されたデータレートで送信される。送信されるデータ（データビット）は所定サイズのブロックに分割されてブロック５０４（２）に提供される。ブロック５０４（２）は、コードレート１／５のターボエンコーダを備えている。ブロック５０４（２）の出力は、コード記号を含んでいる。このコード記号はブロック５０４（４）によってインタリーブされる。ブロック５０４（４）はビット反転チャネルインタリーバを備えている。データレートとエンコーダコードレートによっては、インタリーブされたコード記号のシーケンスが、固定した変調記号レートを達成するために必要とされる回数だけブロック５０４（６）中で繰り返されて、ブロック５０４（８）に提供される。ブロック５０４（８）はこれらの記号をブロック５０４（１０）に渡し、このブロックはこの二進法記号を、選択された変調タイプに従って選択された変調記号上にマッピングする。このマッピングされた記号は次にブロック５０４（１２）に提供され、このブロックは各々の記号をブロック５０４（１４）が生成したウオルシュコードでカバーし、結果として得られるチップは出力されて、以下に詳しく説明するようにさらに処理される。
【０１２１】
この処理の１部として、コード記号は変調記号に変換される。ＴＤＭトラフィックチャネル変調記号は次に、ＲＲＩチャネルのチップで時分割多重化される。しかしながら、ＴＤＭチャネルのサイズは、ＲＲＩチャネルチップとパケットを表すＴＤＭトラフィックチャネル変調記号とを合成した結果得られる記号のサイズと必ずしも一致するとは限らない。その結果、オリジナルのパケット記号を表すチップはサブパケットに分割され、これらはＴＤＭチャネル中に挿入されて送信される。この送信方法、すなわち、インクレメンタル冗長性は、本譲受人に譲渡されている、２００１年５月２２日に提出された「増大したデータスループットに対する向上したチャネルインタリーブ動作（ENHANCED CHANNEL INTERLEAVING FOR INCREASED DATA THROUGHPUT）」という題名の同時係属米国特許出願第０９／８６３，１９６号に記載されている。
【０１２２】
上記のサブパケット送信は、パケットパラメータを示す表３を参照して記載する。データレートと関連のパケットパラメータとは例として示すものであり、その結果、他のデータレートと関連のパケットパラメータとが予期される。
【表３】
2010213295.tif 000007
【０１２３】
１８４３．２ｋｂｐｓというデータレートを考えると、送信されるデータは６１４４ビットというサイズを持つブロックに分割される。１／５というコードレートでエンコーディングすると、６１４４×５＝３０７２０個のコード記号と成る。変調タイプは１６−ＱＡＭであり、これは、それぞれ４つのコード記号が１つの変調記号となることを意味する。３０７２０個のコード記号もまた、３０７２０／４＝７６８０個の変調記号となる。ＴＤＭチャネルは２つのハーフタイムスロットから成っているため、ＴＤＭチャネルサイズはスロット当たり１０２４である。タイムスロット中のＲＲＩチップの数は６４であるため、ＴＤＭチャネルには２×（１０２４−６４）＝１９２０個の変調記号を収めるスペースがある。
【０１２４】
第１のサブパケットは、総計で７６８０個の変調記号の内の第１の１９２０個の変調記号をＴＤＭチャネル中に挿入することによって形成される。このサブパケットはパケットのデータビットを回復するために必要とされる全ての情報を包含しているため、送信が成功であった場合、すなわち、サブパケットがデコーディングする場合、次のパケットが送信される。送信が失敗であれば、次のサブパケットが形成される。一実施形態では、次のサブパケットは、総計で７６８０個の変調記号の内の第２の１９２０個の変調記号をＴＤＭチャネル中に挿入することによって形成される。この方法は、パケットのデータビットが成功裏にデコーディングされるまで又はサブパケット送信もしくは再送信の回数が所定の数に達するまで繰り返される。
【０１２５】
アクセスポイントがこのインクレメンタル冗長（ＨＡＲＱ）方法で送信されたサブパケットをソフト合成することを可能とするため、各々のサブパケットにサブパケットインデックスを割り当てる。このサブパケットインデックスは、以下に記載するようにＴＤＭ逆方向レート表示チャネル上で送信される。
【０１２６】
サブパケットという用語は、前の説明では教示的目的で、すなわち、インクレメンタル冗長性の概念を説明するために用いられた。このような区別は主として意味論的なものであり、パケットという用語は、明瞭に理解する必要がない限り一緒にして用いられる。
【０１２７】
ＴＤＭ逆方向レート表示チャネル
ＴＤＭ ＲＲＩチャネル４２２（ＲＲＩ）は、ＣＤＭ．ＲＲＩとしての類似の目的に役立つ。その結果、ＴＤＭ ＲＲＩチャネルは、逆方向リンクパケットタイプ、例えば、（ペイロードサイズ、コードレート、変調及び類似物）と、インクレメンタル冗長（ＨＡＲＱ）のために用いられるサブパケットインデックスの表示を提供する。
【０１２８】
必要とされる表示を提供するために、ＲＲＩは５ビットの情報を含んでいる。図５を参照すると、ＲＲＩ値はブロック５０２（２）に提供され、このブロックはこの５ビットを双直交的にエンコーディングしてコードワードとする。このコードワードはブロック５０２（４）に提供され、このブロックはこのコードワードの各々を繰り返す。この繰り返されたコードワードはブロック５０２（６）に提供され、このブロックはこの二進法記号を選択された変調タイプにしたがって変調記号上にマッピングする。マッピングされたこの記号はブロック５０２（８）に提供され、このブロックは各々の記号をブロック５０２（１０）が生成したウオルシュコードでカバーし、結果として得られるチップは出力されて、以下に詳しく説明するようにさらに処理される。
【０１２９】
表４にＲＲＩコードワード値を要約する。
【表４】
2010213295.tif 000008
【０１３０】
表４を参照すると、アクセスポイントは、値「０」を持つＲＲＩコードワードを受信してデコーディングすると、７６．８ｋｂｐｓというデータレートのサブパケットをデコーディングすることを試行する。このサブパケットのデコーディングが失敗すると、アクセスポイントは次のパケットを受信して、値「１」を持つＲＲＩコードワードをデコーディングし、アクセスポイントは現在のサブパケットを以前に受信したサブパケットと合成するが、それは、値「１」を持つＲＲＩが、インデックス「１」を持つサブパケットと合成されるインデックス「２」を持つ現在受信したサブパケットを識別するからである。
【０１３１】
上述したように、パイロットチャネルは基準信号であり、すなわち、パイロット信号のパラメータ、例えば、構造、送信出力及び他のパラメータがアクセスポイントでは周知である。パイロットチャネルを受信すると、アクセスポイントは、通信リンクの影響を受けたままの逆方向パイロット信号のパラメータを判定する。２つのパラメータ集合、すなわち、送信時のパラメータと受信時のパラメータとを関連付けることによって、アクセスポイントは通信リンクを推定して、通信リンクのチャネルをコヒーレントに復調する。通信リンクを推定するために基準信号を用いる方法が技術上周知である。参考のため、例えば、本譲受人に譲渡されており、０８／３０／０１に提出された「無線通信システムにおける多経路推定の方法と装置（METHOD AND APPARATUS FOR MULTI-PATH ELIMINATION IN A WIRELESS COMMUNICATION SYSTEM）」という題名の同時係属米国特許出願第０９／９４３，２７７号を参照されたい。
【０１３２】
図４Ａから図４Ｂを参照すると、逆方向リンクの推定と第１のハーフタイムスロットで送信されたチャネルのコヒーレント復調とに用いられる逆方向パイロットチャネルは、第２のハーフタイムスロットでは利用不可能である。しかしながら、相対的に高い送信出力と入念なエンコーディングによって、ＲＲＩチャネルが受信され正確にデコーディングされる確率が高いことが保証される。さらに、アクセス端末とアクセスポイントの双方が、表４に要約されている情報によって提供される。
【０１３３】
したがって、アクセスポイントは、どのデータレートとどのＲＲＩコードワードが送信されたかの仮説を立て、また、この仮説を試行することによってＲＲＩをデコーディングしようとする。アクセスは、仮説の試験で用いられる測定基準に基づいて最も蓋然性の高い仮説を選択する。以下に検討するように、逆方向パイロットチャネルは、出力制御ループで決定された出力で送信され、これで、全てのアクセス端末からの逆方向パイロットチャネルが同じ出力（ＰＰｉｌｏｔ）で受信されるようにする。ＲＲＩチャネル出力（Ｐｔ）は逆方向リンク送信出力（以下の式（３）を参照）と関連しているため、ひとたびＲＲＩチャネルが正確にデコーディングされたら、アクセスポイントは式（３）を用いて、逆方向リンクチャネルの品質を推定するために必要なＲＲＩチャネルのパラメータを決定する。その結果、ＲＲＩチャネルはパイロットチャネルの代わりに基準信号として用いて、逆方向リンクチャネル品質を推定し、第２のハーフタイムスロットで送信されたチャネルをコヒーレントに復調する。
【０１３４】
式（３）を正しく用いるために、アクセスポイントは、オーバヘッド送信時間間隔とトラフィック送信時間間隔間のライズオーバサーマル（ｒｉｓｅ ｏｖｅｒ ｔｈｅｒｍａｌ）（ＲＯＴ）差異であるＡの値を知っている必要がある。以下にさらに検討するように、アクセスポイントはＡの値を測定する。
【０１３５】
ＣＤＭトラフィックチャネル／ＣＤＭ ＲＲＩチャネルをＴＤＭトラフィックチャネルとＴＤＭ ＲＲＩチャネルを発生する同じ構造を用いるものとして説明したが、このようにする必要はなく、ＣＤＭトラフィックチャネル、ＣＤＭ ＲＲＩチャネル、ＴＤＭトラフィックチャネル及びＴＤＭ ＲＲＩチャネルに対してそれぞれ別個の構造が存在する。
【０１３６】
ＯＦＤＭ逆方向トラフィックチャネル
既述したように、データの送信レートは、通信チャネルの特徴、例えば、信号対干渉波・雑音比（ＳＩＮＲ）によって異なり、データレートが高ければ、高いＳＩＮＲを必要とする。多経路干渉波は干渉波・雑音にかなり寄与するため、高データレートでの干渉波の軽減によって、通信システムの性能がかなり向上する。
【０１３７】
多経路干渉波を軽減する１つの手段は、直交周波数分割変調方式（ＯＦＤＭ）である。ＯＦＤＭは周知の変調タイプであり、その基本を図６を参照して説明する。ＯＦＤＭ通信システム６００はユーザデータ６０２を取ってそれをブロック６０４に提供する。（ブロック６０４以前のユーザデータの前処理、すなわち、エンコーディング、繰り返し、インタリーブ動作及び類似物は簡潔さのため図示せず。）ブロック６０４はユーザデータを多くの並行ビン６０６間に分配するが、その正確な数は使用された高速フーリエ変換（ＦＦＴ）のサイズの関数である。並行ビン６０６はブロック６０８中で逆ＦＦＴ（ＩＦＦＴ）によって変調される。並行ビンと同じ数の信号から成るバンクを含むこの変調された信号は次に無線周波数サブ搬送波の集合にアップ変換され、増幅されて、通信チャネル６１２上で運ばれる。この信号はＦＦＴを用いてブロック６１４によって受信されて復調される。復調されたデータ６１６は次にブロック６１８によってユーザデータ６２０に再配布される。
【０１３８】
このユーザデータは多経路誘導周波数選別フェージングから保護されている。サブ搬送波がフェージングを経験すると、失われるユーザデータは集合としてのユーザデータの極少量である。送信されたユーザデータは誤り訂正ビットを含んでいるため、行方不明のものはその後回復される。
【０１３９】
上記のＯＦＤＭは、次に説明するように、ＴＤＭ時間間隔の第２の半分部分での送信に利用される。アクセス端末、逆方向リンク上で送信されるユーザデータのレートは所定のデータレート、例えば、６１４．４ｋｂｐｓを上回ると判定すると、ユーザデータをＴＤＭの代わりにＯＦＤＭを利用して送信する。
【０１４０】
ＯＦＤＭ逆方向レートインジケータチャネル
必要とされる表示を提供するため、ＯＦＤＭ ＲＲＩは５ビットの情報を含む。ＲＲＩ値６０２（２）はユーザデータ６０２（１）とは別個に（図６Ａの）ブロック６０４に対して提供されるが、このブロックはＲＲＩデータを少なくとも１つの所定の並行ビン６０６（２）に配布し、また、ユーザデータを残りの並列ビン６０６（１）上で配布する。（ブロック６０４以前のユーザデータとＲＲＩデータの前処理、すなわち、エンコーディング、繰り返し、インタリーブ動作及び類似物は簡潔さのため図示せず。）さらなる処理は図６に示すように進行する。図６Ａに戻ってこれを参照すると、受信時において、信号はブロック６１４で受信されてＦＦＴを用いて復調される。復調されたＲＲＩデータ６１６（２）と復調されたユーザデータ６１６（２）とは次に、ブロック６１８によって再配布されて、ユーザ値６２０（１）とＲＲＩ値６２０（２）となる。
【０１４１】
代替例では、ユーザデータとＲＲＩデータは多重化されて（図６の）ブロック６０４に提供される。（ブロック６０４以前のユーザデータの前処理、すなわち、エンコーディング、繰り返し、インタリーブ動作及び類似物は簡潔さのため図示せず。）その結果、ＲＲＩ値は、ユーザデータと共に、並列ビン６０６同士間に配布される。さらなる処理は図６に示すように進行する。図６Ｃを参照すると、受信時において、信号はブロック６１４で受信されてＦＦＴを用いて復調される。復調されたＲＲＩデータと復調されたユーザデータ６１６は次にブロック６１８によって再送付されて、ユーザ値６２０（１）とＲＲＩ値６２０（２）となる。
【０１４２】
逆方向リンクアーキテクチャ
図５Ｃにさらに、逆方向リンクチャネルのアーキテクチャを示す。ＴＤＭトラフィックチャネル４２２（Ｔ）と（図４の）ＴＤＭ ＲＲＩチャネル４２２（ＲＲＩ）とはブロック５１４中で時分割多重化されて、利得調整ブロック５１６（１）に提供される。利得調整後は、時分割多重化された信号が復調器５１８に提供される。
【０１４３】
パイロットチャネル４１２、データリソースチャネル４４１４、肯定応答チャネル４１６、パケット要求チャネル４１８（図４を参照）はそれぞれの利得調整ブロック５１６（２）−５１６（５）に提供される。利得調整後は、これらそれぞれのチャネルは変調器５１８に提供される。
【０１４４】
加えて、オプションのＣＤＭトラフィックチャネル／ＣＤＭ ＲＲＩチャネル４２０（図４参照）は利得調整ブロック５１６（７）に提供される。利得調整後は、それぞれのチャネルが変調器５１８に提供される。
【０１４５】
変調器５１８は入力チャネル信号を合成して、この合成されたチャネル信号を適切な変調方法、例えば、二進法位相シフトキーイング方法（ＢＰＳＫ）、直交位相シフトキーイング方法（ＱＰＳＫ）、直交振幅変調方法（ＱＡＭ）、８位相シフトキーイング方法（８−ＰＳＫ）及び通常の当業者に周知の他の変調方法にしたがって変調する。この適切な変調方法は、送信されるデータのレート、チャネル状態及び／又は通信システムの他の設計パラメータに基づいて変化する。入力チャネル信号の上記の合成もそれにしたがって変化する。例えば、選択された変調方法がＱＰＳＫであれば、入力チャネル信号は同相信号と直交信号に合成され、これらの信号は直交拡散される。チャネル信号の選択は通信システムの設計パラメータ、例えばチャネルを配布し、これで同相信号と直交信号間でのデータの負荷が均衡し、結果として得られる波形のピークツーアベレージが低下するようなパラメータと他の設計パラメータとにしたがって同相信号と直交信号に合成される。
【０１４６】
変調された信号はブロック５２０でフィルタリングされ、ブロック５２２中で搬送周波数にアップ変換されて送信用に提供される。
【０１４７】
逆方向リンクアクセス方法
既述したように、従来式アクセス端末からの逆方向リンクユーザデータ送信では、符号分割多重方式、例えば、ＩＳ−８５６規格に準拠したＣＤＭＡ方式が利用される。ＩＳ−８５６規格にしたがって、アクセス端末は逆方向リンクの搬送周波数にアクセスし、したがって、ＴＤＭＡ時間間隔とＣＤＭＡ時間間隔間での考えられるあらゆる逆方向リンクでの配布を無視して、逆方向リンク送信を自発的に開始する。初期の逆方向リンク送信は、所定のデータレート、例えば、９．６ｋｂｐｓで発生する。逆方向アクティビティチャネル上で受信された逆方向リンクアクティビティビット（ＲＡＢ）がゼロであれば、アクセス端末は確率ｐで次に高いレートにレートを増加させ、ＲＡＢが１であれば、アクセス端末はレートを確率ｑで次に低いレートに減少させる。各々のレートに対する確率ｐとｑは、アクセスネットワークからアクセス端末に送信されるか又はアクセスポイントとアクセス端末間で例えば、接続されると交渉される。
【０１４８】
その結果、符号分割多重方式、例えば、ＩＳ−８５６規格に準拠したＣＤＭＡ方式を利用している新式アクセス端末は、上述したように、ＴＤＭＡ時間間隔とＣＤＭＡ時間間隔間での考えられるあらゆる逆方向リンクでの配布を無視して、自発的に逆方向リンク送信を開始する。
【０１４９】
ＣＤＭＡ指定の時間間隔変調方式を利用する新式アクセス端末は、上述したように自発的にＣＤＭＡ制定の時間間隔で逆方向リンク送信を開始する。
【０１５０】
ＴＤＭＡしての時間間隔を利用する新式アクセス端末からの逆方向リンク送信は、アクセス端末の内の少なくとも１つから逆方向リンク時間間隔の１部分中で発生する。上記の１つのタイムスロット構造がどのようにして複数のタイムスロット時間間隔にまで拡大するかを示すため、以下に説明するような逆方向リンクデータ送信では２つのタイムスロットに等しい時間間隔を用いる。しかしながら、上述したように、タイムスロットをいくつ用いて時間間隔を構成してもよい。ＴＤＭＡ指定の時間間隔を利用する新式アクセス端末の逆方向リンクの搬送周波数に対するアクセスは、データを多重化するモードによって異なる。
【０１５１】
ＣＤＭオンリーモードを利用している、すなわち、ＴＤＭＡ時間間隔でＣＤＭだけを用いてユーザデータを送信するような新式アクセス端末は、逆方向リンクの搬送周波数にアクセスする、したがって、上述したように自発的に逆方向リンク送信を開始する。
【０１５２】
それとは対照的に、逆方向リンクの搬送周波数に対するアクセス、したがって、ＴＤＭ／ＯＦＤＭ又はＣＤＭ及びＴＤＭ／ＯＦＤＭモードを利用する新式アクセス端末の場合の逆方向リンク送信、すなわち、ＴＤＭＡ時間間隔でのＴＤＭ／ＯＦＤＭもしくはＣＤＭ及びＴＤＭ／ＯＦＤＭを用いてのユーザデータの送信は、ユーザデータを伝達せよとのアクセス端末の要求に応答してアクセスネットワーク中のエンティティによってスケジューリングされる。アクセス端末は、逆方向リンク上の時間間隔中でそのアクセス端末のチャネルの品質測定基準と、そのアクセス端末の逆方向リンク品質測定基準と、焦燥関数とにしたがってスケジューリングされる。新式アクセス端末がスケジューリングされない場合、すなわち、アクセス端末の送信許可が否認された場合、アクセス端末は時間間隔の少なくともＴＤＭ／ＯＦＤＭ部分中での送信を抑圧しなければならない。したがって、アクセス端末はその時間間隔ではデータを何も送信しない又はその時間間隔のＣＤＭ部分でだけデータを送信する、すなわち、ＴＤＭＡ時間間隔のＣＤＭ部分を利用する。
【０１５３】
ＴＤＭＡを要求しているアクセス端末の場合の逆方向リンクデータ送信の１例と図７に示しこれを参照して説明する。図７に、理解目的だけの、１つのアクセス端末の場合の逆方向リンクデータ送信の交渉を示す。さらに、サービス提供するアクセスポイントだけを示してある。しかしながら、以下に説明するように、この概念は複数のアクセス端末にまで拡大されえることが理解されるであろう。加えて、アクセスネットワークの複数のアクセスポイントは、送信側のアクセス端末からの逆方向リンクを受信しデコーディングして、ユーザデータが成功裏にデコーディングされたかどうかの情報をサービス提供側アクセスポイントに提供する。代替例では、ペイロード情報を受信したアクセスポイントはこのペイロード情報を集中エンティティに送出して、軟判定デコーディングを実行するようにする。次に、中央デコーダはサービス提供側アクセスポイントにペイロードデコーディングが成功であったかどうかを通知する。サービス提供側アクセスポイントはＰＧチャネル上でＡＣＫを示して、不必要な再送信を防止する。
【０１５４】
アクセス手順、サービス提供セクタの選択及び他のコールセットアップ手順は、上述したようにＩＳ−８５６規格に準拠した通信システムの相似関数に依存しているため、繰り返されることはない。唯一の相違は、新式アクセス端末が、ＴＤＭ／ＯＦＤＭハーフタイムスロット中ではアクセス端末のチャネルプローブを送信しないことである。
【０１５５】
送信予定のデータを受信し、また、ＴＤＭＡ時間間隔で送信することを希望しているアクセス端末（図示せず）は、アクセス端末の逆方向リンク品質測定基準とＴＤＭＡ時間間隔の焦燥関数とを評価して、好機レベル（ＯＬ１）を生成する。理解目的だけであるが、時間間隔は全てＴＤＭＡとして指定されるものと仮定する。アクセス端末は、自身が送信可能なデータレートを推定し、それに応じてデータタイプを生成する。既述したように、パケットデータタイプはデータレートを示すだけではなくオリジナルの又は再送信されたパケットを指定する。以下により詳述するように、レート決定方法では、送信されるデータ量と、アクセス端末の最大送信出力と、パイロットチャネルに割り当てられる送信出力とに基づいてサポート可能な最大レートを決定する。アクセス端末は次に、パケット準備完了チャネル上で次の値を送信するためのルールが満足されているかどうかを判定する。これらのルールには次のものがある。
【０１５６】
・パケット準備完了チャネル上での次の値が、ある時間間隔で、例えば、２つのタイムスロットで送信される。
【０１５７】
・パケット準備完了チャネル上での次の値が、好機レベルが変化すると送信される。
【０１５８】
・パケット準備完了チャネル上での次の値が、所定の時間間隔に対してパケットの承諾が受信されなかった場合には好機レベルが変化しなくても送信される。
【０１５９】
・アクセス端末が送信データをなんら有しない場合にはパケット準備完了チャネルは送信されない。
【０１６０】
これらのルールが満足されると、アクセス端末は要求されたデータレートと好機レベルをＰＲチャネル上でタイムスロットｎとｎ＋１とで通信する。
【０１６１】
アクセスネットワークのサービス提供側アクセスポイント（図示せず）は、逆方向リンクを受信して、タイムスロットｎとｎ＋１に含まれている情報をスロットＮ＋１の中でデコーディングする。サービス提供側アクセスポイントは次に、データを送信する許可を要求している全てのアクセス端末の好機レベルと、パケットデータタイプと、要求されたデータレートとをスケジューラ（図示せず）に提供する。スケジューラは、送信用のパケットをスケジューリングルールに従ってスケジュールする。既述したように、スケジューリングルールは、要求されるＱｏＳ又はデータ配布の公平さを達成しながら同時にアクセス端末相互間の逆方向リンク干渉を最小化しようとするものである。このルールは以下のとおりである。
【０１６２】
ｉ．送信優先順位を最高の好機レベルを報告しているアクセス端末に与える。
【０１６３】
ｉｉ．いくつかのアクセス端末が同じ好機レベルを報告すれば、送信スループットの低いアクセス端末に優先順位を与える。
【０１６４】
ｉｉｉ．いくつかのアクセス端末がルール（ｉ）と（ｉｉ）を満足すれば、アクセス端末はランダムに選択される。
【０１６５】
ｉｖ．報告された好機レベルが逆方向リンクの利用を最大化するために低い値であったとしても、送信用データを持つアクセス端末の内の１つに送信許可が与えられる。
【０１６６】
スケジューリングを決定したら、サービス提供側アクセスポイントはＰＧチャネル上での送信の許可を要求しているアクセス端末の各々に対するスケジューリングの決定を送信する。図示するように、サービス提供側アクセスポイントはスケジューリングの決定（ＳＤ ０）を送出し、アクセス端末によるスロットＮ＋２とＮ＋３での新しいパケットの送信許可要求を否認した。
【０１６７】
アクセス端末はＰＲチャネルに対する応答をなんら受信しなかったし、また、アクセス端末は送信すべきデータを有するため、アクセス端末はアクセス端末の逆方向リンク品質測定基準と焦燥関数とを再度評価するが、今回はこのため、好機レベルが増加する（ＯＬ ３）。アクセス端末はさらに、パケットデータタイプを生成し、データレートを推定して、パケットデータタイプと要求されたデータレートとをＲＲＩチャネル上で提供し、好機レベルを逆方向リンクのＰＲチャネル上でタイムスロットｎ＋１とｎ＋３で提供する。
【０１６８】
サービス提供側アクセスポイントは、逆方向リンクを受信して、タイムスロットｎ＋２とｎ＋３に含まれている情報をスロットＮ＋３中でデコーディングする。次に、サービス提供側アクセスポイントは、データ送信許可を要求している全てのアクセス端末の好機レベル、パケットデータタイプ及び要求されているデータレートをスケジューラに提供する。スケジューリングを決定したら、サービス提供側アクセスポイントはＰＧチャネル上での送信の許可を要求しているアクセス端末の各々に対するスケジューリングの決定を送信する。図示するように、サービス提供側アクセスポイントは、スケジューリングの決定（ＳＤ １）を送信して、タイムスロットＮ＋４とＮ＋５での新しいパケットの送信許可を許可する。
【０１６９】
アクセス端末は、タイムスロットｎ＋３中で、ＰＧチャネルを受信して、タイムスロットＮ＋２とＮ＋３で送信されたスケジューリング決定（ＳＤ ０）をデコーディングする。アクセス端末はしたがって、タイムスロットｎ＋４とｎ＋５中では送信を差し控える。アクセス端末は送信すべきデータを有しており、その結果、アクセス端末は自身の逆方向リンク品質測定基準と焦燥関数とを評価する。図示するように、アクセス端末は好機レベル（ＯＬ ３）を判定したが、これはこの送信より２スロット前のレベルと同じであり、その結果、アクセス端末はタイムスロットｎ＋４とｎ＋５ではＰＲチャネルの送信を差し控える。
【０１７０】
サービス提供側アクセスポイントは、アクセス端末の送信を許可するスケジューリング決定（ＳＤ １）を実施し、その結果、サービス提供側アクセスポイントは、ＰＧチャネル上での送信許可を要求しているアクセス端末の各々に対するスケジューリング決定を送信する。図示するように、サービス提供側アクセスポイントはスケジューリング決定（ＳＤ １）を送信して、タイムスロットＮ＋４とＮ＋５での新たなパケット送信を許可する。
【０１７１】
アクセス端末は、タイムスロットｎ＋５中で、ＰＧチャネルを受信して、タイムスロットＮ＋４とＮ＋５で送信されたスケジューリング決定（ＳＤ １）をデコーディングする。スロットｎ＋６とｎ＋７で送信されるデータに加えて、アクセス端末は送信予定のデータを有しており、その結果、アクセス端末は自身の逆方向リンク品質測定基準と焦燥関数とを評価する。図示するように、アクセス端末は好機レベル（ＯＬ ２）を決定しており、その結果、アクセス端末はＰＲチャネルをタイムスロットｎ＋６とｎ＋７で送信する。アクセス端末は送信の許可を得ているため、アクセス端末はさらに、ユーザデータをタイムスロットｎ＋６とｎ＋７で逆方向リンクトラフィックチャネルのＴＤＭ／ＯＦＤＭ部分中で送信する。
【０１７２】
図７に示すように、アクセス端末は２つの要求後に送信許可を得ている。パケット要求の各々が、同じパケット又は別々のパケットと関連している。パケット要求の各々が別のパケットと関連している場合、一実施形態では、アクセス端末は、どのパケットを送出すべきであるかを自発的に判定する。代替例では、送信許可は第１の非承諾のパケット要求と関連している。しかしながら、他の戦略も本発明の完全に範囲内にある。
【０１７３】
サービス提供側アクセスポイントは、逆方向リンクを受信して、タイムスロットｎ＋６とｎ＋７中に含まれているＰＲチャネル情報をスロットＮ＋７中で、タイムスロットｎ＋６とｎ＋７中に含まれているユーザデータをタイムスロットＮ＋８とＮ＋９中でデコーディングする。サービス提供側アクセスポイントは次に、好機レベルと、パケットデータタイプと、データ送信許可を要求している全てのアクセス端末の要求されたデータレートとをスケジューラに提供する。スケジューリングを決定したら、サービス提供側アクセスポイントはＰＧチャネル上での送信の許可を要求しているアクセス端末の各々に対するスケジューリングの決定を送信する。アクセスポイントはユーザデータを成功裏にデコーディングしているため、サービス提供側アクセスポイントはスケジューリング決定（ＳＤ １）を送出し、タイムスロットＮ＋１０とＮ＋１１での新しいパケットの送信を許可する。
【０１７４】
アクセス端末はタイムスロットｎ＋８とｎ＋９でも、また、タイムスロットｎ＋１０とｎ＋１１でもＰＲを送出しなかったが、それは、アクセス端末が逆方向リンク品質測定基準と焦燥関数を評価した際に、パケット準備完了チャネル上の次の値を送信するルールが満足されなかったからである。
【０１７５】
アクセス端末は、スロットｎ＋１１でＰＧチャネルを受信してスケジューリング決定ＳＤ １をデコーディングする。アクセス端末は送信許可を得ているため、アクセス端末はさらに、好機タイムスロットｎ＋１２とｎ＋１３のＴＤＭ／ＯＦＤＭ部分でユーザデータを送信する。
【０１７６】
サービス提供側アクセスポイントは逆方向リンクを受信して、タイムスロットＮ＋１４とＮ＋１５中のタイムスロットｎ＋１２とｎ＋１３に含まれているユーザデータをデコーディングする。アクセスポイントはユーザデータを成功裏にデコーディングしているが、サービス提供側アクセスポイントはなんら顕著なパケット要求を有していないため、アクセスポイントはＰＧを送信しない。
【０１７７】
アクセスネットワークが、スロットｎ＋６とｎ＋７において逆方向リンク上で送出されたペイロードを正しくデコーディングできない場合を図８に示す。
【０１７８】
サービス提供側アクセスポイントは逆方向リンクを受信して、スロットＮ＋７中のタイムスロットｎ＋６とｎ＋７中に含まれているＰＲチャネル情報と、タイムスロットＮ＋８とＮ＋９中のタイムスロットｎ＋６とｎ＋７中に含まれているユーザデータとをデコーディングする。サービス提供側アクセスポイントは次に、好機レベルと、パケットデータタイプと、データ送信許可を要求している全てのアクセス端末の要求されたデータレートとをスケジューラに提供する。スケジューリングを決定したら、サービス提供側アクセスポイントはＰＧチャネル上での送信の許可を要求しているアクセス端末の各々に対するスケジューリング決定を送信する。アクセスポイントはユーザデータを成功裏にデコーディングすることに失敗しているため、サービス提供側アクセスポイントはスケジューリング決定（ＳＤ −１）を送出し、タイムスロットＮ＋１０とＮ＋１１での以前に送信されたパケットの再送信を許可する。
【０１７９】
アクセス端末はタイムスロットｎ＋８とｎ＋９でＰＲを送出しなかったが、それは、アクセス端末が逆方向リンク品質測定基準と焦燥関数を評価した際に、パケット準備完了チャネル上の次の値を送信するルールが満足されなかったからである。しかしながら、アクセス端末はタイムスロットｎ＋１０とｎ＋１１でＰＲを送出したが、それは、アクセス端末が逆方向リンク品質測定基準と焦燥関数を評価した際に、好機レベルが変更になったからである。
【０１８０】
アクセス端末は、タイムスロットｎ＋１中で、ＰＧチャネルを受信して、タイムスロットｎ＋１１中のタイムスロットＮ＋１０とＮ＋１１で送られたスケジューリング決定ＳＤ−１をデコーディングする。アクセス端末は前に送信されたパケットを再送信する許可は得ているが新しいパケットのそれは得ていないため、アクセス端末は送出予定のデータを有しており、その結果、アクセス端末は自身の逆方向リンク品質測定基準と焦燥関数とを評価する。図示するように、アクセス端末は好機レベル（ＯＬ ３）を決定しており、その結果、アクセス端末はＰＲチャネルをタイムスロットｎ＋１２とｎ＋１３で送信する。さらに、アクセス端末は、好機時間スロットｎ＋１２とｎ＋１３のＴＤＭ／ＯＦＤＭ部分でユーザデータを再送信する。
【０１８１】
サービス提供側アクセスポイントは、逆方向リンクを受信して、タイムスロットｎ＋１２とｎ＋１３中に含まれているＰＲチャネル情報をスロットＮ＋１３中で、タイムスロットｎ＋１２とｎ＋１３中に含まれているユーザデータをタイムスロットＮ＋１４とＮ＋１５中でデコーディングする。サービス提供側アクセスポイントは次に、好機レベルと、パケットデータタイプと、データ送信許可を要求している全てのアクセス端末の要求されたデータレートとをスケジューラに提供する。スケジューリングを決定したら、サービス提供側アクセスポイントはＰＧチャネル上での送信の許可を要求しているアクセス端末の各々に対するスケジューリング決定を送信する。アクセスポイントはユーザデータを成功裏にデコーディングしているため、サービス提供側アクセスポイントはスケジューリング決定（ＳＤ １）を送信し、タイムスロットＮ＋１４とＮ＋１５での新しいパケットの送信を許可する。
【０１８２】
アクセス端末はＰＧチャネルを受信して、スロットｎ＋１５でスケジューリング決定ＳＤ １をデコーディングする。アクセス端末は送信許可を得ているため、アクセス端末はさらに、ユーザデータを好機タイムスロットｎ＋１６とｎ＋１７のＴＤＭ／ＯＦＤＭ部分で送信する。
【０１８３】
サービス提供側アクセスポイントは逆方向リンクを受信して、タイムスロットｎ＋１６とｎ＋１８中に含まれるユーザデータをタイムスロットＮ＋１８とＮ＋１９でデコーディングする。アクセスポイントはユーザデータを成功裏にデコーディングしているが、サービス提供側アクセスポイントは顕著なパケット要求は有していないため、アクセスポイントはＰＧを送信しない。
【０１８４】
サービス提供側アクセスポイントはアクセス端末を自身が受信した最新の送信要求にしたがってスケジューリングすることが理解されるであろう。
【０１８５】
アクセスネットワークはＰＲチャネルの受信に失敗しえることが理解されるであろう。アクセス端末は好機レベルが変化するまではＰＲチャネルを再送信せず、これによって、通信が失敗しないようにしているため、アクセス端末は所定の時間後にＰＲチャネルを再送信する。
【０１８６】
パケットアクセスネットワークは数回再送信を試行した後でさえもパケットの受信に失敗し得ることが理解されるであろう。再送信を過度に試行することを防止するために、通信システムは所定の回数だけ再送信を試行したら（パーシステンス時間間隔）再送信の試行を放棄する。次に、行方不明のパケットを別の方法、例えば、無線リンクプロトコル（ＲＬＰ）で処理する。
【０１８７】
逆方向リンク出力制御
既述したように、あるセクタ中の少なくとも１つのアクセス端末はＴＤＭＡを用いて逆方向リンク上でデータトラフィックを送信している。ＣＤＭＡ通信システムでは端末は全て同じ周波数で送信しているため、送信中のアクセス端末はその各々が、隣のセクタ中のアクセス端末にとっては干渉波のソースとして作用する。逆方向リンク上でこのような干渉を最小化してキャパシティを最大化するためには、各々のアクセス端末に対するパイロットチャネルの送信出力を２つの出力制御ループによって制御する。次に、残りのオーバーヘッドチャネルとＣＤＭトラフィックチャネルとの送信出力をパイロットチャネルの送信出力の割合として決定する。ＴＤＭトラフィックチャネルの送信出力は、所与のデータレートのトラフィック対パイロットの出力比と、オーバーヘッド送信時間間隔とトラフィック送信時間間隔間間のライズオーバーサーマル差で補正したものとして決定される。ライズオーバーサーマルとは、受信機の雑音フロアーと総受信出力の差をアクセス端末で測定したものである。
【０１８８】
パイロットチャネル出力制御
パイロットチャネル出力制御ループは、本発明の譲受人に譲渡されており、ここに参照して組み込む「ＣＤＭＡセルラーモバイル電話システムにおいて送信出力を制御する方法装置（METHOD AND APPARATUS FOR CONTROLLING TRANSMISSION POWER IN A CDMA CELLULAR MOBILE TELEPHONE SYSTEM）」という題名の米国特許第５，０５６，１０９号に詳細に開示されているＣＤＭＡシステムのそれに類似している。他の出力制御方法も予期されており、また、本発明の範囲内にある。
【０１８９】
第１の出力制御ループ（外部ループ）は所望の性能レベルを最良の品質測定基準で逆方向リンクを受信しているセクタで評価した値が維持されるようにセットポイントを調整する。この性能のレベルは、例えば、ＤＲＣチャネル消去レートとＣＤＭトラフィックチャネルパケットエラーレート（ＰＥＲ）とを含んでいる。このセットポイントは次に示すようなルールに従って更新される。
【０１９０】
ＤＲＣ消去レートが閾値、例えば、２５％未満であり、ＣＤＭ−ＲＲＩが成功裏に検出されているとして、ＣＤＭパケットが成功裏にデコーディングされた場合にはセットポイントは減少し、
ＤＲＣ消去レートが閾値より大きく、ＣＤＭ−ＲＲＩが成功裏に検出されているとして、ＣＤＭパケットが成功裏にはデコーディングされなかった場合にはセットポイントは増加する。
【０１９１】
セットポイントは、アクセスポイントでの多様な選択に次いで所定の数のフレームが経過する毎に周期的に更新される。ＤＲＣ消去レートはその時間間隔で測定される。この更新時間間隔内でＣＤＭトラフィックチャネルが受信されなければ、セットポイントはＤＲＣ消去レートだけにしたがって更新される。前記のフレームの所定の数が２以上であれば、セットポイントは更新時間間隔で更新されるか、又は、ＣＤＭ ＲＲＩが成功裏に検出されたとしてＣＤＭパケットを成功裏にデコーディングすることに失敗する。
【０１９２】
第２の出力制御ループ（内部ループ）アクセス端末の送信出力を、逆方向リンク品質測定基準がセットポイントに維持されるように調整する。この品質測定基準はチップ当たりエネルギ対雑音プラス干渉波率（Ｅｃｐ／Ｎｔ）があり、これは逆方向リンクを受信しているアクセスポイントのところで測定される。その結果、セットポイントはまたＥｃｐ／Ｎｔで測定される。アクセスポイントは測定されたＥｃｐ／Ｎｔを出力制御セットポイントと比較する。このＥｃｐ／Ｎｔの測定値がこのセットポイントより大きければ、アクセスポイントは出力制御メッセージをアクセス端末に送信して、アクセス端末の送信出力を減少させる。代替例では、測定されたＥｃｐ／Ｎｔがセットポイント未満であれば、アクセスポイントは出力制御メッセージをアクセス端末に送信して、アクセス端末の送信出力を増加させる。出力制御メッセージは、１つの出力制御ビットで実現されている。この出力制御ビットが第１の値（「ｕｐ」）であれば、アクセス端末は、自身の送信出力を増加するように指令され、低い値（「ｄｏｗｎ」）であれば、アクセス端末は、自身の送信出力を減少するように指令される。複数のセクタから出力制御ビットを受信するアクセス端末は、出力制御コマンドの内の１つでも「ｄｏｗｎ」であれば送信出力を減少させ、そうでなければ送信出力を増加させる。
【０１９３】
各々のアクセスポイントと通信している全てのアクセス端末に対する出力制御ビットは順方向リンクのＭＡＣチャネル上で送信される。
【０１９４】
残余のオーバーヘッドチャネルとＣＤＭトラフィックチャネルの出力制御
あるタイムスロットに対するパイロットチャネルの送信出力がひとたび出力制御ループの動作によって決定されれば、残余のオーバーヘッドチャネルとＣＤＭトラフィックチャネルの各々のチャネルの送信出力はパイロットチャネルの送信出力に対する特定のオーバーヘッドナヘッドチャネルとＣＤＭチャネルの送信出力の比として決定される。オーバーヘッドチャネルとＣＤＭチャネルの各々のチャネルのこの比は、シミュレーションや、研究所での実験や、現場での試行や、通常の当業者に対して周知の他の工学的方法にしたがって決定される。
【０１９５】
したがって、例えば、逆方向トラフィックチャネルのパイロットチャネルの出力に対するＣＤＭトラフィックチャネル／ＲＲＩチャネルの出力は、表５に示すようにデータレートによって異なる。
【表５】
2010213295.tif 000009
【０１９６】
ＴＤＭトラフィックチャネル出力制御
トラフィックチャネルにとって必要とされる送信出力もまた、パイロットチャネルの送信出力に基づいて決定される。一実施形態では、この必要なトラフィックチャネル出力は次式を用いて計算される。
【０１９７】
Ｐｔ＝Ｐpilot．Ｇ（ｒ）．Ａ （３）
ここで、Ｐｔはトラフィックチャネルの送信出力であり、
Ｐｐｉｌｏｔはパイロットチャネルの送信出力であり、
Ｇ（ｒ）は所与のデータレートがｒの場合のトラフィック対パイロットの送信出力比である。
【０１９８】
Ａは、オーバーヘッド送信時間間隔とトラフィック送信時間間隔間のライズオーバーサーマル（ＲＯＴ）差の推定値である。「ライズオーバーサーマル」という用語はここでは、雑音フロアーと総受信出力のアクセス端末での測定値間の差を意味するために用いられる。
【０１９９】
アクセスポイントにおけるＡの測定に必要とされる、オーバーヘッド送信時間間隔（ＲＯＴオーバーヘッド）とトラフィック（ＲＯＴトラフィック）送信時間間隔におけるＲＯＴの測定は、技術上公知である。このような測定は、本発明の譲受人に譲渡され、「逆方向リンクローディング推定の方法と装置（Method and apparatus for reverse link loading estimation）」という題名の米国特許第６，１９２，２４９号に開示されている。ひとたびオーバーヘッド送信時間間隔とトラフィック送信時間間隔双方における雑音が測定されると、Ａは次式を用いて計算される。
【０２００】
Ａ＝ＲＯＴtraffic−ＲＯＴoverhead （４）
次に、Ａの計算値はアクセスポイントに対して、例えば、通信システム中にはＴＤＭＡを用いて動作しているアクセス端末しか存在しない場合には従来式のＲＡチャネルを介して、従来式と新式双方のアクセス端末が通信システム中に存在する場合には新式のＲＡチャネルを介して送信される。
【０２０１】
代替例では、Ａの値は、式（３）によって与えられるＲＯＴの差の推定値である。Ａの初期値は、シミュレーションや、研修所での実験や、実地試験や、通常の当業者に周知な他の方法によって決定される。次の、Ａの値は逆方向リンクパケットのエラーレート（ＰＥＲ）にしたがって調整され、これで、決定されたＰＥＲが所与のパケットの最大許容送信回数で維持されるようにする。逆方向リンクパケットエラーレートは、上述したように逆方向リンクパケットのＡＣＫ／ＮＡＣＫにしたがって決定される。一実施形態では、Ａの値は、ＡＣＫが最大でＭ回の再送信試行の内のＮ回の再送信試行以内で受信された場合には第１の増量分だけ増加される。同様に、Ａの値は、ＡＣＫが最大でＭ回の再送信試行の内のＮ回の再送信試行以内で受信されなかった場合には第２の増量分だけ減少される。
【０２０２】
式（３）から、トラフィックチャネル送信出力はデータレートｒの関数であることが分かる。加えて、アクセス端末の出力は、最大送信出力量（Ｐｍａｘ）に制約される。したがって、アクセス端末は最初にＰｍａｘと決定済みのＰｐｉｌｏｔからどれほどの出力が利用可能であるか判定する。次に、アクセス端末は、送信されるデータの量を決定して、利用可能な出力とこのデータ量とに基づいてデータレートｒを選択する。次に、アクセス端末は、式（３）を評価して、雑音差の推定値Ａの影響の結果、最大利用可能出力を超えなかったかどうか判定する。最大利用可能出力を超えている場合、アクセス端末はデータレートｒを減少させ、このプロセスを繰り返す。
【０２０３】
アクセスポイントは、アクセス端末が送信可能な最大データレートを、このアクセス端末に最大許容値Ｇ（ｒ）・Ａを、通信システム中にはＴＤＭＡを用いて動作しているアクセス端末しか存在しない場合には従来式のＲＡチャネルを介して、従来式と新式双方のアクセス端末が通信システム中に存在する場合には新式のＲＡチャネルを介して、供給することによって制御することが可能である。
【０２０４】
代替例では、ＡＴはＧ（ｒ）・Ａを、トラフィック対パイロット出力比と、上述したようにＡＣＫ／ＮＡＣＫにしたがって決定された逆方向リンクパケットエラーレート（ＰＥＲ）に基づいて調整されたＡの推定値とに基づいてＧ（ｒ）・Ａの値を決定する。
【０２０５】
パケットデコーディングの修正
上記で導入した所与のデータレートｒに対するトラフィック対パイロット送信出力比Ｇ（ｒ）は、パケットを正確にデコーディングするためにパケットの（再）送信回数を考慮して決定される。したがって、パケットを１回の送信で正しくデコーディングすべきである場合、トラフィック対パイロット送信出力比は、１回以上の送信が許容される場合のトラフィック対パイロット送信出力比より大きくなる。
【０２０６】
（再）送信回数によってレーテンシ(latency)が決まるが、これはサービス品質（ＱｏＳ）に影響を及ぼす。例えば、音声パケットや、ファイル転送プロトコルパケットや、類似物などのようにパケットのタイプが異なれば、必要とされるＱｏＳも異なり、パケットのタイプが異なれば、割り当てられるトラフィック対パイロット送信出力比も異なる。したがって、例えば、アクセス端末は、あるＱｏＳ（低レーテンシ）を必要とする音声パケットを送信すべきであると判定すると、第１のトラフィック対パイロット送信出力比を利用するが、この比は、別のＱｏＳ（高レーテンシ）を必要とするＦＴＰパケットを送信する場合に利用される第２のトラフィック対パイロット送信出力比より大きい。
【０２０７】
ＲＲＩチャネル出力制御
既述したように、ＲＲＩチャネルはトラフィックチャネルペイロードで時分割多重される。トラフィック／ＲＲＩチャネルタイムスロットのＲＲＩ部分をトラフィック部分とは異なった出力レベルで送信する必要性を解消するため、ＲＲＩチャネルとトラフィックチャネル間の出力配分は、送信されたデータレートの関数としてＲＲＩチャネルに割り当てられるチップの数によって制御される。
【０２０８】
ウオルシュカバードコードワードを含む所定の数のチップを正確にデコーディングすることを保証するには、必要とされる出力を決定すればよい。代替例では、送信に必要なトラフィック／ペイロードの出力が周知であり、また、トラフィック／ＲＲＩチャネルタイムスロットのＲＲＩ部分が同じ出力で送信される場合、ＲＲＩチャネルを信頼性を持ってデコーディングするために適切なチップの数を決定することが可能である。その結果、ひとたびデータレートと、したがって、トラフィック／ＲＲＩチャネルタイムスロットの送信のための出力が決定されれば、ＲＲＩチャネルに割り当てられるチップの数も決定される。アクセス端末は５ビットのパケットタイプを生成し、双直交的にこの５ビットをエンコーディングして記号を得て、ＲＲＩチャネルに割り当てられたチップの数をこの記号で満たす。ＲＲＩチャネルに割り当てられるチップの数が記号の数より大きい場合、これらの記号はＲＲＩチャネルに割り当てられるチップが全て満たされるまで繰り返される。
【０２０９】
ＡＴとＡＰの構造
アクセス端末９００を図９に示す。順方向リンク信号はアンテナ９０２によって受信されて、受信機を備えているフロントエンド９０４に対してルーティングされる。この受信機は、アンテナ９０２から提供された信号をフィルタリングし、増幅し、復調し、ディジタル化する。このディジタル化された信号は復調器（ＤＥＭＯＤ）９０６に提供され、ここから復調されたデータはデコーダ９０８に提供される。デコーダ９０８は、アクセス端末で実行される信号処理機能の逆を実行して、デコーディングされたユーザデータをデータシンク９１０に提供する。このデコーダはさらにコントローラ９１２と通信し、このコントローラ９１２にオーバーヘッドデータを提供する。コントローラ９１２はさらに、アクセス端末９００を備えている他のブロックと通信して、例えば、データのエンドーディングや出力の制御など、アクセス端末９００の動作を正しく制御する。コントローラ９１２は、例えば、プロセッサと、このプロセッサとカップリングされ、このプロセッサで実行可能な命令の集合を含んでいる記憶媒体とを備えることが可能である。
【０２１０】
アクセス端末に送信予定のユーザデータは、コントローラ９１２の指示にしたがってデータソース９１４によってエンコーダ９１６に提供される。エンコーダ９１６は、コントローラ９１２からオーバーヘッドデータをさらに提供される。エンコーダ９１６はこのデータをエンコーディングして、エンコーディングされたデータを変調器（ＭＯＤ）９１８に提供する。エンコーダ９１６と変調器９１８中でのデータ処理は、上記の本文と図面に記載されているような逆方向リンクの生成に基づいて実行される。次に、処理されたデータはフロントエンド９０４内の送信機に提供される。この送信機は逆方向リンク信号を変調し、フィルタリングし、増幅し、無線でアンテナ９０２を介して逆方向リンクで送信する。
【０２１１】
コントローラ１０００とアクセス端末１００２を図１０に示す。データソース１００４によって生成されたユーザデータは、インタフェースユニット、例えば、パケットネットワークインタフェース、ＰＳＴＮ（図示せず）を介してコントローラ１０００に提供される。既述したように、コントローラ１０００は複数のアクセス端末をインタフェースしていて、アクセスネットワークを形成している（簡潔さのため、たった１つのアクセス端末１００２しか図１０では示していない）。このユーザデータは、複数のセレクタエレメントに提供される（簡潔さのため、図１０ではたった１つのセレクタエレメント１００２しか示していない）。これらのセレクタエレメントの内の１つは、データソース１００４及びデータシンク１００６と１つ以上の基地局との間でのユーザデータの交換をコール制御プロセッサ１０１０の制御下で制御するために割り当てられる。このコール制御プロセッサ１０１０は、例えば、プロセッサと、このプロセッサとカップリングされ、このプロセッサで実行可能な命令の集合を含んでいる記憶媒体とを備えることが可能である。図１０に示すように、セレクタエレメント１００２はユーザデータをデータ待ち行列１０１４に提供するが、この待ち行列は、アクセス端末１００２からサービスを受けるアクセス端末（図示せず）に送信される予定のユーザデータを含むものである。スケジューラ１０１６の制御にしたがって、このデータデータはデータ待ち行列１０１４からチャネルエレメント１０１２に提供される。チャネルエレメント１０１２は、ユーザデータをＩＳ−８５６規格に従って処理して、処理されたデータを送信機１０１８に提供する。このデータはアンテナ１０２２から順方向リンク上で送信される。
【０２１２】
アクセス端末（図示せず）からの逆方向リンク信号はアンテナ１０２４で受信されて受信機１０１６に提供される。受信機１０１６は、この信号をフィルタリングし、増幅し、復調し、ディジタル化して、ディジタル化された信号をチャネルエレメント１０１６に提供する。チャネルエレメント１０１６は、アクセスポイントで実行される信号処理機能の逆を実行して、デコーディングされたデータをセレクタエレメント１０１２に提供する。セレクタエレメント１０１２はこのユーザデータをデータシンク９０６にルーティングし、オーバーヘッドデータをコール制御プロセッサ１０１０にルーティングする。
【０２１３】
当業者は、フローチャートは理解しやすいように順に示されているが、実際の実施例ではあるステップを並列に実行することが可能であることを理解されるであろう。
【０２１４】
当業者は、情報を信号は互いに異なったさまざまな技術や技法の内のいずれかを用いて表されることを理解するであろう。例えば、上記の説明全体にわたって参照されているデータ、命令、コマンド、情報、信号、ビット、記号及びチップは、電圧、電流、電磁波、磁場もしくは磁性粒子、光学場もしくは光学粒子又はこれらのいずれかの組み合わせによって表される。
【０２１５】
当業者は、ここに開示する実施形態と関連して説明したさまざまな解説的な論理ブロック、モジュール、回路及びアルゴリズムステップは電子的ハードウエア、コンピュータソフトウエア又はこれら双方の組み合わせとして実現されることをさらに理解されるであろう。このハードウエアとソフトウエアの交換性を明瞭に解説するため、さまざまな解説的なコンポーネント、ブロック、モジュール、回路及びステップを概してその機能性という点で説明した。このような機能性をハードウエアとして実現するかソフトウエアとして実現するかは、特定の応用分野とシステム全体に課せられる設計上の制約とによって決まる。熟練した技能者は、この説明した機能性を特定の応用分野毎にさまざまな方法で実現するが、このように決定された実現物は本発明の範囲からの逸脱をもたらすものと解釈すべきではない。
【０２１６】
ここに開示した実施形態を関連させて説明したさまざまな解説的な論理ブロック、モジュール及び回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラム可能論理デバイス、ディスクリートゲートもしくはトランジスタ論理、ディスクリートハードウエアコンポーネント又はここに記載する機能を実行するように設計されたこれらの何らかの組み合わせで実現又は実施される。汎用プロセッサはマイクロプロセッサであるが、代替例では、このプロセッサはいずれかの従来型のプロセッサ、コントローラ、マイクロコントローラ又は状態マシンである。プロセッサはまた、計算デバイスの組み合わせ、例えば、ＤＳＰ及びマイクロプロセッサ、複数のマイクロプロセッサ、ＤＳＰコアと関連した１つ以上のマイクロプロセッサ又は他のいずれかのこのような構成の組み合わせとして実現される。
【０２１７】
ここに開示する実施形態と関連して説明した方法又はアルゴリズムのステップは、プロセッサで実行されるハードウエアとして、ソフトウエアモジュールとして、又はこれら２つの組み合わせとして直接的に実現される。ソフトウエアモジュールはＲＡＭメモリ、フラッシュメモリ、ＲＯＭメモリ、ＥＰＲＯＭメモリ、ＥＥＰＲＯＭメモリ、レジスタ、ハードディスク、取り外し式ディスク、ＣＤ−ＲＯＭ又は技術分野内の他のいずれかの形態の記憶媒体中に存在する。例示の記憶媒体はプロセッサにカップリングされ、これでプロセッサがこの記憶媒体に対して情報の書き込みと読み出しが可能となるようにする。代替例では、この記憶媒体は、プロセッサに対して一体化されている。プロセッサと記憶媒体はＡＳＩＣ中に存在する。このＡＳＩＣはユーザ端末中に常駐する。代替例では、プロセッサと記憶媒体はディスクリートコンポーネントとしてユーザ端末中に存在する。
【０２１８】
開示の実施形態に関する上記の説明は、当業者なら誰でも、本発明を作成又は利用することが可能となるように提供されたものである。これらの実施形態に対するさまざまな修正が当業者には容易に明らかであろうし、また、ここに定められた一般的な原理は、本実施形態の範囲から逸脱することなく他の実施形態にも適用可能である。したがって、本発明は本書に示す実施形態に限られることを意図するものではなく、ここに開示する原理と新規な特徴とに矛盾しない最も広い範囲を与えられるべきである。
【０２１９】
本特許文書の開示のある部分に、著作権保護に当たる材料が含まれている。この著作権の所有者は、特許・商標庁の特許ファイルや記録にある限りでは、本特許文書又は本特許開示をだれがファクシミリで再生してもなんら異議を申し立てることはないが、それ以外では、あらゆる著作権を留保するものである。
【図面の簡単な説明】
【０２２０】
【図１】本発明の実施形態による動作が可能な通信システムのブロック概念図である。
【図２】本発明の順方向リンクの波形の実施形態の図である。
【図３】逆方向出力制御チャネル上で出力制御コマンドとパケット承諾コマンドを通信する方法を示す図である。
【図４Ａ】逆方向リンク波形の実施形態の図である。
【図４Ｂ】逆方向リンク波形の実施形態の図である。
【図４Ｃ】逆方向リンク波形の実施形態の図である。
【図４Ｄ】逆方向リンク波形の実施形態の図である。
【図５Ａ】逆方向リンクチャネルのアーキテクチャの実施形態の図である。
【図５Ｂ】逆方向リンクチャネルのアーキテクチャの実施形態の図である。
【図５Ｃ】逆方向リンクチャネルのアーキテクチャの実施形態の図である。
【図６Ａ】ＯＦＤＭ通信システムのブロック概念図である。
【図６Ｂ】ＯＦＤＭ通信システムのブロック概念図である。
【図６Ｃ】ＯＦＤＭ通信システムのブロック概念図である。
【図７】逆方向リンクでのデータ送信の実施形態の図である。
【図８】逆方向リンクでのデータ再送信の実施形態の図である。
【図９】アクセス端末の図である。
【図１０】アクセスポイントの図である。
【符号の説明】
【０２２１】
１００…アクセスポイント、１０２…アクセスポイント、１０４…アクセス端末、１０６…順方向リンク、１０８…逆方向リンク、１１０…アクセスネットワークコントローラ、１１２…バックホール、２００…順方向リンクの構造、２０２…タイムスロット、２０４…パイロットバースト、４００…逆方向リンク、４１２―４１８，４２０…オーバヘッドチャネル、９００…アクセス端末、１０００…コントローラ
【図１】
2010213295.tif 000010
【図２】
2010213295.tif 000011
【図３】
2010213295.tif 000012
【図４Ａ】
2010213295.tif 000013
【図４Ｂ】
2010213295.tif 000014
【図４Ｃ】
2010213295.tif 000015
【図４Ｄ】
2010213295.tif 000016
【図５Ａ】
2010213295.tif 000017
【図５Ｂ】
2010213295.tif 000018
【図５Ｃ】
2010213295.tif 000019
【図６Ａ】
2010213295.tif 000020
【図６Ｂ】
2010213295.tif 000021
【図６Ｃ】
2010213295.tif 000022
【図７】
2010213295.tif 000023
【図８】
2010213295.tif 000024
【図９】
2010213295.tif 000025
【図１０】
2010213295.tif 000026
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
チャネルの出力制御のための装置であって、
プロセッサと、そして
前記プロセッサに結合された記憶媒体と、
を具備し、前記記憶媒体は
第１のチャネルの送信出力を決定し、
前記チャネル上で提供されるサービスの品質（ＱｏＳ）を決定し、
前記ＱｏＳに従って前記チャネル上で送信されるデータのレートの場合の前記第１のチャネルに対する前記チャネルの送信出力比を決定し、
前記チャネルの品質測定基準に従って前記送信出力比を調整し、そして
前記調整された送信出力比に従って前記チャネル送信出力を計算する、
ために、
前記プロセッサによって実行可能な命令の集合を含み、
第２のチャネルの品質測定基準と第３のチャネル中の検出されたユーザデータの存在とに従ってセットポイントを決定し、そして
前記送信出力の現在の値が前記決定されたセットポイント未満であれば前記送信出力の値を増加させる、
ための、
命令の集合を実行することによって、前記プロセッサは第１のチャネルの送信出力を決定する、
装置。
【請求項２】
前記送信出力の前記現在の値が前記決定されたセットポイント未満であれば、前記送信出力の値を減少させる、
ための、
命令の集合を前記プロセッサは実行する、請求項１記載の装置。
【請求項３】
前記第２のチャネルの前記品質測定基準を決定し、
前記第３のチャネル中にユーザデータが存在するがどうかを検出し、
前記第３のチャネル中にユーザデータの存在が検出されたら、ユーザデータをデコーディングし、そして
前記品質測定基準と前記検出の結果とに従って前記セットポイントを決定する、
ための、
命令の集合を実行することによって、前記プロセッサは、第２のチャネルの品質測定基
準と第３のチャネル中の検出されたユーザデータの存在とに従ってセットポイントを決定する、請求項１記載の装置。
【請求項４】
前記第２のチャネルの消去レートを決定する、
ための、
命令の集合を実行することによって、前記プロセッサは第１のチャネルの品質測定基準を決定する、請求項３記載の装置。
【請求項５】
信号報知データのレートと前記信号報知データの内容とに従って仮説の集合を構成し、
前記仮説の集合の各々の集合に従って前記信号報知データをデコーディングし、
前記仮説を試験するために用いられる前記測定基準に従って蓋然性の最も高い仮説を選択し、そして
前記選択された仮説が第１の閾値より大きい場合にはユーザデータが存在することを宣言する、
ための、
命令の集合を実行することによって、前記プロセッサは、前記第３のチャネル中にユーザデータが存在することを検出する、請求項３記載の装置。
【請求項６】
前記第３のチャネルからの符号分割多重化（ＣＤＭ）されたユーザデータをデコーディングする、
ための、
命令の集合を実行することによって、前記第３のチャネル中に前記ユーザデータの存在が検出されたら、前記プロセッサは前記ユーザデータをデコーディングする、請求項３記載の装置。
【請求項７】
ユーザデータの存在が検出された場合、
前記品質測定基準が第２の閾値未満であり、また、前記コーディングが成功であれば、前記セットポイントを減少させ、そして
前記品質測定基準が前記第２の閾値より大きく、また、前記コーディングが不成功であれば、前記セットポイントを増加させる、
ための、
命令の集合を実行することによって、前記プロセッサは、前記品質測定基準と前記検出の結果とに従って前記セットポイントを決定する、請求項３記載の装置。
【請求項８】
ユーザデータの存在が検出されなかった場合、
前記品質測定基準が第２の閾値未満であれば、前記セットポイントを減少させ、そして
前記品質測定基準が前記第２の閾値より大きければ、前記セットポイントを増加させる、
ための、
命令の集合を実行することによって、前記プロセッサは、前記品質測定基準と前記検出の結果とに従って前記セットポイントを決定する、請求項３記載の装置。
【請求項９】
前記チャネル上でユーザデータの決定された第１の回数の再送信が失敗した場合に、前記送信出力比を第１の決定された量増加させる、
ための、
命令の集合を実行することによって、前記プロセッサは、前記チャネルの品質測定基準に従って前記送信出力比を調整する、請求項１記載の装置。
【請求項１０】
前記チャネル上でユーザデータが、決定された第２の回数の再送信以内で成功裏に送信された場合に、前記送信出力比を第２の決定された量減少させる、
ための、
命令の集合を実行することによって、前記プロセッサは、前記チャネルの品質測定基準に従って前記送信出力比を調整する、請求項１記載の装置。
【請求項１１】
前記第１のチャネルの送信時間期間と前記チャネルの送信時間期間との間のライズオーバーサーマル差を決定し、
前記ライズオーバーサーマル差を調整し、そして
前記調整されたライズオーバーサーマル差に従って前記送信出力比を調整する、
ための、
命令の集合を実行することによって、前記プロセッサは、前記チャネルの品質測定基準に従って前記送信出力比を調整する、請求項１記載の装置。
【請求項１２】
前記第１のチャネルの送信時間間隔におけるライズオーバーサーマルを測定し、
前記チャネルの前記送信時間間隔におけるライズオーバーサーマルを測定し、そして
前記第１のチャネルの前記送信時間間隔における前記ライズオーバーサーマルと前記チャネルの前記送信時間間隔における前記ライズオーバーサーマル間の差を計算する、
ための、
命令の集合を実行することによって、前記プロセッサは、前記第１のチャネルの送信時間期間と前記チャネルの送信時間期間との間のライズオーバーサーマル差を決定する、請求項１１記載の装置。
【請求項１３】
前記ライズオーバーサーマル差を推定する、
ための、
命令の集合を実行することによって、前記第１のチャネルの送信時間期間と前記チャネルの前記送信時間期間との間のライズオーバーサーマル差を決定する、請求項１１記載の装置。
【請求項１４】
前記チャネルの前記品質測定基準に従って前記ライズオーバーサーマル差を推定する、
ための、
命令の集合を実行することによって、前記プロセッサは、前記ライズオーバーサーマル差を推定する、請求項１３記載の装置。
【請求項１５】
前記チャネルは第１のトラフィックチャネルを具備し、そして
前記第１のチャネルはパイロットチャネルを具備する、
請求項１記載の装置。
【請求項１６】
前記第２のチャネルはデータ要求チャネルを具備し、そして
前記第３のチャネルは第２のトラフィックチャネルを具備する、
請求項２記載の装置。
【請求項１７】
チャネルの出力制御方法であって、
第１のチャネルの送信出力を決定することと、
前記チャネル上で送信されるサービスの品質（ＱｏＳ）を決定することと、
前記ＱｏＳに従って前記チャネル上で送信されるデータのレートの場合の前記第１のチャネルに対する前記チャネルの送信出力比を決定することと、
前記チャネルの品質測定基準に従って前記送信出力比を調整することと、そして
前記調整された送信出力比に従って前記チャネル送信出力を計算することと、
を備え、
前記の第１のチャネルの送信出力を決定することは、
第２のチャネルの品質測定基準と第３のチャネル中の検出されたユーザデータの存在とに従ってセットポイントを決定することと、そして
前記送信出力の現在の値が前記決定されたセットポイント未満であれば前記送信出力の値を増加させることと、
を備える方法。
【請求項１８】
前記送信出力の前記現在の値が前記決定されたセットポイント未満であれば、前記送信出力の値を減少させること、
を更に備える請求項１７記載の方法。
【請求項１９】
前記の第２のチャネルの品質測定基準と第３のチャネル中の検出されたユーザデータの存在とに従ってセットポイントを決定することは、
前記第２のチャネルの前記品質測定基準を決定することと、
前記第３のチャネル中にユーザデータが存在するがどうかを検出することと、
前記第３のチャネル中にユーザデータの存在が検出されたら、ユーザデータをデコーディングすることと、そして
前記品質測定基準と前記検出の結果とに従って前記セットポイントを決定することと、
を備える、請求項１７記載の方法。
【請求項２０】
前記の第１のチャネルの品質測定基準を決定することは、
前記第２のチャネルの消去レートを決定すること、
を備える、請求項１９記載の方法。
【請求項２１】
前記の前記第３のチャネル中にユーザデータが存在することを検出することは、
信号報知データのレートと前記信号報知データの内容とに従って仮説の集合を構成することと、
前記仮説の集合の各々の集合に従って前記信号報知データをデコーディングすることと、
前記仮説を試験するために用いられる前記測定基準に従って蓋然性の最も高い仮説を選択することと、そして
前記選択された仮説が第１の閾値より大きい場合にはユーザデータが存在することを宣言することと、
を備える、請求項１９記載の方法。
【請求項２２】
前記の前記第３のチャネル中に前記ユーザデータの存在が検出されたら前記ユーザデータをデコーディングすることは、
前記第３のチャネルからの符号分割多重化（ＣＤＭ）されたユーザデータをデコーディングすること、
を備える、請求項１９記載の方法。
【請求項２３】
前記の前記品質測定基準と前記検出の結果とに従って前記セットポイントを決定することは、
ユーザデータの存在が検出された場合、
前記品質測定基準が第２の閾値未満であり、また、前記コーディングが成功であれば、前記セットポイントを減少させることと、そして
前記品質測定基準が前記第２の閾値より大きく、また、前記コーディングが不成功であれば、前記セットポイントを増加させることと、
を備える、請求項１９記載の方法。
【請求項２４】
前記の前記品質測定基準と前記検出の結果とに従って前記セットポイントを決定することは、
ユーザデータの存在が検出されなかった場合、
前記品質測定基準が第２の閾値未満であれば、前記セットポイントを減少させることと、そして
前記品質測定基準が前記第２の閾値より大きければ、前記セットポイントを増加させることと、
を備える、請求項１９記載の方法。
【請求項２５】
前記第２のチャネルはデータ要求チャネルを具備し、そして
前記第３のチャネルは第２のトラフィックチャネルを具備する、
請求項１７記載の方法。
【手続補正２】
【補正対象書類名】明細書
【補正対象項目名】０００９
【補正方法】変更
【補正の内容】
【０００９】
音声トラフィックのみのサービスとデータトラフィックのみのサービスに関する研究の結果、これら２つのタイプのサービスの間にはある重要な相違が存在することが分かった。１つの違いは、情報コンテンツの伝達の遅延時間に関するものである。音声トラフィックサービスでは、厳しくそして固定した遅延要件が課せられる。一般には、スピーチフレームと呼ばれる所定量の音声トラフィック情報の全体的な一方向遅延時間は１００ｍｓ未満でなければならない。それとは対照的に、全体的な一方向データトラフィック遅延時間は可変のパラメータであり、これを用いて、通信システムが提供するデータトラフィックサービスの効率を最適化する。例えば、音声トラフィックサービスで許容され得る遅延時間よりかなり大きい遅延時間を必要とするマルチユーザダイバーシティ技法や、より好ましい状況が到来するまでのデータ送信遅延技法や、より効率的な誤り訂正コーディング技法や、さらに他の技法が利用可能である。データをコーディングする例示の効率的なスキームが、本譲受人に譲渡され、１９９６年１１月６日に提出され、「重畳エンコーディングされた暗示語句をデコーディングする軟判定出力デコーダ（SOFT DECISION OUTPUT DECODER FOR DECODING CONVOLUTIONALLY ENCODED CODEWARDS）」と題され、１９９９年８月３日にＳｉｎｄｈｕｓｈａｙａｎａらに対して発行された、米国特許第５，９３３，４６２号に開示されている。
【手続補正３】
【補正対象書類名】明細書
【補正対象項目名】００１３
【補正方法】変更
【補正の内容】
【００１３】
よりソフトなハンドオフも類似のプロセスであり、これによって、マルチセクタ基地局の少なくとも２つのセクタ上で通信が発生する。よりソフトなハンドオフのプロセスは、本譲受人に譲渡され、１９９６年１２月１１日に提出され、共通の基地局のセクタ同士間でハンドオフを実行する方法と装置（METHOD AND APPARATUS FOR PERFORMING HAND-OFF BETWEEN SECTORS OF A COMMON BASE STATION）」と題され、１９９９年８月３日にＧｉｌｈｏｕｓｅｎらに対して発行された、米国特許第５，９３３，７８７号に詳細に記載されている。したがって、音声サービスに対してソフトなハンドオフとよりソフトなハンドオフを実行すると、その結果、２つ以上の基地局から冗長な送信が実施されて信頼性が向上する。
【手続補正４】
【補正対象書類名】明細書
【補正対象項目名】００１７
【補正方法】変更
【補正の内容】
【００１７】
上記の方式は、高データレート（ＨＤＲ）通信システムとして知られるデータトラフィックオンリー通信システムの開発に利用されたものである。このような通信システムは、本譲受人に対して譲渡され、１９９７年１１月３日に提出され、「高レートパケットデータ送信の方法と装置（METHOD AND APPARATUS FOR HIGH RATE PACKET DATA TRANSMISSION）」と題され、２００３年６月３日にＰａｄｏｖａｎｉらに対して発行された、米国特許第６，５７４，２１１号に詳細に開示されている。ＨＤＲ通信システムは、以後ＩＳ−８５６規格と呼ばれるＴＩＡ／ＥＩＡ／ＩＳ−８５６工業規格として標準化された。
【手続補正５】
【補正対象書類名】明細書
【補正対象項目名】００２３
【補正方法】変更
【補正の内容】
【００２３】
本出願は、すべてが本発明の譲受人に譲渡される、２００３年３月１３日に提出された「通信システムにおけるデータ送信の方法とシステム（Method and System for a Data Transmission in a Communication System）」という題名の米国出願第１０／３８９，１７６号（代理人事件整理番号第０３０２１５Ｕ２号）と、２００３年３月１３日に提出された「通信システムにおけるデータ送信のためのリンクのパラメータを推測する方法とシステム（Method and System For Estimating Parameters of a Link For Data Transmission in a Communication System）」という題名の米国出願第１０／３８９，７１６号（代理人事件整理番号第０３０２１５Ｕ３号）と、２００４年９月１６日に公開された「通信システムにおける出力制御の方法とシステム（Method and System for a Power Control in a Communication System）」という題名の米国特許出願公開第２００４０１７９４９４号とに関する。
【手続補正６】
【補正対象書類名】明細書
【補正対象項目名】００４５
【補正方法】変更
【補正の内容】
【００４５】
それによって情報値０を送信するには信号エネルギをまったく必要としない上記の信号報知によって、アクセスポイントは、パケットを送信する指示を送信する場合にだけ、一次ＰＧチャネルにエネルギを割り当てることが許容される。たった１つ又は少数のアクセス端末しかある時間間隔で逆方向リンク上で送信する許可を承諾されないため、一次ＰＧチャネルは、逆方向リンク送信情報を提供するためにはほとんど出力を必要としない。その結果、出力の割り当てが不当に混乱することなく、全てのアクセス端末のところで一次ＰＧチャネルを信頼性高く受信することを保証するに十分な出力を、一次ＰＧチャネルに割り当てることが可能である。その結果、ＲＰＣ出力割り当て方法に対する影響が最小化される。ＲＰＣ出力割り当て方法が、例えば、双方共本譲受人に譲渡され、２００４年１月１３日に発行された「基地局チャネルに出力を割り当てる方法と装置（Methods and apparatus for allocation of power to base station channels）」という題名の米国特許第６，６７８，２５７号と２００４年１０月０７日に公開された「セルラーネットワーク上での出力制御ビットに対する出力割り当て（Power Allocation for Power Control Bits in a Cellular Network）」という題名の同時係属の米国特許出願公開第２００４０１９８４０４号に開示されている。さらに、アクセス端末は、アクセス端末がデータ送信要求に続いて応答を期待しているばあいにだけ、又は、アクセス端末がペンディングのデータ送信を有している場合にだけ、直角ストリームに対する三進法の判定を実行する必要がある。しかしながら、この三進法の値の選択は設計上の選択であり、上記の値以外の値を代わりに用いてもよいことが理解されるであろう。
【手続補正７】
【補正対象書類名】明細書
【補正対象項目名】００７６
【補正方法】変更
【補正の内容】
【００７６】
ＩＳ−８５６通信システムでは、エアーインタフェース信号報知層Ｌ１は物理層と呼ばれ、Ｌ２はリンクアクセス制御（ＬＡＣ）層又は媒体アクセス制御（ＭＡＣ）層と呼ばれ、Ｌ３は信号報知層と呼ばれる。信号報知層より上にはさらに層があり、これはＯＳＩモデルによればＬ４からＬ７まで番号を付けられ、輸送層、セッション層、提示層及びアプリケーション層と呼ばれる。物理層ＡＲＱは、本譲受人に譲渡され、２００４年２月１７日に発行された「通信システムにおける迅速な信号の再送信の方法と装置」という題名の米国特許第６，６９４，４６９号に開示されている。リンク層ＡＲＱ方法の例として、無線リンクプロトコル（ＲＬＰ）がある。ＲＬＰは否定応答（ＮＡＫ）ベースのＡＲＱプロトコルとして知られる誤り制御プロトコルのクラスである。このようなＲＬＰの１つが、以降ＲＬＰ２と呼ばれる、「スペクトル拡散システムのためのデータサービスオプション：無線リンクプロトコルタイプ２」という題名のＴＩＡ／ＥＩＡ／ＩＳ−７０７−Ａ．８に記載されている。オリジナルのパケットと再送信されたパケット双方の送信が好機の送信である。
【手続補正８】
【補正対象書類名】明細書
【補正対象項目名】００８７
【補正方法】変更
【補正の内容】
【００８７】
第２の部分４０８はさらに再分割部分４１０に分割され、その各々４０６がトラフィックチャネルを搬送し、アクセス端末の逆方向レート表示チャネル（ＲＩＩ）４０２に付随している。図４Ａに示すように、第１のタイムスロット４０４（１）の第２の部分４０８（１）中にはｎ個の再分割部分４１０があり、その結果、互いに異なったｎ個のアクセス端末が時間間隔４０４（１）の第２の部分４０８（１）で送信するが、ｍ番目のタイムスロット４０４（ｍ）の第２の部分４０８（ｍ）中にはｌ個の再分割分４１０があり、その結果、互いに異なったｌ個のアクセス端末が時間間隔４０４（ｍ）の第２の部分４０８（ｍ）で送信する。スケジューラの設計に準拠したアクセスネットワークでは、再分割部分４１０の数が変化する。１つの再分割部分とは、時間間隔の第２の部分全体が１つのアクセス端末によって使用されることを意味する。再分割部分４１０で提供される追加のトラフィックチャネルと付随するＲＲＩチャネルでは、ＴＤＭ、ＯＦＤＭ、ＣＤＭ又は他のいずれかの多重方式が利用される。
【手続補正９】
【補正対象書類名】明細書
【補正対象項目名】００９２
【補正方法】変更
【補正の内容】
【００９２】
図４ＣにＴＤＭＡ時間間隔で動作するが、第２のハーフタイムスロット４０８中ではデータを何も搬送しないアクセス端末の逆方向リンク波形を示す。図示するように、オーバヘッドチャネル４１２−４１８とオプションのＣＤＭトラフィックチャネル／ＣＤＭ  ＲＲＩチャネル４２０とは、それでも第１のハーフタイムスロット４０６中で送信され、第２のハーフタイムスロット４０８ではエネルギは伝達されない。
【手続補正１０】
【補正対象書類名】明細書
【補正対象項目名】００９８
【補正方法】変更
【補正の内容】
【００９８】
パイロットチャネル
一実施形態では、パイロットチャネル４１２を用いて逆方向リンクチャネルの品質を推定する。加えて、パイロットチャネル４１２を用いて、第１のハーフタイムスロット４０６で送信されたチャネルのコヒーレント復調を実施する。パイロットチャネル４１２は、二進法値「０」を持つ未変調記号を含む。図５Ｂを参照すると、未変調記号がブロック５１０（１）に提供され、このブロックがこの二進法記号を、選択された変調タイプに従って変調記号上にマッピングする。例えば、この選択された変調タイプが二相位相シフトキーイング（ＢＰＳＫ）であれば、二進法記号値「０」は変調記号値＋１にマッピングされ、二進法記号値「１」は変調記号値−１にマッピングされる。マッピング記号はブロック５１０（４）で、ブロック５１０（２）によって生成されたウオルシュ関数でカバーされる。次にウオルシュカバード記号が提供されてさらに処理される。
【手続補正１１】
【補正対象書類名】明細書
【補正対象項目名】００９９
【補正方法】変更
【補正の内容】
【００９９】
データ要求チャネル
データ要求チャネル４１４をアクセス端末が用いて、アクセスネットワークに対して、選択されたサービス提供セクタと要求されたデータレートを順方向トラフィックチャネル上で示す。この要求された順方向トラフィックチャネルデータレートは、例えば、４ビットのＤＲＣ値を含む。図５Ａを参照すると、ＤＲＣ値がブロック５０６（２）に提供され、このブロックはこの４ビットのＤＲＣ値をエンコーディングして、双直交性コードワードを発生する。このＤＲＣコードワードはブロック５０６（４）に提供され、このブロックはこのコードワードの各々を２回繰り返す。繰り返されたコードワードはブロック５０６（６）に提供され、このブロックはこの二進法記号を、選択された変調タイプにしたがって変調記号上にマッピングする。マッピングされたこの記号はブロック５０６（８）に提供され、このブロックは各々の記号をコード、例えば、ブロック５０６（１０）によって生成されたウオルシュコードで、インデックスｉで識別されるＤＲＣカバーにしたがってカバーする。次に、結果として得られる各々のウオルシュチップがブロック５０６（１２）に提供され、ここで、このウオルシュチップは別のコード、例えば、ブロック５０４（１４）によって生成された別のウオルシュコードでカバーされる。このウオルシュカバード記号は次にさらに処理されるように出力される。
【手続補正１２】
【補正対象書類名】明細書
【補正対象項目名】０１００
【補正方法】変更
【補正の内容】
【０１００】
ＡＣＫチャネル
ＡＣＫチャネル４１６をアクセス端末が用いて、順方向トラフィックチャネル上送信されたユーザデータが成功裏に受信されたかどうかアクセスネットワークに報知する。このアクセス端末は、このアクセス端末宛の検出されたプリアンブルと関連する全ての順方向トラフィックチャネル時間間隔に応答してＡＣＫチャネルビットを送信する。このＡＣＫチャネルビットは、順方向トラフィックチャネルパケットが成功裏に受信された場合には＋１（ＡＣＫ）に設定され、そうでなければ、ＡＣＫチャネルビットは−１（ＮＡＫ）に設定される。送信されたユーザデータを保護しているＣＲＣがデコーディングされたユーザデータに基づいて計算されたＣＲＣと同じであれば、順方向トラフィックチャネルのユーザデータは成功裏に受信されたものと見なされる。図５Ａを参照すると、ＡＣＫチャネルビットはブロック５０８（２）で繰り返されて、ブロック５０８（４）に提供される。
ブロック５０８（４）はこの二進法記号を、選択された変調タイプに従って変調記号上にマッピングする。このマッピングされた記号は次にブロック５０８（６）に提供され、このブロックは、ブロック５０８（８）によって生成されたウオルシュコードで各々の記号をカバーする。このウオルシュカバード記号は次にさらに処理されるように出力される。
【手続補正１３】
【補正対象書類名】明細書
【補正対象項目名】０１０４
【補正方法】変更
【補正の内容】
【０１０４】
その結果、式（１）は、平均の逆方向リンクに対して瞬時的逆方向リンクがどの程度良いか悪いかを示す。アクセス端末はＴｘ  Ｐｉｌｏｔ（ｎ）とＦｉｌｔ  Ｔｘ  Ｐｉｌｏｔ（ｎ）の測定と、さらに、全ての時間間隔で式（１）による品質測定個準の計算を実行する。次に、計算されたこの品質測定基準を用いて、将来における所定の数の時間間隔にわたる品質測定基準を推定する。時間間隔のこの所定の数は２である。このような品質推定方法が、本譲受人に譲渡されている、２００４年１０月１９日に発行された「通信システムにおける送信制御をスケジューリングする方法と装置（Method and Apparatus for Scheduling Transmissions Control in a Communication System）」という題名の米国特許第６，８０７，４２６号に詳細に記載されている。
【手続補正１４】
【補正対象書類名】明細書
【補正対象項目名】０１１２
【補正方法】変更
【補正の内容】
【０１１２】
上記の方式によるＰＲチャネル４１８の値は２ビット値として表される。図５Ｂを参照すると、ＰＲ値はブロック５１２（２）に提供され、このブロックはこの２ビットをエンコーディングしてコードワードとする。このコードワードはブロック５１２（４）に提供され、このブロックはこのコードワードの各々を繰り返す。繰り返されたこのコードワードはブロック５１２（６）に提供され、このブロックはこの二進法記号を選択された変調タイプに従って変調記号上にマッピングする。マッピングされた記号は次にブロック５１２（８）に提供され、このブロックは各々の記号を、ブロック５１２（１０）で生成されたウオルシュコードでカバーする。
【手続補正１５】
【補正対象書類名】明細書
【補正対象項目名】０１１４
【補正方法】変更
【補正の内容】
【０１１４】
図５Ａを参照すると、送信されるデータ（データビット）は所定サイズのブロックに分割されてブロック５０４（２）に提供される。ブロック５０４（２）はターボエンコーダを備えている。ブロック５０４（２）の出力は、コード記号を含んでいる。このコード記号はブロック５０４（４）によってインタリーブされる。一実施形態では、ブロック５０４（４）はビット反転チャネルインタリーバを備えている。データレートとエンコーダコードレートによっては、インタリーブされたコード記号のシーケンスが、固定した変調記号レートを達成するために必要とされる回数だけブロック５０４（６）中で繰り返されて、ブロック５０４（８）に提供される。ブロック５０４（８）はＣＤＭ  ＲＲＩチャネル記号を提供されて、ＣＤＭ  ＲＲＩチャネル記号をＣＤＭトラフィックチャネル記号にパンクチャする。このパンクチャされた記号はブロック５０４（１０）に提供され、このブロックはこの二進法記号を、選択された変調タイプに従って変調記号上にマッピングする
。このマッピングされた記号は次にブロック５０４（１２）に提供され、このブロックは各々の記号をブロック５０４（１４）が生成したウオルシュコードでカバーする。結果として得られるチップは出力されて、以下に詳しく説明するようにさらに処理される。ＣＤＭトラフィックチャネル／ＲＲＩチャネルパケットは、ユーザデータ対パイロットの比率、パケットサイズ及び所与の決定済みデータレートしだいで１つから複数のハーフタイムスロットで送信される。
【手続補正１６】
【補正対象書類名】明細書
【補正対象項目名】０１１６
【補正方法】変更
【補正の内容】
【０１１６】
合成の方法は公知であり、したがって、ここで詳細に説明する必要はない。１つの適切な方法が、本譲受人に譲渡されている「記号を累積することによる時間効率的な再送信の方法と装置（Method and Apparatus for Time Efficient Re-transmission Using Symbol Accumulation）」という題名の米国特許第６，１０１，１６８号に詳述されている。
【手続補正１７】
【補正対象書類名】明細書
【補正対象項目名】０１１７
【補正方法】変更
【補正の内容】
【０１１７】
しかしながら、パケットを意味があるようにソフト合成するためには、アクセス端末は、パケットが、合成の方法と合成される情報とを含んでいることを知っている必要がある。ＲＲＩ値の集合はこの合成方法に従って決定される。ＲＲＩチャネルはＩＳ−８５６規格に準拠したＲＲＩチャネルに類似している。図５Ａを参照すると、例えば３ビットで表されているＲＲＩ値はブロック５０２（２）に提供され、このブロックはこの３ビットをエンコーディングして、７ビットのコードワードとする。エンコーディングする例を表２に示す。
【表２】
2010213295.tif 000027
【手続補正１８】
【補正対象書類名】明細書
【補正対象項目名】０１１９
【補正方法】変更
【補正の内容】
【０１１９】
代替例では、コードワードはブロック５０２（４）に提供され、このブロックはコードワードの各々を繰り返す。この繰り返されたコードワードはブロック５０２（６）に提供され、このブロックはブロック５０２（８）に提供し、このブロックはこの二進法記号を、選択された変調タイプに従って変調記号上にマッピングする。このマッピングされた記号は次に、ブロック５０２（１０）に提供され、このブロックは各々の記号を、ブロック５０２（１２）が生成したウオルシュコードでカバーする。結果として得られるチップは出力されて、以下に詳述するようにさらに処理される。
【手続補正１９】
【補正対象書類名】明細書
【補正対象項目名】０１２１
【補正方法】変更
【補正の内容】
【０１２１】
この処理の１部として、コード記号は変調記号に変換される。ＴＤＭトラフィックチャネル変調記号は次に、ＲＲＩチャネルのチップで時分割多重化される。しかしながら、ＴＤＭチャネルのサイズは、ＲＲＩチャネルチップとパケットを表すＴＤＭトラフィックチャネル変調記号とを合成した結果得られる記号のサイズと必ずしも一致するとは限らない。その結果、オリジナルのパケット記号を表すチップはサブパケットに分割され、これらはＴＤＭチャネル中に挿入されて送信される。この送信方法、すなわち、インクレメンタル冗長性は、本譲受人に譲渡されている、２００３年３月２０日に公開された「増大したデータスループットに対する向上したチャネルインタリーブ動作（ENHANCED CHANNEL INTERLEAVING FOR INCREASED DATA THROUGHPUT）」という題名の同時係属の米国特許出願公開第２００３００５３４３５号に記載されている。
【手続補正２０】
【補正対象書類名】明細書
【補正対象項目名】０１２８
【補正方法】変更
【補正の内容】
【０１２８】
必要とされる表示を提供するために、ＲＲＩは５ビットの情報を含んでいる。図５Ａを参照すると、ＲＲＩ値はブロック５０２（２）に提供され、このブロックはこの５ビットを双直交的にエンコーディングしてコードワードとする。このコードワードはブロック５０２（４）に提供され、このブロックはこのコードワードの各々を繰り返す。この繰り返されたコードワードはブロック５０２（６）に提供され、このブロックはこの二進法記号を選択された変調タイプにしたがって変調記号上にマッピングする。マッピングされたこの記号はブロック５０２（８）、そしてそのあとブロック５０２（１０）に提供され、このブロックは各々の記号をブロック５０２（１２）が生成したウオルシュコードでカバーし、結果として得られるチップは出力されて、以下に詳しく説明するようにさらに処理される。
【手続補正２１】
【補正対象書類名】明細書
【補正対象項目名】０１４０
【補正方法】変更
【補正の内容】
【０１４０】
ＯＦＤＭ逆方向レートインジケータチャネル
必要とされる表示を提供するため、ＯＦＤＭ  ＲＲＩは５ビットの情報を含む。ＲＲＩ値６０２（２）はユーザデータ６０２（１）とは別個に（図６Ａの）ブロック６０４に対して提供されるが、このブロックはＲＲＩデータを少なくとも１つの所定の並行ビン６０６（２）に配布し、また、ユーザデータを残りの並列ビン６０６（１）上で配布する。（ブロック６０４以前のユーザデータとＲＲＩデータの前処理、すなわち、エンコーディング、繰り返し、インタリーブ動作及び類似物は簡潔さのため図示せず。）さらなる処理は図６Ａに示すように進行する。図６Ｂに戻ってこれを参照すると、受信時において、信号はブロック６１４で受信されてＦＦＴを用いて復調される。復調されたＲＲＩデータ６１６（２）と復調されたユーザデータ６１６（２）とは次に、ブロック６１８によって再配布されて、ユーザ値６２０（１）とＲＲＩ値６２０（２）となる。
【手続補正２２】
【補正対象書類名】明細書
【補正対象項目名】０１４１
【補正方法】変更
【補正の内容】
【０１４１】
代替例では、ユーザデータとＲＲＩデータは多重化されて（図６Ｂの）ブロック６０４に提供される。（ブロック６０４以前のユーザデータの前処理、すなわち、エンコーディング、繰り返し、インタリーブ動作及び類似物は簡潔さのため図示せず。）その結果、ＲＲＩ値は、ユーザデータと共に、並列ビン６０６同士間に配布される。さらなる処理は図６Ａに示すように進行する。図６Ｃを参照すると、受信時において、信号はブロック６１４で受信されてＦＦＴを用いて復調される。復調されたＲＲＩデータと復調されたユーザデータ６１６は次にブロック６１８によって再送付されて、ユーザ値６２０（１）とＲＲＩ値６２０（２）となる。
【手続補正２３】
【補正対象書類名】明細書
【補正対象項目名】０１４３
【補正方法】変更
【補正の内容】
【０１４３】
パイロットチャネル４１２、データリクエストチャネル４１４、肯定応答チャネル４１６、パケット要求チャネル４１８（図４を参照）はそれぞれの利得調整ブロック５１６（２）−５１６（５）に提供される。利得調整後は、これらそれぞれのチャネルは変調器５１８に提供される。
【手続補正２４】
【補正対象書類名】明細書
【補正対象項目名】０１４４
【補正方法】変更
【補正の内容】
【０１４４】
加えて、オプションのＣＤＭトラフィックチャネル／ＣＤＭ  ＲＲＩチャネル４２０（図４参照）は利得調整ブロック５１６（６）に提供される。利得調整後は、それぞれのチャネルが変調器５１８に提供される。
【手続補正２５】
【補正対象書類名】明細書
【補正対象項目名】０２１１
【補正方法】変更
【補正の内容】
【０２１１】
コントローラ１０００とアクセス端末１００２を図１０に示す。データソース１００４によって生成されたユーザデータは、インタフェースユニット、例えば、パケットネットワークインタフェース、ＰＳＴＮ（図示せず）を介してコントローラ１０００に提供される。既述したように、コントローラ１０００は複数のアクセス端末をインタフェースしていて、アクセスネットワークを形成している（簡潔さのため、たった１つのアクセス端末１００２しか図１０では示していない）。このユーザデータは、複数のセレクタエレメントに提供される（簡潔さのため、図１０ではたった１つのセレクタエレメント１００８しか示していない）。これらのセレクタエレメントの内の１つは、データソース１００４及びデータシンク１００６と１つ以上の基地局との間でのユーザデータの交換をコール制御プロセッサ１０１０の制御下で制御するために割り当てられる。このコール制御プロセッサ１０１０は、例えば、プロセッサと、このプロセッサとカップリングされ、このプロセッサで実行可能な命令の集合を含んでいる記憶媒体とを備えることが可能である。図１０に示すように、セレクタエレメント１００８はユーザデータをデータ待ち行列１０１４に提供するが、この待ち行列は、アクセス端末１００２からサービスを受けるアクセス端末（図示せず）に送信される予定のユーザデータを含むものである。スケジューラ１０１６の制御にしたがって、このデータデータはデータ待ち行列１０１４からチャネルエレメント１０１２に提供される。チャネルエレメント１０１２は、ユーザデータをＩＳ−８５６規格に従って処理して、処理されたデータを送信機１０１８に提供する。このデータはアンテナ１０２２から順方向リンク上で送信される。
【手続補正２６】
【補正対象書類名】明細書
【補正対象項目名】０２１２
【補正方法】変更
【補正の内容】
【０２１２】
アクセス端末（図示せず）からの逆方向リンク信号はアンテナ１０２４で受信されて受信機１０２０に提供される。受信機１０２０は、この信号をフィルタリングし、増幅し、復調し、ディジタル化して、ディジタル化された信号をチャネルエレメント１０１２に提供する。チャネルエレメント１０１２は、アクセスポイントで実行される信号処理機能の逆を実行して、デコーディングされたデータをセレクタエレメント１００８に提供する。セレクタエレメント１００８はこのユーザデータをデータシンク１００６にルーティングし、オーバーヘッドデータをコール制御プロセッサ１０１０にルーティングする。
【手続補正２７】
【補正対象書類名】図面
【補正対象項目名】図７
【補正方法】変更
【補正の内容】
【図７】
2010213295.tif 000028
【手続補正２８】
【補正対象書類名】図面
【補正対象項目名】図８
【補正方法】変更
【補正の内容】
【図８】
2010213295.tif 000029
【外国語明細書】
2010213295000001.pdf